(57)【特許請求の範囲】
【請求項１】
第1の通知メッセージを生成するステップであって、前記第1の通知メッセージは、ユーザ機器セット内のユーザ機器に対して第1のセルの共通制御チャネルを前記第1のセルにおいて検出するように指示するために使用されるとともに、前記共通制御チャネルの復調に必要な情報を含み、前記共通制御チャネルの復調に必要な情報は、前記共通制御チャネルが占めるリソース位置、前記共通制御チャネルに使用された変調および符号化方式、ならびに前記共通制御チャネルの送信電力情報のうちの少なくとも1つを含む、ステップと、
前記第1の通知メッセージを第2のセルを使用することによって前記ユーザ機器セット内の前記ユーザ機器へと送信するステップと、
前記共通制御チャネルを前記第1のセルを使用することによって前記ユーザ機器セット内の前記ユーザ機器へと送信するステップとを含む、情報伝送方法。
【請求項２】
前記第1の通知メッセージを第2のセルを使用することによって前記ユーザ機器セット内の前記ユーザ機器へと送信する前記ステップの前に、
前記第1のセルが利用可能な状態であることを判断するステップ
をさらに含む、請求項1に記載の方法。
【請求項３】
前記第1のセルが利用可能な状態であることを判断する前記ステップの後に、
前記第1のセルにて占有済み信号を送信するステップをさらに含み、前記占有済み信号は、指示情報を運び、前記指示情報は、前記第1のセルが占有されていることを示すために使用される、請求項2に記載の方法。
【請求項４】
前記第1のセルが利用可能な状態であることを判断する前記ステップは、
エネルギ検出および／または信号解析によって前記第1のセルが利用可能な状態であることを判断するステップを含む、請求項2または3に記載の方法。
【請求項５】
第1のユーザ機器がエネルギ検出および／または信号解析に従って前記第1のセルが利用可能な状態であると判断するときに前記ユーザ機器セット内の前記第1のユーザ機器が送信するリスニング報告メッセージを受信するステップ
をさらに含み、
前記第1のセルが利用可能な状態であることを判断する前記ステップは、
前記リスニング報告メッセージに従って前記第1のセルが利用可能な状態であることを判断するステップを含む、請求項2または3に記載の方法。
【請求項６】
前記第1の通知メッセージを第2のセルを使用することによって前記ユーザ機器セット内の前記ユーザ機器へと送信する前記ステップの前に、
サービスデータを前記第1のセルを使用することによって前記ユーザ機器セット内の前記ユーザ機器へと送信する必要があると判断するステップをさらに含み、
前記共通制御チャネルを前記ユーザ機器セット内の前記ユーザ機器へと送信する前記ステップの後に、
前記サービスデータを前記第1のセルを使用することによって前記ユーザ機器セット内の前記ユーザ機器へと送信するステップをさらに含む、請求項1〜5のいずれか一項に記載の方法。
【請求項７】
前記共通制御チャネルが同期チャネルを含んでおり、前記ユーザ機器セット内の前記ユーザ機器の同期の性能が同期の要件を満たすことができないと判断される場合に、
前記ユーザ機器セット内の前記ユーザ機器に対して前記第1のセルの前記同期チャネルを前記第1のセルにおいて検出するように指示するために使用される第2の通知メッセージを生成するステップと、
前記第2の通知メッセージを前記第2のセルを使用することによって前記ユーザ機器セット内の前記ユーザ機器へと送信するステップと、
前記第1のセルを使用することによって前記ユーザ機器セット内の前記ユーザ機器へと前記同期チャネルを送信するステップとをさらに含む、請求項1〜6のいずれか一項に記載の方法。
【請求項８】
前記共通制御チャネルにて運ばれる共通制御情報が更新されるときに、
更新された共通制御チャネルを前記第1のセルにおいて検出するように前記ユーザ機器セット内の前記ユーザ機器に対して指示するために使用され、前記更新された更新された共通制御チャネルは共通制御情報を運ぶために使用される、第3の通知メッセージを生成するステップと、
前記第3の通知メッセージを前記第2のセルを使用することによって前記ユーザ機器セット内の前記ユーザ機器へと送信するステップと、
前記更新された共通制御チャネルを前記第1のセルを使用することによって前記ユーザ機器セット内の前記ユーザ機器へと送信するステップとをさらに含む、請求項1〜7のいずれか一項に記載の方法。
【請求項９】
前記共通制御チャネルを前記ユーザ機器セット内の前記ユーザ機器へと送信する前記ステップは、
前記共通制御チャネルを前記ユーザ機器セット内の前記ユーザ機器へと定期的に送信するステップを含み、
当該方法は、
前記第1のセルが別のデバイスによって占められていると判断されるときに、前記ユーザ機器セット内の前記ユーザ機器に対して前記共通制御チャネルの検出の停止を指示するために使用されるストップ検出メッセージを生成するステップと、
前記ストップ検出メッセージを前記第2のセルを使用することによって前記ユーザ機器セット内の前記ユーザ機器へと送信するステップとをさらに含む、請求項1〜6のいずれか一項に記載の方法。
【請求項１０】
前記ストップ検出メッセージを前記第2のセルを使用することによって前記ユーザ機器セット内の前記ユーザ機器へと送信する前記ステップの後に、
前記第1のセルが利用可能な状態であることを判断するステップと、
前記ユーザ機器セット内の前記ユーザ機器に対して前記第1のセルの前記共通制御チャネルを前記第1のセルにおいて検出するように指示するために使用される第4の通知メッセージを生成するステップと、
前記第4の通知メッセージを前記第2のセルを使用することによって前記ユーザ機器セット内の前記ユーザ機器へと送信するステップと、
前記第1のセルを使用することによって前記ユーザ機器セット内の前記ユーザ機器へと前記共通制御チャネルを定期的に送信するステップとをさらに含む、請求項9に記載の方法。
【請求項１１】
前記第1のセルが利用可能な状態であることを判断するステップは、
前記第1のセルのエネルギが所定のしきい値よりも低いと判断された場合、前記第1のセルが利用可能な状態であることを判断するステップ、および／または、
前記第1のセルによって運ばれた信号の解析後に得られた結果に基づいて、前記第1のセルが利用可能な状態であることを判断するステップを含む、請求項2〜5のいずれか一項に記載の方法。
【請求項１２】
前記共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む、請求項1〜11のいずれか一項に記載の方法。
【請求項１３】
前記第1の通知メッセージは、物理層シグナリングを使用することによって運ばれ、前記第2のセルの共通サーチ空間において運ばれ、あるいは
前記第1の通知メッセージは、物理層シグナリングを使用することによって運ばれ、前記ユーザ機器セット内のユーザ機器ごとのサーチ空間において運ばれる、請求項1〜12のいずれか一項に記載の方法。
【請求項１４】
前記第1の通知メッセージを第2のセルを使用することによって前記ユーザ機器セット内の前記ユーザ機器へと送信する前記ステップは、前記第2のセルに対応するスペクトルを使用することによって前記ユーザ機器セット内の前記ユーザ機器へと前記第1の通知メッセージを送信するステップを含み、ここで前記第2のセルに対応する前記スペクトルは、ライセンススペクトルであり、かつ／または
前記共通制御チャネルを前記第1のセルを使用することによって前記ユーザ機器セット内の前記ユーザ機器へと送信する前記ステップは、
前記第1のセルに対応するスペクトルを使用することによって前記ユーザ機器セット内の前記ユーザ機器へと前記共通制御チャネルを送信するステップを含み、ここで前記第1のセルに対応する前記スペクトルは、非ライセンススペクトルである、請求項1〜13のいずれか一項に記載の方法。
【請求項１５】
基地局によって第2のセルにて送信された第1の通知メッセージを受信するステップであって、前記第1の通知メッセージは、第1のセルの共通制御チャネルを前記第1のセルにおいて検出するように指示するために使用されるとともに、前記共通制御チャネルの復調に必要な情報を含み、前記共通制御チャネルの復調に必要な情報は、前記共通制御チャネルが占めるリソース位置、前記共通制御チャネルに使用された変調および符号化方式、ならびに前記共通制御チャネルの送信電力情報のうちの少なくとも1つを含む、ステップと、
前記第1の通知メッセージにもとづいて、前記共通制御チャネルを前記第1のセルにおいて検出する必要があると判断するステップと、
前記第1のセルにおいて前記共通制御チャネルを検出するステップとを含む情報伝送方法。
【請求項１６】
基地局によって第2のセルにて送信される第1の通知メッセージを受信する前記ステップは、
前記基地局が前記第1のセルが利用可能な状態であると判断するときに前記基地局によって送信される前記第1の通知メッセージを受信するステップを含み、
前記第1のセルが利用可能な状態であることを判断するステップは、
前記第1のセルのエネルギが所定のしきい値よりも低いと判断された場合、前記第1のセルが利用可能な状態であることを判断するステップ、および／または、
前記第1のセルによって運ばれた信号の解析後に得られた結果に基づいて、前記第1のセルが利用可能な状態であることを判断するステップを含む、請求項15に記載の方法。
【請求項１７】
基地局によって第2のセルにて送信される第1の通知メッセージを受信する前記ステップの前に、
エネルギ検出および／または信号解析に従って前記第1のセルが利用可能な状態であると判断するステップと、
前記第1のセルが利用可能な状態であることを判断するために前記基地局によって使用されるリスニング報告メッセージを生成するステップと、
前記リスニング報告メッセージを前記基地局へと送信するステップとをさらに含む、請求項16に記載の方法。
【請求項１８】
前記第1のセルにて前記基地局によって送信されるサービスデータを受信するステップをさらに含む、請求項15〜17のいずれか一項に記載の方法。
【請求項１９】
前記基地局によって前記第2のセルにて送信される第2の通知メッセージであって、前記基地局がユーザ機器の同期の性能が同期の要件を満たすことができないと判断するときに前記基地局によって送信され、前記第1のセルの同期チャネルを前記第1のセルにおいて検出するように指示するために使用される前記第2の通知メッセージを、受信するステップと、
前記第2の通知メッセージにもとづいて前記第1のセルの前記同期チャネルを前記第1のセルにおいて検出するステップとをさらに含む、請求項15〜18のいずれか一項に記載の方法。
【請求項２０】
前記基地局によって前記第2のセルにて送信される第3の通知メッセージであって、前記共通制御チャネルにて運ばれる共通制御情報が更新されたと前記基地局が判断するときに前記基地局によって送信され、前記第1のセルの更新された共通制御チャネルを前記第1のセルにおいて検出するように指示するために使用され、前記更新された共通制御チャネルは更新された共通制御情報を運ぶために使用される、前記第3の通知メッセージを、受信するステップと、
前記第3の通知メッセージにもとづいて前記更新された共通制御チャネルを前記第1のセルにおいて検出するステップとをさらに含む、請求項15〜19のいずれか一項に記載の方法。
【請求項２１】
前記第1のセルにおいて前記共通制御チャネルを検出する前記ステップは、
前記第1のセルにおいて前記共通制御チャネルを定期的に検出するステップと、
前記基地局によって前記第2のセルにて送信されるストップ検出メッセージであって、前記第1のセルが別のデバイスによって占められていると前記基地局が判断するときに前記基地局によって送信され、前記共通制御チャネルの検出を停止するように指示するために使用される前記ストップ検出メッセージを、受信するステップと、
前記ストップ検出メッセージにもとづいて、前記第1のセルにおける前記共通制御チャネルの検出を停止するステップとを含む、請求項15〜18のいずれか一項に記載の方法。
【請求項２２】
前記第1のセルにおける前記共通制御チャネルの検出を停止する前記ステップの後に、当該方法は、
前記第1のセルが利用可能な状態であると前記基地局が判断するときに前記基地局によって送信され、前記第1のセルの前記共通制御チャネルを前記第1のセルにおいて検出するように指示するために使用される第4の通知メッセージを、受信するステップと、
前記第4の通知メッセージにもとづいて前記第1のセルにおいて前記共通制御チャネルを定期的に検出するステップとをさらに含む、請求項21に記載の方法。
【請求項２３】
前記共通制御チャネルを前記第1のセルにおいて検出する必要があると判断する前記ステップは、
前記共通制御チャネルの復調に必要な前記情報にもとづいて前記共通制御チャネルを前記第1のセルにおいて検出する必要があると判断するステップを含み、
前記第1のセルにおいて前記共通制御チャネルを検出する前記ステップは、
前記共通制御チャネルの復調に必要な前記情報にもとづいて前記第1のセルにおいて前記共通制御チャネルを検出するステップを含む、請求項15〜22のいずれか一項に記載の方法。
【請求項２４】
前記第1のセルにおいて前記共通制御チャネルを検出する前記ステップは、
ブラインド検出によって前記第1のセルにおいて前記共通制御チャネルを検出するステップを含む、請求項15〜22のいずれか一項に記載の方法。
【請求項２５】
前記共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む、請求項15〜24のいずれか一項に記載の方法。
【請求項２６】
前記共通制御チャネルが、測定の実行のための前記参照信号を運ぶ前記共通制御チャネルを含む場合に、当該方法は、
測定の実行のための前記参照信号に従ってチャネル状態情報CSIの測定および／または無線リソース管理RRMの測定を実行するステップをさらに含む、請求項25に記載の方法。
【請求項２７】
前記第1の通知メッセージは、物理層シグナリングを使用することによって運ばれ、前記第2のセルの共通サーチ空間において運ばれ、あるいは
前記第1の通知メッセージは、物理層シグナリングを使用することによって運ばれ、ユーザ機器ごとのサーチ空間において運ばれる、請求項15〜26のいずれか一項に記載の方法。
【請求項２８】
基地局によって第2のセルにて送信される第1の通知メッセージを受信する前記ステップは、前記第2のセルに対応するスペクトルにおいて前記基地局によって送信される前記第1の通知メッセージを受信するステップを含み、ここで前記第2のセルに対応する前記スペクトルは、ライセンススペクトルであり、かつ／または
前記共通制御チャネルを前記第1のセルにおいて検出する必要があると判断する前記ステップは、前記共通制御チャネルを前記第1のセルに対応するスペクトルにおいて検出する必要があると判断するステップを含み、前記第1のセルにおいて前記共通制御チャネルを検出するステップは、前記第1のセルに対応する前記スペクトルにおいて前記共通制御チャネルを検出するステップを含み、ここで前記第1のセルに対応する前記スペクトルは、非ライセンススペクトルである、請求項15〜27のいずれか一項に記載の方法。
【請求項２９】
第1の通知メッセージを生成するように構成された生成ユニットであって、前記第1の通知メッセージは、ユーザ機器セット内のユーザ機器に対して第1のセルの共通制御チャネルを前記第1のセルにおいて検出するように指示するために使用されるとともに、前記共通制御チャネルの復調に必要な情報を含み、前記共通制御チャネルの復調に必要な情報は、前記共通制御チャネルが占めるリソース位置、前記共通制御チャネルに使用された変調および符号化方式、ならびに前記共通制御チャネルの送信電力情報のうちの少なくとも1つを含む、生成ユニットと、
前記生成ユニットによって生成された前記第1の通知メッセージを第2のセルを使用することによって前記ユーザ機器セット内の前記ユーザ機器へと送信するように構成された送信ユニットと、を備えており、
前記送信ユニットは、前記共通制御チャネルを前記第1のセルを使用することによって前記ユーザ機器セット内の前記ユーザ機器へと送信するようにさらに構成されている、基地局。
【請求項３０】
第1の判断ユニットをさらに備えており、
前記第1の判断ユニットは、
前記送信ユニットが前記第1の通知メッセージを前記第2のセルを使用することによって前記ユーザ機器セット内の前記ユーザ機器へと送信する前に、前記第1のセルが利用可能な状態であることを判断するように構成されている、請求項29に記載の基地局。
【請求項３１】
前記送信ユニットは、前記第1の判断ユニットが前記第1のセルが利用可能な状態であると判断した後で、前記第1のセルにて占有済み信号を送信するようにさらに構成されており、前記占有済み信号は、指示情報を運び、前記指示情報は、前記第1のセルが占有されていることを示すために使用される、請求項30に記載の基地局。
【請求項３２】
受信ユニットをさらに備えており、
前記第1の判断ユニットは、
前記受信ユニットによって受信された信号についてエネルギ検出および／または信号解析を実行することによって前記第1のセルが利用可能な状態であることを判断するようにとくに構成されている、請求項30または31に記載の基地局。
【請求項３３】
第1のユーザ機器がエネルギ検出および／または信号解析に従って前記第1のセルが利用可能な状態であると判断するときに前記ユーザ機器セット内の前記第1のユーザ機器によって送信されるリスニング報告メッセージを受信するように構成された受信ユニットをさらに備え、
前記第1の判断ユニットは、
前記受信ユニットによって受信された前記リスニング報告メッセージに従って前記第1のセルが利用可能な状態であることを判断するようにとくに構成されている、請求項30または31に記載の基地局。
【請求項３４】
第2の判断ユニットをさらに備えており、
前記第2の判断ユニットは、前記送信ユニットが前記第1の通知メッセージを前記第2のセルを使用することによって前記ユーザ機器セット内の前記ユーザ機器へと送信する前に、前記送信ユニットがサービスデータを前記第1のセルを使用することによって前記ユーザ機器セット内の前記ユーザ機器へと送信する必要があると判断するようにとくに構成され、
前記送信ユニットは、前記共通制御チャネルを前記ユーザ機器セット内の前記ユーザ機器へと送信した後で、前記サービスデータを前記第1のセルを使用することによって前記ユーザ機器セット内の前記ユーザ機器へと送信するようにさらに構成されている、請求項29〜33のいずれか一項に記載の基地局。
【請求項３５】
第3の判断ユニットをさらに備えており、
前記第3の判断ユニットは、前記共通制御チャネルが同期チャネルを含んでいる場合に、前記ユーザ機器セット内の前記ユーザ機器の同期の性能が同期の要件を満たすことができるか否かを判断するように構成され、
前記生成ユニットは、前記ユーザ機器セット内の前記ユーザ機器の前記同期の性能が前記同期の要件を満たすことができないと前記第3の判断ユニットが判断する場合に、前記ユーザ機器セット内の前記ユーザ機器に対して前記第1のセルの前記同期チャネルを前記第1のセルにおいて検出するように指示するために使用される第2の通知メッセージを生成するようにさらに構成され、
前記送信ユニットは、前記生成ユニットによって生成された前記第2の通知メッセージを前記第2のセルを使用することによって前記ユーザ機器セット内の前記ユーザ機器へと送信し、前記同期チャネルを前記第1のセルを使用することによって前記ユーザ機器セット内の前記ユーザ機器へと送信するようにさらに構成されている、請求項29〜34のいずれか一項に記載の基地局。
【請求項３６】
第4の判断ユニットをさらに備えており、
前記第4の判断ユニットは、前記共通制御チャネルにて運ばれる共通制御情報が更新されたことを判断するように構成され、
前記生成ユニットは、前記第4の判断ユニットが前記共通制御チャネルにて運ばれる前記共通制御情報が更新されたと判断した後で、前記第1のセルの更新された共通制御チャネルを前記第1のセルにおいて検出するように前記ユーザ機器セット内の前記ユーザ機器に対して指示するために使用され、前記更新された共通制御チャネルは、前記第1のセルの更新された共通制御情報を運ぶために使用される、第3の通知メッセージを生成するようにさらに構成され、
前記送信ユニットは、前記生成ユニットによって生成された前記第3の通知メッセージを前記第2のセルを使用することによって前記ユーザ機器セット内の前記ユーザ機器へと送信し、前記更新された共通制御チャネルを前記第1のセルを使用することによって前記ユーザ機器セット内の前記ユーザ機器へと送信するようにさらに構成されている、請求項29〜35のいずれか一項に記載の基地局。
【請求項３７】
前記送信ユニットは、前記共通制御チャネルを前記ユーザ機器セット内の前記ユーザ機器へと定期的に送信するようにとくに構成され、
前記生成ユニットは、
前記第1のセルが別のデバイスによって占められていると第1の判断ユニットが判断するときに、前記ユーザ機器セット内の前記ユーザ機器に対して前記共通制御チャネルの検出の停止を指示するために使用されるストップ検出メッセージを生成するようにさらに構成され、
前記送信ユニットは、前記ストップ検出メッセージを前記第2のセルを使用することによって前記ユーザ機器セット内の前記ユーザ機器へと送信するようにさらに構成されている、請求項29〜34のいずれか一項に記載の基地局。
【請求項３８】
前記生成ユニットは、前記送信ユニットが前記ストップ検出メッセージを送信し、前記第1の判断ユニットが前記第1のセルが利用可能な状態であると判断した後で、前記ユーザ機器セット内の前記ユーザ機器に対して前記第1のセルの前記共通制御チャネルを前記第1のセルにおいて検出するように指示するために使用される第4の通知メッセージを生成するようにさらに構成され、
前記送信ユニットは、前記生成ユニットによって生成された前記第4の通知メッセージを送信し、前記第1のセルを使用することによって前記ユーザ機器セット内の前記ユーザ機器へと前記共通制御チャネルを定期的に送信するようにさらに構成されている、請求項37に記載の基地局。
【請求項３９】
前記第1のセルが利用可能な状態であることを判断することは、
前記第1のセルのエネルギが所定のしきい値よりも低いと判断された場合、前記第1のセルが利用可能な状態であることを判断すること、および／または、
前記第1のセルによって運ばれた信号の解析後に得られた結果に基づいて、前記第1のセルが利用可能な状態であることを判断することを含む、請求項30〜33のいずれか一項に記載の基地局。
【請求項４０】
前記共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む、請求項29〜39のいずれか一項に記載の基地局。
【請求項４１】
前記第1の通知メッセージは、物理層シグナリングを使用することによって運ばれ、前記第2のセルの共通サーチ空間において運ばれ、あるいは
前記第1の通知メッセージは、物理層シグナリングを使用することによって運ばれ、前記ユーザ機器セット内のユーザ機器ごとのサーチ空間において運ばれる、請求項29〜40のいずれか一項に記載の基地局。
【請求項４２】
前記送信ユニットは、
前記第2のセルに対応するスペクトルを使用することによって前記ユーザ機器セット内の前記ユーザ機器へと前記生成ユニットによって生成された前記第1の通知メッセージを送信するようにとくに構成され、ここで前記第2のセルに対応する前記スペクトルは、ライセンススペクトルであり、かつ／または
前記送信ユニットは、前記第1のセルに対応するスペクトルを使用することによって前記ユーザ機器セット内の前記ユーザ機器へと前記共通制御チャネルを送信するようにとくに構成され、ここで前記第1のセルに対応する前記スペクトルは、非ライセンススペクトルである、請求項29〜41のいずれか一項に記載の基地局。
【請求項４３】
基地局によって第2のセルにて送信された第1の通知メッセージを受信するように構成された受信ユニットであって、前記第1の通知メッセージは、第1のセルの共通制御チャネルを前記第1のセルにおいて検出するように指示するために使用されるとともに、前記共通制御チャネルの復調に必要な情報を含み、前記共通制御チャネルの復調に必要な情報は、前記共通制御チャネルが占めるリソース位置、前記共通制御チャネルに使用された変調および符号化方式、ならびに前記共通制御チャネルの送信電力情報のうちの少なくとも1つを含む、受信ユニットと、
前記受信ユニットによって受信された前記第1の通知メッセージにもとづいて、検出ユニットが前記共通制御チャネルを前記第1のセルにおいて検出する必要があることを判断するように構成された判断ユニットと、
前記共通制御チャネルを前記第1のセルにおいて検出するように構成された前記検出ユニットと
を備える、ユーザ機器。
【請求項４４】
前記受信ユニットは、前記基地局が前記第1のセルが利用可能な状態であると判断するときに前記基地局によって送信される前記第1の通知メッセージを受信するようにとくに構成され、
前記第1のセルが利用可能な状態であることを判断することは、
前記第1のセルのエネルギが所定のしきい値よりも低いと判断された場合、前記第1のセルが利用可能な状態であることを判断すること、および／または、
前記第1のセルによって運ばれた信号の解析後に得られた結果に基づいて、前記第1のセルが利用可能な状態であることを判断することを含む、請求項43に記載のユーザ機器。
【請求項４５】
前記判断ユニットは、エネルギ検出および／または信号解析に従って前記第1のセルが利用可能な状態であると判断するようにさらに構成され、
当該ユーザ機器は、生成ユニットおよび送信ユニットをさらに備えており、
前記生成ユニットは、前記判断ユニットが前記第1のセルが利用可能な状態であると判断した後に、前記基地局によって前記第1のセルが利用可能な状態であることを判断するために使用されるリスニング報告メッセージを生成するように構成され、
前記送信ユニットは、前記生成ユニットによって生成された前記リスニング報告メッセージを前記基地局へと送信するように構成されている、請求項44に記載のユーザ機器。
【請求項４６】
前記受信ユニットは、
前記基地局によって送信されたサービスデータを前記第1のセルにて受信するようにさらに構成されている、請求項43〜45のいずれか一項に記載のユーザ機器。
【請求項４７】
前記受信ユニットは、前記第1のセルに対応するスペクトルにおいて前記基地局によって送信される第2の通知メッセージを受信するようにさらに構成され、前記第2の通知メッセージは、当該ユーザ機器の同期の性能が同期の要件を満たすことができないと前記基地局が判断するときに前記基地局によって送信され、前記第2のセルに対応するスペクトルの同期チャネルを前記第2のセルに対応する前記スペクトルにおいて検出するように指示するために使用され、
前記判断ユニットは、前記受信ユニットによって受信された前記第2の通知メッセージにもとづいて、前記検出ユニットが前記第2のセルに対応する前記スペクトルの前記同期チャネルを前記第2のセルに対応する前記スペクトルにおいて検出する必要があると判断するようにさらに構成され、
前記検出ユニットは、前記第2のセルに対応する前記スペクトルの前記同期チャネルを前記第2のセルに対応する前記スペクトルにおいて検出するようにさらに構成されている、請求項43〜46のいずれか一項に記載のユーザ機器。
【請求項４８】
前記受信ユニットは、前記基地局によって前記第2のセルにて送信される第3の通知メッセージを受信するようにさらに構成され、前記第3の通知メッセージは、前記共通制御チャネルにて運ばれる共通制御情報が更新されたと前記基地局が判断する場合に前記基地局によって送信され、前記第3の通知メッセージは、前記第1のセルの更新された共通制御チャネルを前記第1のセルにおいて検出するように指示するために使用され、前記更新された共通制御チャネルは更新された共通制御情報を運ぶために使用され、
前記判断ユニットは、前記受信ユニットによって受信された前記第3の通知メッセージにもとづいて、前記検出ユニットが前記更新された共通制御チャネルを前記第1のセルにおいて検出する必要があると判断するようにさらに構成され、
前記検出ユニットは、前記更新された共通制御チャネルを前記第1のセルにおいて検出するようにさらに構成されている、請求項43〜47のいずれか一項に記載のユーザ機器。
【請求項４９】
前記検出ユニットは、前記受信ユニットによって受信された前記第1の通知メッセージにもとづいて前記第1のセルにおいて前記共通制御チャネルを定期的に検出するようにとくに構成され、
前記受信ユニットは、前記基地局によって前記第2のセルにて送信されるストップ検出メッセージを受信するようにさらに構成され、前記ストップ検出メッセージは、前記第1のセルが別のデバイスによって占められていると前記基地局が判断するときに前記基地局によって送信され、前記共通制御チャネルの検出の停止を指示するために使用され、
前記判断ユニットは、前記受信ユニットによって受信された前記ストップ検出メッセージにもとづいて、前記検出ユニットが前記第1のセルにおける前記共通制御チャネルの検出を停止する必要があると判断するようにさらに構成され、
前記検出ユニットは、前記第1のセルにおける前記共通制御チャネルの検出を停止するようにさらに構成されている、請求項43〜46のいずれか一項に記載のユーザ機器。
【請求項５０】
前記受信ユニットは、前記第1のセルにおける前記共通制御チャネルの検出の停止後に、前記第1のセルが利用可能な状態であると前記基地局が判断するときに前記基地局によって送信され、前記第1のセルの前記共通制御チャネルを前記第1のセルにおいて検出するように指示するために使用される第4の通知メッセージを受信するようにさらに構成され、
前記判断ユニットは、前記受信ユニットによって受信された前記第4の通知メッセージにもとづいて、前記検出ユニットが前記第1のセルにおいて前記共通制御チャネルを定期的に検出する必要があると判断するようにさらに構成され、
前記検出ユニットは、前記第1のセルにおいて前記共通制御チャネルを定期的に検出するようにさらに構成されている、請求項49に記載のユーザ機器。
【請求項５１】
前記判断ユニットは、前記第1の通知メッセージにもとづいて、前記検出ユニットが前記共通制御チャネルの復調に必要な前記情報にもとづいて前記第1のセルにおいて前記共通制御チャネルを検出する必要があると判断するようにとくに構成され、
前記検出ユニットは、前記共通制御チャネルの復調に必要な前記情報にもとづいて前記第1のセルにおいて前記共通制御チャネルを検出するようにとくに構成されている、請求項43〜50のいずれか一項に記載のユーザ機器。
【請求項５２】
前記判断ユニットは、前記受信ユニットによって受信された前記第1の通知メッセージにもとづいて、前記検出ユニットがブラインド検出によって前記第1のセルにおいて前記共通制御チャネルを検出する必要があると判断するように構成され、
前記検出ユニットは、ブラインド検出によって前記第1のセルにおいて前記共通制御チャネルを検出するようにとくに構成されている、請求項43〜51のいずれか一項に記載のユーザ機器。
【請求項５３】
前記共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む、請求項43〜52のいずれか一項に記載のユーザ機器。
【請求項５４】
測定ユニットをさらに備えており、
前記測定ユニットは、前記検出ユニットによって検出された前記共通制御チャネルが測定の実行のための前記参照信号を運ぶ前記共通制御チャネルを含む場合に、測定の実行のための前記参照信号に従ってチャネル状態情報CSIの測定および／または無線リソース管理RRMの測定を実行するように構成されている、請求項53に記載のユーザ機器。
【請求項５５】
前記第1の通知メッセージは、物理層シグナリングを使用することによって運ばれ、前記第2のセルの共通サーチ空間において運ばれ、あるいは
前記第1の通知メッセージは、物理層シグナリングを使用することによって運ばれ、ユーザ機器ごとのサーチ空間において運ばれる、請求項43〜54のいずれか一項に記載のユーザ機器。
【請求項５６】
前記受信ユニットは、前記第2のセルに対応するスペクトルにおいて前記基地局によって送信された前記第1の通知メッセージを受信するようにとくに構成され、ここで前記第2のセルに対応する前記スペクトルは、ライセンススペクトルであり、かつ／または
前記判断ユニットは、前記検出ユニットが前記第1のセルに対応するスペクトルにおいて前記共通制御チャネルを検出する必要があると判断するようにとくに構成され、前記検出ユニットは、前記第1のセルに対応する前記スペクトルにおいて前記共通制御チャネルを検出するようにとくに構成され、ここで前記第1のセルに対応する前記スペクトルは、非ライセンススペクトルである、請求項43〜55のいずれか一項に記載のユーザ機器。
【請求項５７】
プロセッサと、送信機とを備えており、
前記プロセッサは、第1の通知メッセージを生成するように構成され、第1の通知メッセージは、ユーザ機器セット内のユーザ機器に対して第1のセルの共通制御チャネルを前記第1のセルにおいて検出するように指示するために使用されとともに、前記共通制御チャネルの復調に必要な情報を含み、前記共通制御チャネルの復調に必要な情報は、前記共通制御チャネルが占めるリソース位置、前記共通制御チャネルに使用された変調および符号化方式、ならびに前記共通制御チャネルの送信電力情報のうちの少なくとも1つを含み、
前記送信機は、前記プロセッサによって生成された前記第1の通知メッセージを第2のセルを使用することによって前記ユーザ機器セット内の前記ユーザ機器へと送信し、前記共通制御チャネルを前記第1のセルを使用することによって前記ユーザ機器セット内の前記ユーザ機器へと送信するよう構成されている、基地局。
【請求項５８】
前記送信機が前記第1の通知メッセージを前記第2のセルを使用することによって前記ユーザ機器セット内の前記ユーザ機器へと送信する前に、前記プロセッサは、前記第1のセルが利用可能な状態であることを判断するようにさらに構成されている、請求項57に記載の基地局。
【請求項５９】
前記送信機は、前記プロセッサが前記第1のセルが利用可能な状態であると判断した後で、前記第1のセルにて占有済み信号を送信するようにさらに構成されており、前記占有済み信号は、指示情報を運び、前記指示情報は、前記第1のセルが占有されていることを示すために使用される、請求項58に記載の基地局。
【請求項６０】
受信機をさらに備えており、
前記プロセッサは、前記受信機によって受信された信号についてエネルギ検出および／または信号解析を実行することによって前記第1のセルが利用可能な状態であることを判断するようにとくに構成されている、請求項58または59に記載の基地局。
【請求項６１】
第1のユーザ機器がエネルギ検出および／または信号解析に従って前記ユーザ機器セット内の前記第1のセルが利用可能な状態であると判断するときに前記第1のユーザ機器によって送信されるリスニング報告メッセージを受信するように構成された受信機をさらに備え、
前記プロセッサは、前記受信機によって受信された前記リスニング報告メッセージに従って前記第1のセルが利用可能な状態であることを判断するようにとくに構成されている、請求項58または59に記載の基地局。
【請求項６２】
前記プロセッサは、前記送信機が前記第1の通知メッセージを前記第2のセルを使用することによって前記ユーザ機器セット内の前記ユーザ機器へと送信する前に、サービスデータを前記第1のセルを使用することによって前記ユーザ機器セット内の前記ユーザ機器へと送信する必要があることを判断するようにさらに構成され、
前記送信機は、前記共通制御チャネルを前記ユーザ機器セット内の前記ユーザ機器へと送信した後で、前記サービスデータを前記第1のセルを使用することによって前記ユーザ機器セット内の前記ユーザ機器へと送信するようにさらに構成されている、請求項57〜61のいずれか一項に記載の基地局。
【請求項６３】
前記プロセッサは、前記共通制御チャネルが同期チャネルを含んでいる場合に、前記ユーザ機器セット内の前記ユーザ機器の同期の性能が同期の要件を満たすことができるか否かを判断し、前記ユーザ機器セット内の前記ユーザ機器の前記同期の性能が前記同期の要件を満たすことができないと判断する場合に、前記ユーザ機器セット内の前記ユーザ機器に対して前記第1のセルの前記同期チャネルを前記第1のセルにおいて検出するように指示するために使用される第2の通知メッセージを生成するようにさらに構成され、
前記送信機は、前記プロセッサによって生成された前記第2の通知メッセージを前記第2のセルを使用することによって前記ユーザ機器セット内の前記ユーザ機器へと送信し、前記同期チャネルを前記第1のセルを使用することによって前記ユーザ機器セット内の前記ユーザ機器へと送信するようにさらに構成されている、請求項57〜62のいずれか一項に記載の基地局。
【請求項６４】
前記プロセッサは、前記共通制御チャネルにて運ばれる共通制御情報が更新されたと判断し、第3の通知メッセージを生成するようにさらに構成され、前記第3の通知メッセージは、前記第1のセルの更新された共通制御チャネルを前記第1のセルにおいて検出するように前記ユーザ機器セット内の前記ユーザ機器に対して指示するために使用され、前記更新された共通制御チャネルは更新された共通制御情報を運ぶために使用され、
前記送信機は、前記プロセッサによって生成された前記第3の通知メッセージを前記第2のセルを使用することによって前記ユーザ機器セット内の前記ユーザ機器へと送信し、前記更新された共通制御チャネルを前記第1のセルを使用することによって前記ユーザ機器セット内の前記ユーザ機器へと送信するようにさらに構成されている、請求項57〜63のいずれか一項に記載の基地局。
【請求項６５】
前記送信機は、前記共通制御チャネルを前記ユーザ機器セット内の前記ユーザ機器へと定期的に送信するようにとくに構成され、
前記プロセッサは、前記第1のセルが別のデバイスによって占められているか否かを判断し、前記第1のセルが前記別のデバイスによって占められていると該プロセッサが判断するときに、前記ユーザ機器セット内の前記ユーザ機器に対して前記共通制御チャネルの検出の停止を指示するために使用されるストップ検出メッセージを生成するようにさらに構成され、
前記送信機は、前記プロセッサによって生成された前記ストップ検出メッセージを前記第2のセルを使用することによって前記ユーザ機器セット内の前記ユーザ機器へと送信するようにさらに構成されている、請求項58〜62のいずれか一項に記載の基地局。
【請求項６６】
前記プロセッサは、前記送信機が前記ストップ検出メッセージを送信した後に、前記第1のセルが利用可能な状態であると判断し、前記ユーザ機器セット内の前記ユーザ機器に対して前記第1のセルの前記共通制御チャネルを前記第1のセルにおいて検出するように指示するために使用される第4の通知メッセージを生成するようにさらに構成され、
前記送信機は、前記プロセッサによって生成された前記第4の通知メッセージを前記第2のセルを使用することによって前記ユーザ機器セット内の前記ユーザ機器へと送信し、前記第1のセルを使用することによって前記ユーザ機器セット内の前記ユーザ機器へと前記共通制御チャネルを定期的に送信するようにさらに構成されている、請求項65に記載の基地局。
【請求項６７】
前記第1のセルが利用可能な状態であることを判断することは、
前記第1のセルのエネルギが所定のしきい値よりも低いと判断された場合、前記第1のセルが利用可能な状態であることを判断すること、および／または、
前記第1のセルによって運ばれた信号の解析後に得られた結果に基づいて、前記第1のセルが利用可能な状態であることを判断することを含む、請求項58〜61のいずれか一項に記載の基地局。
【請求項６８】
前記共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む、請求項57〜67のいずれか一項に記載の基地局。
【請求項６９】
前記第1の通知メッセージは、物理層シグナリングを使用することによって運ばれ、前記第2のセルの共通サーチ空間において運ばれ、あるいは
前記第1の通知メッセージは、物理層シグナリングを使用することによって運ばれ、前記ユーザ機器セット内のユーザ機器ごとのサーチ空間において運ばれる、請求項57〜68のいずれか一項に記載の基地局。
【請求項７０】
前記送信機は、前記第2のセルに対応するスペクトルを使用することによって前記ユーザ機器セット内の前記ユーザ機器へと前記プロセッサによって生成された前記第1の通知メッセージを送信するようにとくに構成され、ここで前記第2のセルに対応する前記スペクトルは、ライセンススペクトルであり、かつ／または
前記送信機は、前記第1のセルに対応するスペクトルを使用することによって前記ユーザ機器セット内の前記ユーザ機器へと前記共通制御チャネルを送信するようにとくに構成され、ここで前記第1のセルに対応する前記スペクトルは、非ライセンススペクトルである、請求項57〜69のいずれか一項に記載の基地局。
【請求項７１】
基地局によって第2のセルにて送信された第1の通知メッセージを受信するように構成された受信機であって、前記第1の通知メッセージは、第1のセルの共通制御チャネルを前記第1のセルにおいて検出するように指示するために使用されるとともに、前記共通制御チャネルの復調に必要な情報を含み、前記共通制御チャネルの復調に必要な情報は、前記共通制御チャネルが占めるリソース位置、前記共通制御チャネルに使用された変調および符号化方式、ならびに前記共通制御チャネルの送信電力情報のうちの少なくとも1つを含む、受信機と、
前記受信機によって受信された前記第1の通知メッセージにもとづいて、前記受信機を使用することによって前記第1のセルにおいて前記共通制御チャネルを検出する必要があることを判断するように構成されたプロセッサとを備えており、
前記プロセッサは、前記受信機を使用することによって前記第1のセルにおいて前記共通制御チャネルを検出するようにさらに構成されている、ユーザ機器。
【請求項７２】
前記受信機は、前記基地局が前記第1のセルが利用可能な状態であると判断するときに前記基地局によって送信される前記第1の通知メッセージを受信するようにとくに構成され、
前記第1のセルが利用可能な状態であることを判断することは、
前記第1のセルのエネルギが所定の閾値よりも低いと判断された場合、前記第1のセルが利用可能な状態であることを判断すること、および／または、
前記第1のセルによって運ばれた信号の解析後に得られた結果に基づいて、前記第1のセルが利用可能な状態であることを判断することを含む、請求項71に記載のユーザ機器。
【請求項７３】
前記プロセッサは、前記受信機によって受信された信号についてエネルギ検出および／または信号解析を実行することによって前記第1のセルが利用可能な状態であると判断して、前記第1のセルが利用可能な状態であることを示すために使用されるリスニング報告メッセージを生成するようにさらに構成され、
当該ユーザ機器は、送信機をさらに備えており、
前記送信機は、前記プロセッサが前記第1のセルが利用可能な状態であると判断するときに前記リスニング報告メッセージを前記基地局へと送信するように構成されている、請求項72に記載のユーザ機器。
【請求項７４】
前記受信機は、前記基地局によって送信されたサービスデータを前記第1のセルにて受信するようにさらに構成されている、請求項71〜73のいずれか一項に記載のユーザ機器。
【請求項７５】
前記受信機は、前記基地局によって前記第2のセルにて送信される第2の通知メッセージを受信するようにさらに構成され、前記第2の通知メッセージは、当該ユーザ機器の同期の性能が同期の要件を満たすことができないと前記基地局が判断するときに前記基地局によって送信され、前記第1のセルの同期チャネルを前記第1のセルにおいて検出するように指示するために使用され、
前記プロセッサは、前記受信機によって受信された前記第2の通知メッセージにもとづいて、前記第1のセルの前記同期チャネルを前記受信機を使用することによって前記第1のセルにおいて検出する必要があると判断するようにさらに構成され、
前記プロセッサは、前記受信機を使用することによって前記第1のセルにおいて前記第1のセルの前記同期チャネルを検出するようにさらに構成されている、請求項71〜74のいずれか一項に記載のユーザ機器。
【請求項７６】
前記受信機は、前記基地局によって前記第2のセルにて送信される第3の通知メッセージを受信するようにさらに構成され、前記第3の通知メッセージは、前記共通制御チャネルにて運ばれる共通制御情報が更新されたと前記基地局が判断する場合に前記基地局によって送信され、前記第3の通知メッセージは、前記第1のセルの更新された共通制御チャネルを前記第1のセルにおいて検出するように指示するために使用され、前記更新された共通制御チャネルは、更新された共通制御情報を運ぶために使用され、
前記プロセッサは、前記受信機によって受信された前記第3の通知メッセージにもとづいて、前記更新された共通制御チャネルを前記受信機を使用することによって前記第1のセルにおいて検出する必要があると判断するようにさらに構成され、
前記プロセッサは、前記第1のセルの前記更新された共通制御チャネルを前記受信機を使用することによって前記第1のセルにおいて検出するようにさらに構成されている、請求項71〜75のいずれか一項に記載のユーザ機器。
【請求項７７】
前記プロセッサは、前記受信機によって受信された前記第1の通知メッセージにもとづいて前記受信機を使用することによって前記第1のセルにおいて前記共通制御チャネルを定期的に検出する必要があると判断するようにとくに構成され、前記プロセッサは、前記受信機を使用することによって前記第1のセルにおいて前記共通制御チャネルを定期的に検出するようにとくに構成され、
前記受信機は、前記基地局によって前記第2のセルにて送信されるストップ検出メッセージを受信するようにさらに構成され、前記ストップ検出メッセージは、前記第1のセルが別のデバイスによって占められていると前記基地局が判断するときに前記基地局によって送信され、前記共通制御チャネルの検出の停止を指示するために使用され、前記プロセッサは、前記受信機によって受信された前記ストップ検出メッセージにもとづいて、前記受信機を使用することによる前記第1のセルにおける前記共通制御チャネルの検出を停止する必要があると判断するようにさらに構成され、
前記プロセッサは、前記受信機を使用することによる前記第1のセルにおける前記共通制御チャネルの検出を停止するようにさらに構成されている、請求項71〜74のいずれか一項に記載のユーザ機器。
【請求項７８】
前記受信機は、前記プロセッサが前記受信機を使用することによる前記第1のセルにおける前記共通制御チャネルの検出を停止させた後に、前記第1のセルが利用可能な状態であると前記基地局が判断するときに前記基地局によって送信され、前記第1のセルの前記共通制御チャネルを前記第1のセルにおいて検出するように指示するために使用される第4の通知メッセージを受信するようにさらに構成され、
前記プロセッサは、前記受信機によって受信された前記第4の通知メッセージにもとづいて、前記受信機を使用することによって前記第1のセルにおいて前記共通制御チャネルを定期的に検出する必要があると判断するようにさらに構成され、
前記プロセッサは、前記受信機を使用することによって前記第1のセルにおいて前記共通制御チャネルを定期的に検出するようにさらに構成されている、請求項77に記載のユーザ機器。
【請求項７９】
前記第1の通知メッセージは、前記共通制御チャネルの復調に必要な情報を運び、
前記プロセッサは、前記受信機によって受信された前記第1の通知メッセージにもとづいて、前記受信機を使用することによって前記共通制御チャネルの復調に必要な前記情報にもとづいて前記第1のセルにおいて前記共通制御チャネルを検出する必要があると判断するようにとくに構成され、
前記プロセッサは、前記受信機を使用することによって前記共通制御チャネルの復調に必要な前記情報にもとづいて前記第1のセルにおいて前記共通制御チャネルを検出するようにさらにとくに構成されている、請求項71〜78のいずれか一項に記載のユーザ機器。
【請求項８０】
前記プロセッサは、
前記受信機を使用することによって、ブラインド検出によって、前記受信機によって受信された前記第1の通知メッセージにもとづいて、前記第1のセルにおいて前記共通制御チャネルを検出するようにとくに構成されている、請求項71〜78のいずれか一項に記載のユーザ機器。
【請求項８１】
前記共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む、請求項71〜80のいずれか一項に記載のユーザ機器。
【請求項８２】
前記プロセッサによって前記受信機を使用することによって検出された前記共通制御チャネルが測定の実行のための前記参照信号を運ぶ前記共通制御チャネルを含む場合に、前記プロセッサは、測定の実行のための前記参照信号に従ってチャネル状態情報CSIの測定および／または無線リソース管理RRMの測定を実行するようにさらに構成されている、請求項81に記載のユーザ機器。
【請求項８３】
前記第1の通知メッセージは、物理層シグナリングを使用することによって運ばれ、前記第2のセルの共通サーチ空間において運ばれ、あるいは
前記第1の通知メッセージは、物理層シグナリングを使用することによって運ばれ、ユーザ機器ごとのサーチ空間において運ばれる、請求項71〜82のいずれか一項に記載のユーザ機器。
【請求項８４】
前記受信機は、前記第2のセルに対応するスペクトルにおいて前記基地局によって送信された前記第1の通知メッセージを受信するようにとくに構成され、ここで前記第2のセルに対応する前記スペクトルは、ライセンススペクトルであり、かつ／または
前記プロセッサは、前記受信機を使用することによって前記第1のセルに対応するスペクトルにおいて前記共通制御チャネルを検出する必要があると判断して、前記受信機を使用することによって前記第1のセルにおいて前記共通制御チャネルを検出するようにとくに構成され、ここで前記第1のセルに対応する前記スペクトルは、非ライセンススペクトルである、請求項71〜83のいずれか一項に記載のユーザ機器。
【発明の詳細な説明】
【技術分野】
【０００１】
本発明は、通信の分野に関し、とくには情報伝送方法、基地局、およびユーザ機器に関する。
【背景技術】
【０００２】
スペクトルは、無線通信の基礎である。現時点において、スペクトルの利用のための設計が存在し、すなわちロングタームエボリューション（Long Term Evolution、LTE）システムにおけるデバイスおよび非LTEシステムにおけるデバイス（ワイヤレスフィディリティ（Wireless Fidelity、WiFi）デバイスなど）が、共用スペクトルを一緒に使用することができる。具体的には、LTEシステムにおいて、共用スペクトルを、セル構成の形態において使用することができる。しかしながら、共用スペクトルをセル構成の形態においてどのように適切に使用するのかが、解決すべき緊急の課題である。
【発明の概要】
【０００３】
本発明の実施形態は、セル構成の形態において共用スペクトルを適切に使用するための情報伝送方法、基地局、およびユーザ機器を提供する。
【０００４】
第1の態様によれば、ユーザ機器セット内のユーザ機器に対して第1のセルの共通制御チャネルを第1のセルにおいて検出するように指示するために使用される第1の通知メッセージを生成するステップと、第1の通知メッセージを第2のセルを使用することによってユーザ機器セット内のユーザ機器へと送信するステップと、共通制御チャネルを第1のセルを使用することによってユーザ機器セット内のユーザ機器へと送信するステップと、を含む、情報伝送方法が提供される。
【課題を解決するための手段】
【０００５】
第1の態様に関して、第1の態様の第1の考えられる実施のやり方において、本方法は、第1の通知メッセージを第2のセルを使用することによってユーザ機器セット内のユーザ機器へと送信するステップの前に、第1のセルが利用可能な状態であることを判断するステップをさらに含む。
【０００６】
第1の態様の第1の考えられる実施のやり方に関し、第1の態様の第2の考えられる実施のやり方において、本方法は、第1のセルが利用可能な状態であることを判断するステップの後に、第1のセルにて占有済み信号を送信するステップをさらに含む。
【０００７】
第1の態様の第1または第2の考えられる実施のやり方に関し、第1の態様の第3の考えられる実施のやり方において、第1のセルが利用可能な状態であることを判断するステップは、エネルギ検出および／または信号解析によって第1のセルが利用可能な状態であることを判断するステップを含む。
【０００８】
第1の態様の第1または第2の考えられる実施のやり方に関し、第1の態様の第4の考えられる実施のやり方において、本方法は、ユーザ機器セット内の第1のユーザ機器がエネルギ検出および／または信号解析に従って第1のセルが利用可能な状態であると判断するときに第1のユーザ機器が送信するリスニング報告メッセージを受信するステップをさらに含み、第1のセルが利用可能な状態であることを判断するステップは、リスニング報告メッセージに従って第1のセルが利用可能な状態であることを判断するステップを含む。
【０００９】
第1の態様あるいは第1の態様の第1〜第4の考えられる実施のやり方のうちの任意の1つに関し、第1の態様の第5の考えられる実施のやり方において、本方法は、第1の通知メッセージを第2のセルを使用することによってユーザ機器セット内のユーザ機器へと送信するステップの前に、サービスデータを第1のセルを使用することによってユーザ機器セット内のユーザ機器へと送信する必要があると判断するステップをさらに含み、共通制御チャネルをユーザ機器セット内のユーザ機器へと送信するステップの後に、サービスデータを第1のセルを使用することによってユーザ機器セット内のユーザ機器へと送信するステップをさらに含む。
【００１０】
第1の態様あるいは第1の態様の第1〜第5の考えられる実施のやり方のうちの任意の1つに関し、第1の態様の第6の考えられる実施のやり方において、共通制御チャネルが同期チャネルを含んでおり、ユーザ機器セット内のユーザ機器の同期の性能が同期の要件を満たすことができないと判断される場合に、本方法は、ユーザ機器セット内のユーザ機器に対して第1のセルの同期チャネルを第1のセルにおいて検出するように指示するために使用される第2の通知メッセージを生成するステップと、第2の通知メッセージを第2のセルを使用することによってユーザ機器セット内のユーザ機器へと送信するステップと、第1のセルを使用することによってユーザ機器セット内のユーザ機器へと同期チャネルを送信するステップとをさらに含む。
【００１１】
第1の態様あるいは第1の態様の第1〜第6の考えられる実施のやり方のうちの任意の1つに関し、第1の態様の第7の考えられる実施のやり方において、共通制御チャネルにて運ばれる共通制御情報が更新されるときに、本方法は、更新された共通制御情報を運ぶために使用される更新された共通制御チャネルを第1のセルにおいて検出するようにユーザ機器セット内のユーザ機器に対して指示するために使用される第3の通知メッセージを生成するステップと、第3の通知メッセージを第2のセルを使用することによってユーザ機器セット内のユーザ機器へと送信するステップと、更新された共通制御チャネルを第1のセルを使用することによってユーザ機器セット内のユーザ機器へと送信するステップとをさらに含む。
【００１２】
第1の態様あるいは第1の態様の第1〜第5の考えられる実施のやり方のうちの任意の1つに関し、第1の態様の第8の考えられる実施のやり方において、共通制御チャネルをユーザ機器セット内のユーザ機器へと送信するステップは、共通制御チャネルをユーザ機器セット内のユーザ機器へと定期的に送信するステップを含み、本方法は、第1のセルが別のデバイスによって占められていると判断されるときに、ユーザ機器セット内のユーザ機器に対して共通制御チャネルの検出の停止を指示するために使用されるストップ検出メッセージを生成するステップと、ストップ検出メッセージを第2のセルを使用することによってユーザ機器セット内のユーザ機器へと送信するステップとをさらに含む。
【００１３】
第1の態様の第8の考えられる実施のやり方に関し、第1の態様の第9の考えられる実施のやり方において、ストップ検出メッセージを第2のセルを使用することによってユーザ機器セット内のユーザ機器へと送信するステップの後に、本方法は、第1のセルが利用可能な状態であることを判断するステップと、ユーザ機器セット内のユーザ機器に対して第1のセルの共通制御チャネルを第1のセルにおいて検出するように指示するために使用される第4の通知メッセージを生成するステップと、第4の通知メッセージを第2のセルを使用することによってユーザ機器セット内のユーザ機器へと送信するステップと、第1のセルを使用することによってユーザ機器セット内のユーザ機器へと共通制御チャネルを定期的に送信するステップとをさらに含む。
【００１４】
第1の態様あるいは第1の態様の第1〜第9の考えられる実施のやり方のうちの任意の1つに関し、第1の態様の第10の考えられる実施のやり方において、第1の通知メッセージは、共通制御チャネルの復調に必要な情報を含む。
【００１５】
第1の態様あるいは第1の態様の第1〜第10の考えられる実施のやり方のうちの任意の1つに関し、第1の態様の第11の考えられる実施のやり方において、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【００１６】
第1の態様あるいは第1の態様の第1〜第11の考えられる実施のやり方のうちの任意の1つに関し、第1の態様の第12の考えられる実施のやり方において、第1の通知メッセージは、物理層シグナリングを使用することによって運ばれ、第2のセルの共通サーチ空間において運ばれ、あるいは第1の通知メッセージは、物理層シグナリングを使用することによって運ばれ、ユーザ機器セット内のユーザ機器ごとのサーチ空間において運ばれる。
【００１７】
第1の態様あるいは第1の態様の第1〜第12の考えられる実施のやり方のうちの任意の1つに関し、第1の態様の第13の考えられる実施のやり方において、第1の通知メッセージを第2のセルを使用することによってユーザ機器セット内のユーザ機器へと送信するステップは、第2のセルに対応するスペクトルを使用することによってユーザ機器セット内のユーザ機器へと第1の通知メッセージを送信するステップを含み、ここで第2のセルに対応するスペクトルは、ライセンススペクトル（licensed spectrum）であり、かつ／または共通制御チャネルを第1のセルを使用することによってユーザ機器セット内のユーザ機器へと送信するステップは、第1のセルに対応するスペクトルを使用することによってユーザ機器セット内のユーザ機器へと共通制御チャネルを送信するステップを含み、ここで第1のセルに対応するスペクトルは、非ライセンススペクトル（unlicensed spectrum）である。
【００１８】
第2の態様によれば、基地局によって第2のセルにて送信され、第1のセルの共通制御チャネルを第1のセルにおいて検出するように指示するために使用される第1の通知メッセージを、受信するステップと、第1の通知メッセージにもとづいて、共通制御チャネルを第1のセルにおいて検出する必要があると判断するステップと、第1のセルにおいて共通制御チャネルを検出するステップとを含む情報伝送方法が提供される。
【００１９】
第2の態様に関し、第2の態様の第1の考えられる実施のやり方において、基地局によって第2のセルにて送信される第1の通知メッセージを受信するステップは、基地局が第1のセルが利用可能な状態であると判断するときに基地局によって送信される第1の通知メッセージを受信するステップを含む。
【００２０】
第2の態様の第1の考えられる実施のやり方に関し、第2の態様の第2の考えられる実施のやり方において、基地局によって第2のセルにて送信される第1の通知メッセージを受信するステップの前に、本方法は、エネルギ検出および／または信号解析に従って第1のセルが利用可能な状態であると判断するステップと、第1のセルが利用可能な状態であることを判断するために基地局によって使用されるリスニング報告メッセージを生成するステップと、リスニング報告メッセージを基地局へと送信するステップとをさらに含む。
【００２１】
第2の態様あるいは第2の態様の第1または第2の考えられる実施のやり方に関し、第2の態様の第3の考えられる実施のやり方において、本方法は、第1のセルにて基地局によって送信されるサービスデータを受信するステップをさらに含む。
【００２２】
第2の態様あるいは第2の態様の第1〜第3の考えられる実施のやり方のうちの任意の1つに関し、第2の態様の第4の考えられる実施のやり方において、本方法は、基地局によって第2のセルにて送信される第2の通知メッセージであって、基地局がユーザ機器の同期の性能が同期の要件を満たすことができないと判断するときに基地局によって送信され、第1のセルの同期チャネルを第1のセルにおいて検出するように指示するために使用される第2の通知メッセージを、受信するステップと、第2の通知メッセージにもとづいて第1のセルの同期チャネルを第1のセルにおいて検出するステップとをさらに含む。
【００２３】
第2の態様あるいは第2の態様の第1〜第4の考えられる実施のやり方のうちの任意の1つに関し、第2の態様の第5の考えられる実施のやり方において、本方法は、基地局によって第2のセルにて送信される第3の通知メッセージであって、共通制御チャネルにて運ばれる共通制御情報が更新されたと基地局が判断するときに基地局によって送信され、第1のセルの更新された共通制御情報を運ぶために使用される更新された共通制御チャネルを第1のセルにおいて検出するように指示するために使用される第3の通知メッセージを、受信するステップと、第3の通知メッセージにもとづいて更新された共通制御チャネルを第1のセルにおいて検出するステップとをさらに含む。
【００２４】
第2の態様あるいは第2の態様の第1〜第3の考えられる実施のやり方のうちの任意の1つに関し、第2の態様の第6の考えられる実施のやり方において、第1のセルにおいて共通制御チャネルを検出するステップは、第1のセルにおいて共通制御チャネルを定期的に検出するステップと、基地局によって第2のセルにて送信されるストップ検出メッセージであって、第1のセルが別のデバイスによって占められていると基地局が判断するときに基地局によって送信され、共通制御チャネルの検出を停止するように指示するために使用されるストップ検出メッセージを、受信するステップと、ストップ検出メッセージにもとづいて、第1のセルにおける共通制御チャネルの検出を停止するステップとを含む。
【００２５】
第2の態様の第6の考えられる実施のやり方に関し、第2の態様の第7の考えられる実施のやり方において、第1のセルにおける共通制御チャネルの検出を停止するステップの後に、本方法は、第1のセルが利用可能な状態であると基地局が判断するときに基地局によって送信され、第1のセルの共通制御チャネルを第1のセルにおいて検出するように指示するために使用される第4の通知メッセージを、受信するステップと、第4の通知メッセージにもとづいて第1のセルにおいて共通制御チャネルを定期的に検出するステップとをさらに含む。
【００２６】
第2の態様あるいは第2の態様の第1〜第7の考えられる実施のやり方のうちの任意の1つに関し、第2の態様の第8の考えられる実施のやり方において、第1の通知メッセージは、共通制御チャネルの復調に必要な情報を運び、共通制御チャネルを第1のセルにおいて検出する必要があると判断するステップは、共通制御チャネルの復調に必要な情報にもとづいて共通制御チャネルを第1のセルにおいて検出する必要があると判断するステップを含み、第1のセルにおいて共通制御チャネルを検出するステップは、共通制御チャネルの復調に必要な情報にもとづいて第1のセルにおいて共通制御チャネルを検出するステップを含む。
【００２７】
第2の態様あるいは第2の態様の第1〜第7の考えられる実施のやり方のうちの任意の1つに関し、第2の態様の第9の考えられる実施のやり方において、第1のセルにおいて共通制御チャネルを検出するステップは、ブラインド検出によって第1のセルにおいて共通制御チャネルを検出するステップを含む。
【００２８】
第2の態様あるいは第2の態様の第1〜第9の考えられる実施のやり方のうちの任意の1つに関し、第2の態様の第10の考えられる実施のやり方において、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【００２９】
第2の態様の第10の考えられる実施のやり方に関し、第2の態様の第11の考えられる実施のやり方において、共通制御チャネルが、測定の実行のための参照信号を運ぶ共通制御チャネルを含む場合に、本方法は、測定の実行のための参照信号に従ってチャネル情報状態CSIの測定および／または無線リソース管理RRMの測定を実行するステップをさらに含む。
【００３０】
第2の態様あるいは第2の態様の第1〜第11の考えられる実施のやり方のうちの任意の1つに関し、第2の態様の第12の考えられる実施のやり方において、第1の通知メッセージは、物理層シグナリングを使用することによって運ばれ、第2のセルの共通サーチ空間において運ばれ、あるいは第1の通知メッセージは、物理層シグナリングを使用することによって運ばれ、ユーザ機器ごとのサーチ空間において運ばれる。
【００３１】
第2の態様あるいは第2の態様の第1〜第12の考えられる実施のやり方のうちの任意の1つに関し、第2の態様の第13の考えられる実施のやり方において、基地局によって第2のセルにて送信される第1の通知メッセージを受信するステップは、第2のセルに対応するスペクトルにおいて基地局によって送信される第1の通知メッセージを受信するステップを含み、ここで第2のセルに対応するスペクトルは、ライセンススペクトルであり、共通制御チャネルを第1のセルにおいて検出する必要があると判断するステップは、共通制御チャネルを第1のセルに対応するスペクトルにおいて検出する必要があると判断するステップを含み、第1のセルにおいて共通制御チャネルを検出するステップは、第1のセルに対応するスペクトルにおいて共通制御チャネルを検出するステップを含み、ここで第1のセルに対応するスペクトルは、非ライセンススペクトルである。
【００３２】
第3の態様によれば、ユーザ機器セット内のユーザ機器に対して第1のセルの共通制御チャネルを第1のセルにおいて検出するように指示するために使用される第1の通知メッセージを生成するように構成された生成ユニットと、生成ユニットによって生成された第1の通知メッセージを第2のセルを使用することによってユーザ機器セット内のユーザ機器へと送信するように構成された送信ユニットと、を備えており、送信ユニットは、共通制御チャネルを第1のセルを使用することによってユーザ機器セット内のユーザ機器へと送信するようにさらに構成されている、基地局が提供される。
【００３３】
第3の態様に関し、第3の態様の第1の考えられる実施のやり方において、第1の判断ユニットが、送信ユニットが第1の通知メッセージを第2のセルを使用することによってユーザ機器セット内のユーザ機器へと送信する前に、第1のセルが利用可能な状態であることを判断するように構成される。
【００３４】
第3の態様の第1の考えられる実施のやり方に関し、第3の態様の第2の考えられる実施のやり方において、送信ユニットは、第1の判断ユニットが第1のセルが利用可能な状態であると判断した後で、第1のセルにて占有済み信号を送信するようにさらに構成される。
【００３５】
第3の態様の第1または第2の考えられる実施のやり方に関し、第3の態様の第3の考えられる実施のやり方において、本基地局は、受信ユニットをさらに備え、第1の判断ユニットは、受信ユニットによって受信された信号についてエネルギ検出および／または信号解析を実行することによって第1のセルが利用可能な状態であることを判断するようにとくに構成される。
【００３６】
第3の態様の第1または第2の考えられる実施のやり方に関し、第3の態様の第4の考えられる実施のやり方において、本基地局は、ユーザ機器セット内の第1のユーザ機器がエネルギ検出および／または信号解析に従って第1のセルが利用可能な状態であると判断するときに第1のユーザ機器によって送信されるリスニング報告メッセージを受信するように構成された受信ユニットをさらに備え、第1の判断ユニットは、受信ユニットによって受信されたリスニング報告メッセージに従って第1のセルが利用可能な状態であることを判断するようにとくに構成される。
【００３７】
第3の態様あるいは第3の態様の第1〜第4の考えられる実施のやり方のうちの任意の1つに関し、第3の態様の第5の考えられる実施のやり方において、本基地局は、第2の判断ユニットをさらに備え、第2の判断ユニットは、送信ユニットが第1の通知メッセージを第2のセルを使用することによってユーザ機器セット内のユーザ機器へと送信する前に、送信ユニットがサービスデータを第1のセルを使用することによってユーザ機器セット内のユーザ機器へと送信する必要があると判断するようにとくに構成され、送信ユニットは、共通制御チャネルをユーザ機器セット内のユーザ機器へと送信した後で、サービスデータを第1のセルを使用することによってユーザ機器セット内のユーザ機器へと送信するようにさらに構成される。
【００３８】
第3の態様あるいは第3の態様の第1〜第5の考えられる実施のやり方のうちの任意の1つに関し、第3の態様の第6の考えられる実施のやり方において、本基地局は、第3の判断ユニットをさらに備え、第3の判断ユニットは、共通制御チャネルが同期チャネルを含んでいる場合に、ユーザ機器セット内のユーザ機器の同期の性能が同期の要件を満たすことができるか否かを判断するように構成され、生成ユニットは、ユーザ機器セット内のユーザ機器の同期の性能が同期の要件を満たすことができないと第3の判断ユニットが判断する場合に、ユーザ機器セット内のユーザ機器に対して第1のセルの同期チャネルを第1のセルにおいて検出するように指示するために使用される第2の通知メッセージを生成するようにさらに構成され、送信ユニットは、生成ユニットによって生成された第2の通知メッセージを第2のセルを使用することによってユーザ機器セット内のユーザ機器へと送信し、同期チャネルを第1のセルを使用することによってユーザ機器セット内のユーザ機器へと送信するようにさらに構成される。
【００３９】
第3の態様あるいは第3の態様の第1〜第6の考えられる実施のやり方のうちの任意の1つに関し、第3の態様の第7の考えられる実施のやり方において、本基地局は、第4の判断ユニットをさらに備え、第4の判断ユニットは、共通制御チャネルにて運ばれる共通制御情報が更新されたことを判断するように構成され、生成ユニットは、第4の判断ユニットが共通制御チャネルにて運ばれる共通制御情報が更新されたと判断した後で、第1のセルの更新された共通制御情報を運ぶために使用される更新された共通制御チャネルを第1のセルにおいて検出するようにユーザ機器セット内のユーザ機器に対して指示するために使用される第3の通知メッセージを生成するようにさらに構成され、送信ユニットは、生成ユニットによって生成された第3の通知メッセージを第2のセルを使用することによってユーザ機器セット内のユーザ機器へと送信し、更新された共通制御チャネルを第1のセルを使用することによってユーザ機器セット内のユーザ機器へと送信するようにさらに構成される。
【００４０】
第3の態様あるいは第3の態様の第1〜第5の考えられる実施のやり方のうちの任意の1つに関し、第3の態様の第8の考えられる実施のやり方において、送信ユニットは、共通制御チャネルをユーザ機器セット内のユーザ機器へと定期的に送信するようにとくに構成され、生成ユニットは、第1のセルが別のデバイスによって占められていると第1の判断ユニットが判断するときに、ユーザ機器セット内のユーザ機器に対して共通制御チャネルの検出の停止を指示するために使用されるストップ検出メッセージを生成するようにさらに構成され、送信ユニットは、ストップ検出メッセージを第2のセルを使用することによってユーザ機器セット内のユーザ機器へと送信するようにさらに構成される。
【００４１】
第3の態様の第8の考えられる実施のやり方に関し、第3の態様の第9の考えられる実施のやり方において、生成ユニットは、送信ユニットがストップ検出メッセージを送信し、第1の判断ユニットが第1のセルが利用可能な状態であると判断した後で、ユーザ機器セット内のユーザ機器に対して第1のセルの共通制御チャネルを第1のセルにおいて検出するように指示するために使用される第4の通知メッセージを生成するようにさらに構成され、送信ユニットは、生成ユニットによって生成された第4の通知メッセージを送信し、第1のセルを使用することによってユーザ機器セット内のユーザ機器へと共通制御チャネルを定期的に送信するようにさらに構成される。
【００４２】
第3の態様あるいは第3の態様の第1〜第9の考えられる実施のやり方のうちの任意の1つに関し、第3の態様の第10の考えられる実施のやり方において、生成ユニットによって生成された第1の通知メッセージは、共通制御チャネルの復調に必要な情報を含む。
【００４３】
第3の態様あるいは第3の態様の第1〜第10の考えられる実施のやり方のうちの任意の1つに関し、第3の態様の第11の考えられる実施のやり方において、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【００４４】
第3の態様あるいは第3の態様の第1〜第11の考えられる実施のやり方のうちの任意の1つに関し、第3の態様の第12の考えられる実施のやり方において、第1の通知メッセージは、物理層シグナリングを使用することによって運ばれ、第2のセルの共通サーチ空間において運ばれ、あるいは第1の通知メッセージは、物理層シグナリングを使用することによって運ばれ、ユーザ機器セット内のユーザ機器ごとのサーチ空間において運ばれる。
【００４５】
第3の態様あるいは第3の態様の第1〜第12の考えられる実施のやり方のうちの任意の1つに関し、第3の態様の第13の考えられる実施のやり方において、送信ユニットは、第2のセルに対応するスペクトルを使用することによってユーザ機器セット内のユーザ機器へと生成ユニットによって生成された第1の通知メッセージを送信するようにとくに構成され、ここで第2のセルに対応するスペクトルは、ライセンススペクトルであり、かつ／または送信ユニットは、第1のセルに対応するスペクトルを使用することによってユーザ機器セット内のユーザ機器へと共通制御チャネルを送信するようにとくに構成され、ここで第1のセルに対応するスペクトルは、非ライセンススペクトルである。
【００４６】
第4の態様によれば、基地局によって第2のセルにて送信され、第1のセルの共通制御チャネルを第1のセルにおいて検出するように指示するために使用される第1の通知メッセージを、受信するように構成された受信ユニットと、受信ユニットによって受信された第1の通知メッセージにもとづいて、検出ユニットが共通制御チャネルを第1のセルにおいて検出する必要があることを判断するように構成された判断ユニットと、共通制御チャネルを第1のセルにおいて検出するように構成された検出ユニットとを備えるユーザ機器が提供される。
【００４７】
第4の態様に関し、第4の態様の第1の考えられる実施のやり方において、受信ユニットは、基地局が第1のセルが利用可能な状態であると判断するときに基地局によって送信される第1の通知メッセージを受信するようにとくに構成される。
【００４８】
第4の態様の第1の考えられる実施のやり方に関し、第4の態様の第2の考えられる実施のやり方において、判断ユニットは、エネルギ検出および／または信号解析によって第1のセルが利用可能な状態であると判断するようにさらに構成され、本ユーザ機器は、生成ユニットおよび送信ユニットをさらに備え、生成ユニットは、判断ユニットが第1のセルが利用可能な状態であると判断した後に、基地局によって第1のセルが利用可能な状態であることを判断するために使用されるリスニング報告メッセージを生成するように構成され、送信ユニットは、生成ユニットによって生成されたリスニング報告メッセージを基地局へと送信するように構成される。
【００４９】
第4の態様あるいは第4の態様の第1または第2の考えられる実施のやり方に関し、第4の態様の第3の考えられる実施のやり方において、受信ユニットは、基地局によって送信されたサービスデータを第1のセルにて受信するようにさらに構成される。
【００５０】
第4の態様あるいは第4の態様の第1〜第3の考えられる実施のやり方のうちの任意の1つに関し、第4の態様の第4の考えられる実施のやり方において、受信ユニットは、第1のセルに対応するスペクトルにおいて基地局によって送信される第2の通知メッセージを受信するようにさらに構成され、ここで第2の通知メッセージは、当該ユーザ機器の同期の性能が同期の要件を満たすことができないと基地局が判断するときに基地局によって送信され、第2のセルに対応するスペクトルの同期チャネルを第2のセルに対応するスペクトルにおいて検出するように指示するために使用され、判断ユニットは、受信ユニットによって受信された第2の通知メッセージにもとづいて、検出ユニットが第2のセルに対応するスペクトルの同期チャネルを第2のセルに対応するスペクトルにおいて検出する必要があると判断するようにさらに構成され、検出ユニットは、第2のセルに対応するスペクトルの同期チャネルを第2のセルに対応するスペクトルにおいて検出するようにさらに構成される。
【００５１】
第4の態様あるいは第4の態様の第1〜第4の考えられる実施のやり方のうちの任意の1つに関し、第4の態様の第5の考えられる実施のやり方において、受信ユニットは、基地局によって第2のセルにて送信される第3の通知メッセージを受信するようにさらに構成され、第3の通知メッセージは、共通制御チャネルにて運ばれる共通制御情報が更新されたと基地局が判断する場合に基地局によって送信され、第3の通知メッセージは、第1のセルの更新された共通制御情報を運ぶために使用される更新された共通制御チャネルを第1のセルにおいて検出するように指示するために使用され、判断ユニットは、受信ユニットによって受信された第3の通知メッセージにもとづいて、検出ユニットが更新された共通制御チャネルを第1のセルにおいて検出する必要があると判断するようにさらに構成され、検出ユニットは、更新された共通制御チャネルを第1のセルにおいて検出するようにさらに構成される。
【００５２】
第4の態様あるいは第4の態様の第1〜第3の考えられる実施のやり方のうちの任意の1つに関し、第4の態様の第6の考えられる実施のやり方において、検出ユニットは、受信ユニットによって受信された第1の通知メッセージにもとづいて第1のセルにおいて共通制御チャネルを定期的に検出するようにとくに構成され、受信ユニットは、基地局によって第2のセルにて送信されるストップ検出メッセージを受信するようにさらに構成され、ストップ検出メッセージは、第1のセルが別のデバイスによって占められていると基地局が判断するときに基地局によって送信され、共通制御チャネルの検出の停止を指示するために使用され、判断ユニットは、受信ユニットによって受信されたストップ検出メッセージにもとづいて、検出ユニットが第1のセルにおける共通制御チャネルの検出を停止する必要があると判断するようにさらに構成され、検出ユニットは、第1のセルにおける共通制御チャネルの検出を停止するようにさらに構成される。
【００５３】
第4の態様の第6の考えられる実施のやり方に関し、第4の態様の第7の考えられる実施のやり方において、受信ユニットは、第1のセルにおける共通制御チャネルの検出の停止後に、第1のセルが利用可能な状態であると基地局が判断するときに基地局によって送信され、第1のセルの共通制御チャネルを第1のセルにおいて検出するように指示するために使用される第4の通知メッセージを受信するようにさらに構成され、判断ユニットは、受信ユニットによって受信された第4の通知メッセージにもとづいて、検出ユニットが第1のセルにおいて共通制御チャネルを定期的に検出する必要があると判断するようにさらに構成され、検出ユニットは、第1のセルにおいて共通制御チャネルを定期的に検出するようにさらに構成される。
【００５４】
第4の態様あるいは第4の態様の第1〜第7の考えられる実施のやり方のうちの任意の1つに関し、第4の態様の第8の考えられる実施のやり方において、第1の通知メッセージは、共通制御チャネルの復調に必要な情報を運び、判断ユニットは、第1の通知メッセージにもとづいて、検出ユニットが共通制御チャネルの復調に必要な情報にもとづいて第1のセルにおいて共通制御チャネルを検出する必要があると判断するようにとくに構成され、検出ユニットは、共通制御チャネルの復調に必要な情報にもとづいて第1のセルにおいて共通制御チャネルを検出するようにとくに構成される。
【００５５】
第4の態様あるいは第4の態様の第1〜第8の考えられる実施のやり方のうちの任意の1つに関し、第4の態様の第9の考えられる実施のやり方において、判断ユニットは、受信ユニットによって受信された第1の通知メッセージにもとづいて、検出ユニットがブラインド検出によって第1のセルにおいて共通制御チャネルを検出する必要があると判断するように構成され、検出ユニットは、ブラインド検出によって第1のセルにおいて共通制御チャネルを検出するようにとくに構成される。
【００５６】
第4の態様あるいは第4の態様の第1〜第9の考えられる実施のやり方のうちの任意の1つに関し、第4の態様の第10の考えられる実施のやり方において、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【００５７】
第4の態様の第10の考えられる実施のやり方に関し、第4の態様の第11の考えられる実施のやり方において、本ユーザ機器は、測定ユニットをさらに備え、測定ユニットは、検出ユニットによって検出された共通制御チャネルが測定の実行のための参照信号を運ぶ共通制御チャネルを含む場合に、該測定の実行のための参照信号に従ってチャネル状態CSIの測定および／または無線リソース管理RRMの測定を実行するように構成される。
【００５８】
第4の態様あるいは第4の態様の第1〜第11の考えられる実施のやり方のうちの任意の1つに関し、第4の態様の第12の考えられる実施のやり方において、第1の通知メッセージは、物理層シグナリングを使用することによって運ばれ、第2のセルの共通サーチ空間において運ばれ、あるいは第1の通知メッセージは、物理層シグナリングを使用することによって運ばれ、ユーザ機器ごとのサーチ空間において運ばれる。
【００５９】
第4の態様あるいは第4の態様の第1〜第12の考えられる実施のやり方のうちの任意の1つに関し、第4の態様の第13の考えられる実施のやり方において、受信ユニットは、第2のセルに対応するスペクトルにおいて基地局によって送信された第1の通知メッセージを受信するようにとくに構成され、ここで第2のセルに対応するスペクトルは、ライセンススペクトルであり、かつ／または判断ユニットは、検出ユニットが第1のセルに対応するスペクトルにおいて共通制御チャネルを検出する必要があると判断するようにとくに構成され、検出ユニットは、第1のセルに対応するスペクトルにおいて共通制御チャネルを検出するようにとくに構成され、ここで第1のセルに対応するスペクトルは、非ライセンススペクトルである。
【００６０】
第5の態様によれば、プロセッサと、送信機とを備えており、プロセッサは、ユーザ機器セット内のユーザ機器に対して第1のセルの共通制御チャネルを第1のセルにおいて検出するように指示するために使用される第1の通知メッセージを生成するように構成され、送信機は、プロセッサによって生成された第1の通知メッセージを第2のセルを使用することによってユーザ機器セット内のユーザ機器へと送信し、共通制御チャネルを第1のセルを使用することによってユーザ機器セット内のユーザ機器へと送信するよう構成されている、基地局が提供される。
【００６１】
第5の態様に関し、第5の態様の第1の実施のやり方において、送信機が第1の通知メッセージを第2のセルを使用することによってユーザ機器セット内のユーザ機器へと送信する前に、プロセッサは、第1のセルが利用可能な状態であることを判断するようにさらに構成される。
【００６２】
第5の態様の第1の考えられる実施のやり方に関し、第5の態様の第2の考えられる実施のやり方において、送信機は、プロセッサが第1のセルが利用可能な状態であると判断した後で、第1のセルにて占有済み信号を送信するようにさらに構成される。
【００６３】
第5の態様の第1または第2の考えられる実施のやり方に関し、第5の態様の第3の考えられる実施のやり方において、本基地局は、受信機をさらに備え、プロセッサは、受信機によって受信された信号についてエネルギ検出および／または信号解析を実行することによって第1のセルが利用可能な状態であることを判断するようにとくに構成される。
【００６４】
第5の態様の第1または第2の考えられる実施のやり方に関し、第5の態様の第4の考えられる実施のやり方において、本基地局は、ユーザ機器セット内の第1のユーザ機器がエネルギ検出および／または信号解析に従って第1のセルが利用可能な状態であると判断するときに第1のユーザ機器によって送信されるリスニング報告メッセージを受信するように構成された受信機をさらに備え、プロセッサは、受信機によって受信されたリスニング報告メッセージに従って第1のセルが利用可能な状態であることを判断するようにとくに構成される。
【００６５】
第5の態様あるいは第5の態様の第1〜第4の考えられる実施のやり方のうちの任意の1つに関し、第5の態様の第5の考えられる実施のやり方において、プロセッサは、送信機が第1の通知メッセージを第2のセルを使用することによってユーザ機器セット内のユーザ機器へと送信する前に、サービスデータを第1のセルを使用することによってユーザ機器セット内のユーザ機器へと送信する必要があることを判断するようにさらに構成され、送信機は、共通制御チャネルをユーザ機器セット内のユーザ機器へと送信した後で、サービスデータを第1のセルを使用することによってユーザ機器セット内のユーザ機器へと送信するようにさらに構成される。
【００６６】
第5の態様あるいは第5の態様の第1〜第5の考えられる実施のやり方のうちの任意の1つに関し、第5の態様の第6の考えられる実施のやり方において、プロセッサは、共通制御チャネルが同期チャネルを含んでいる場合に、ユーザ機器セット内のユーザ機器の同期の性能が同期の要件を満たすことができるか否かを判断し、ユーザ機器セット内のユーザ機器の同期の性能が同期の要件を満たすことができないと判断する場合に、ユーザ機器セット内のユーザ機器に対して第1のセルの同期チャネルを第1のセルにおいて検出するように指示するために使用される第2の通知メッセージを生成するようにさらに構成され、送信機は、プロセッサによって生成された第2の通知メッセージを第2のセルを使用することによってユーザ機器セット内のユーザ機器へと送信し、同期チャネルを第1のセルを使用することによってユーザ機器セット内のユーザ機器へと送信するようにさらに構成される。
【００６７】
第5の態様あるいは第5の態様の第1〜第6の考えられる実施のやり方のうちの任意の1つに関し、第5の態様の第7の考えられる実施のやり方において、プロセッサは、共通制御チャネルにて運ばれる共通制御情報が更新されたと判断し、第1のセルの更新された共通制御情報を運ぶために使用される更新された共通制御チャネルを第1のセルにおいて検出するようにユーザ機器セット内のユーザ機器に対して指示するために使用される第3の通知メッセージを生成するようにさらに構成され、送信機は、プロセッサによって生成された第3の通知メッセージを第2のセルを使用することによってユーザ機器セット内のユーザ機器へと送信し、更新された共通制御チャネルを第1のセルを使用することによってユーザ機器セット内のユーザ機器へと送信するようにさらに構成される。
【００６８】
第5の態様あるいは第5の態様の第1〜第5の考えられる実施のやり方のうちの任意の1つに関し、第5の態様の第8の考えられる実施のやり方において、送信機は、共通制御チャネルをユーザ機器セット内のユーザ機器へと定期的に送信するようにとくに構成され、プロセッサは、第1のセルが別のデバイスによって占められているか否かを判断し、第1のセルが別のデバイスによって占められていると該プロセッサが判断するときに、ユーザ機器セット内のユーザ機器に対して共通制御チャネルの検出の停止を指示するために使用されるストップ検出メッセージを生成するようにさらに構成され、送信機は、プロセッサによって生成されたストップ検出メッセージを第2のセルを使用することによってユーザ機器セット内のユーザ機器へと送信するようにさらに構成される。
【００６９】
第5の態様の第8の考えられる実施のやり方に関し、第5の態様の第9の考えられる実施のやり方において、プロセッサは、送信機がストップ検出メッセージを送信した後に、第1のセルが利用可能な状態であると判断し、ユーザ機器セット内のユーザ機器に対して第1のセルの共通制御チャネルを第1のセルにおいて検出するように指示するために使用される第4の通知メッセージを生成するようにさらに構成され、送信機は、プロセッサによって生成された第4の通知メッセージを第2のセルを使用することによってユーザ機器セット内のユーザ機器へと送信し、第1のセルを使用することによってユーザ機器セット内のユーザ機器へと共通制御チャネルを定期的に送信するようにさらに構成される。
【００７０】
第5の態様あるいは第5の態様の第1〜第9の考えられる実施のやり方のうちの任意の1つに関し、第5の態様の第10の考えられる実施のやり方において、プロセッサによって生成された第1の通知メッセージは、共通制御チャネルの復調に必要な情報を含む。
【００７１】
第5の態様あるいは第5の態様の第1〜第10の考えられる実施のやり方のうちの任意の1つに関し、第5の態様の第11の考えられる実施のやり方において、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【００７２】
第5の態様あるいは第5の態様の第1〜第11の考えられる実施のやり方のうちの任意の1つに関し、第5の態様の第12の考えられる実施のやり方において、第1の通知メッセージは、物理層シグナリングを使用することによって運ばれ、第2のセルの共通サーチ空間において運ばれ、あるいは第1の通知メッセージは、物理層シグナリングを使用することによって運ばれ、ユーザ機器セット内のユーザ機器ごとのサーチ空間において運ばれる。
【００７３】
第5の態様あるいは第5の態様の第1〜第12の考えられる実施のやり方のうちの任意の1つに関し、第5の態様の第13の考えられる実施のやり方において、送信機は、第2のセルに対応するスペクトルを使用することによってユーザ機器セット内のユーザ機器へとプロセッサによって生成された第1の通知メッセージを送信するようにとくに構成され、ここで第2のセルに対応するスペクトルは、ライセンススペクトルであり、かつ／または送信機は、第1のセルに対応するスペクトルを使用することによってユーザ機器セット内のユーザ機器へと共通制御チャネルを送信するようにとくに構成され、ここで第1のセルに対応するスペクトルは、非ライセンススペクトルである。
【００７４】
第6の態様によれば、基地局によって第2のセルにて送信され、第1のセルの共通制御チャネルを第1のセルにおいて検出するように指示するために使用される第1の通知メッセージを、受信するように構成された受信機と、受信機によって受信された第1の通知メッセージにもとづいて、受信機を使用することによって第1のセルにおいて共通制御チャネルを検出する必要があることを判断するように構成されたプロセッサと、を備えており、プロセッサは、受信機を使用することによって第1のセルにおいて共通制御チャネルを検出するようにさらに構成されている、ユーザ機器が提供される。
【００７５】
第6の態様に関し、第6の態様の第1の考えられる実施のやり方において、受信機は、基地局が第1のセルが利用可能な状態であると判断するときに基地局によって送信される第1の通知メッセージを受信するようにとくに構成される。
【００７６】
第6の態様の第1の考えられる実施のやり方に関し、第6の態様の第2の考えられる実施のやり方において、プロセッサは、受信機によって受信された信号についてエネルギ検出および／または信号解析を実行することによって第1のセルが利用可能な状態であると判断して、第1のセルが利用可能な状態であることを示すために使用されるリスニング報告メッセージを生成するようにさらに構成され、本ユーザ機器は、送信機をさらに備え、送信機は、プロセッサが第1のセルが利用可能な状態であると判断するときにリスニング報告メッセージを基地局へと送信するように構成される。
【００７７】
第6の態様あるいは第6の態様の第1または第2の考えられる実施のやり方に関し、第6の態様の第3の考えられる実施のやり方において、受信機は、基地局によって送信されたサービスデータを第1のセルにて受信するようにさらに構成される。
【００７８】
第6の態様あるいは第6の態様の第1〜第3の考えられる実施のやり方のうちの任意の1つに関し、第6の態様の第4の考えられる実施のやり方において、受信機は、基地局によって第2のセルにて送信される第2の通知メッセージを受信するようにさらに構成され、ここで第2の通知メッセージは、当該ユーザ機器の同期の性能が同期の要件を満たすことができないと基地局が判断するときに基地局によって送信され、第1のセルの同期チャネルを第1のセルにおいて検出するように指示するために使用され、プロセッサは、受信機によって受信された第2の通知メッセージにもとづいて、第1のセルの同期チャネルを受信機を使用することによって第1のセルにおいて検出する必要があると判断するようにさらに構成され、プロセッサは、受信機を使用することによって第1のセルにおいて第1のセルの同期チャネルを検出するようにさらに構成される。
【００７９】
第6の態様あるいは第6の態様の第1〜第4の考えられる実施のやり方のうちの任意の1つに関し、第6の態様の第5の考えられる実施のやり方において、受信機は、基地局によって第2のセルにて送信される第3の通知メッセージを受信するようにさらに構成され、第3の通知メッセージは、共通制御チャネルにて運ばれる共通制御情報が更新されたと基地局が判断する場合に基地局によって送信され、第3の通知メッセージは、第1のセルの更新された共通制御情報を運ぶために使用される更新された共通制御チャネルを第1のセルにおいて検出するように指示するために使用され、プロセッサは、受信機によって受信された第3の通知メッセージにもとづいて、更新された共通制御チャネルを受信機を使用することによって第1のセルにおいて検出する必要があると判断するようにさらに構成され、プロセッサは、第1のセルの更新された共通制御チャネルを受信機を使用することによって第1のセルにおいて検出するようにさらに構成される。
【００８０】
第6の態様あるいは第6の態様の第1〜第3の考えられる実施のやり方のうちの任意の1つに関し、第6の態様の第6の考えられる実施のやり方において、プロセッサは、受信機によって受信された第1の通知メッセージにもとづいて受信機を使用することによって第1のセルにおいて共通制御チャネルを定期的に検出する必要があると判断するようにとくに構成され、受信機は、基地局によって第2のセルにて送信されるストップ検出メッセージを受信するようにさらに構成され、ストップ検出メッセージは、第1のセルが別のデバイスによって占められていると基地局が判断するときに基地局によって送信され、共通制御チャネルの検出の停止を指示するために使用され、プロセッサは、受信機によって受信されたストップ検出メッセージにもとづいて、受信機を使用することによる第1のセルにおける共通制御チャネルの検出を停止する必要があると判断するようにさらに構成され、プロセッサは、受信機を使用することによる第1のセルにおける共通制御チャネルの検出を停止するようにさらに構成される。
【００８１】
第6の態様の第6の考えられる実施のやり方に関し、第6の態様の第7の考えられる実施のやり方において、受信機は、プロセッサが受信機を使用することによる第1のセルにおける共通制御チャネルの検出を停止させた後に、第1のセルが利用可能な状態であると基地局が判断するときに基地局によって送信され、第1のセルの共通制御チャネルを第1のセルにおいて検出するように指示するために使用される第4の通知メッセージを受信するようにさらに構成され、プロセッサは、受信機によって受信された第4の通知メッセージにもとづいて、受信機を使用することによって第1のセルにおいて共通制御チャネルを定期的に検出する必要があると判断するようにさらに構成され、プロセッサは、受信機を使用することによって第1のセルにおいて共通制御チャネルを定期的に検出するようにさらに構成される。
【００８２】
第6の態様あるいは第6の態様の第1〜第7の考えられる実施のやり方のうちの任意の1つに関し、第6の態様の第8の考えられる実施のやり方において、第1の通知メッセージは、共通制御チャネルの復調に必要な情報を運び、プロセッサは、受信機によって受信された第1の通知メッセージにもとづいて、受信機を使用することによって共通制御チャネルの復調に必要な情報にもとづいて第1のセルにおいて共通制御チャネルを検出する必要があると判断するようにとくに構成され、プロセッサは、受信機を使用することによって共通制御チャネルの復調に必要な情報にもとづいて第1のセルにおいて共通制御チャネルを検出するようにさらにとくに構成される。
【００８３】
第6の態様あるいは第6の態様の第1〜第7の考えられる実施のやり方のうちの任意の1つに関し、第6の態様の第9の考えられる実施のやり方において、プロセッサは、受信機を使用することによって、ブラインド検出によって、受信機によって受信された第1の通知メッセージにもとづいて、第1のセルにおいて共通制御チャネルを検出するようにとくに構成される。
【００８４】
第6の態様あるいは第6の態様の第1〜第9の考えられる実施のやり方のうちの任意の1つに関し、第6の態様の第10の考えられる実施のやり方において、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【００８５】
第6の態様の第10の考えられる実施のやり方に関し、第6の態様の第11の考えられる実施のやり方において、プロセッサによって受信機を使用することによって検出された共通制御チャネルが測定の実行のための参照信号を運ぶ共通制御チャネルを含む場合に、プロセッサは、測定の実行のための参照信号に従ってチャネル状態CSIの測定および／または無線リソース管理RRMの測定を実行するようにさらに構成される。
【００８６】
第6の態様あるいは第6の態様の第1〜第11の考えられる実施のやり方のうちの任意の1つに関し、第6の態様の第12の考えられる実施のやり方において、第1の通知メッセージは、物理層シグナリングを使用することによって運ばれ、第2のセルの共通サーチ空間において運ばれ、あるいは第1の通知メッセージは、物理層シグナリングを使用することによって運ばれ、ユーザ機器ごとのサーチ空間において運ばれる。
【００８７】
第6の態様あるいは第6の態様の第1〜第12の考えられる実施のやり方のうちの任意の1つに関し、第6の態様の第13の考えられる実施のやり方において、受信機は、第2のセルに対応するスペクトルにおいて基地局によって送信された第1の通知メッセージを受信するようにとくに構成され、ここで第2のセルに対応するスペクトルは、ライセンススペクトルであり、かつ／またはプロセッサは、受信機を使用することによって第1のセルに対応するスペクトルにおいて共通制御チャネルを検出する必要があると判断して、受信機を使用することによって第1のセルにおいて共通制御チャネルを検出するようにとくに構成され、ここで第1のセルに対応するスペクトルは、非ライセンススペクトルである。
【００８８】
したがって、本発明の実施形態においては、第1のセルにおいて共通制御チャネルを検出するように指示するために使用される通知メッセージが、第2のセルを使用することによってユーザ機器へと送信されることで、第1のセルが使用される旨をユーザ機器に適時に知らせ、具体的には基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。したがって、共用スペクトルをセル構成の形態において適切に使用することができる。
【００８９】
本発明の実施形態における技術的解決策をより明瞭に説明するために、実施形態または先行技術の説明に必要な添付の図面を、以下で簡単に紹介する。当然ながら、添付の図面は、以下の説明において、あくまでも本発明のいくつかの実施形態を示すにすぎず、当業者であれば、依然として、創造的な活動を必要とすることなくこれらの添付の図面から他の図を導き出すことが可能である。
【図面の簡単な説明】
【００９０】
【図１】本発明の実施形態による情報伝送方法のフロー図である。
【図２】本発明の実施形態による情報伝送方法の概略のフロー図である。
【図３】本発明の別の実施形態による時間−周波数リソースの利用の概略図である。
【図４】本発明の別の実施形態による時間−周波数リソースの利用の概略図である。
【図５】本発明の別の実施形態による時間−周波数リソースの利用の概略図である。
【図６】本発明の別の実施形態による時間−周波数リソースの利用の概略図である。
【図７】本発明の別の実施形態による時間−周波数リソースの利用の概略図である。
【図８】本発明の別の実施形態による時間−周波数リソースの利用の概略図である。
【図９】本発明の別の実施形態による情報伝送方法の概略のフロー図である。
【図１０】本発明の別の実施形態による基地局の概略のブロック図である。
【図１１】本発明の別の実施形態による基地局の概略のブロック図である。
【図１２】本発明の別の実施形態によるユーザ機器の概略のブロック図である。
【図１３】本発明の別の実施形態によるユーザ機器の概略のブロック図である。
【図１４】本発明の別の実施形態による基地局の概略のブロック図である。
【図１５】本発明の別の実施形態による基地局の概略のブロック図である。
【図１６】本発明の別の実施形態によるユーザ機器の概略のブロック図である。
【図１７】本発明の別の実施形態によるユーザ機器の概略のブロック図である。
【発明を実施するための形態】
【００９１】
以下は、本発明の実施形態における技術的解決策を、本発明の実施形態における添付の図面を参照して、明瞭かつ充分に説明する。当然ながら、説明される実施形態は、本発明の実施形態の一部であり、すべてではない。当業者が本発明の実施形態にもとづいて創造的な活動を必要とすることなく得ることができるすべての他の実施形態は、本発明の保護の範囲に含まれる。
【００９２】
図1は、本発明の実施形態による情報伝送方法100の概略のフロー図である。方法100を、基地局によって実行することができる。図1に示されるとおり、方法100は、以下を含むことができる。
【００９３】
S110．ユーザ機器セット内のユーザ機器に対して第1のセルにおいて第1のセルの共通制御チャネルを検出するように指示するために用いられる第1の通知メッセージを生成する。
【００９４】
S120．第2のセルを使用することによってユーザ機器セット内のユーザ機器へと第1の通知メッセージを送信する。
【００９５】
S130．第1のセルを使用することによってユーザ機器セット内のユーザ機器へと共通制御チャネルを送信する。
【００９６】
第1のセルの共通制御チャネルを送信する必要があると判断するとき、基地局は、第2のセルを使用することによってユーザ機器セット内のユーザ機器へと通知メッセージを送信することで、ユーザ機器セット内のユーザ機器に対して第1のセルにおいて第1のセルの共通制御チャネルを検出するように指示することができ、基地局は、第1のセルを使用することによってユーザ機器セット内のユーザ機器へと共通制御チャネルを送信することで、ユーザ機器セット内のユーザ機器が通知メッセージに従って第1のセルにおいて第1のセルの共通制御チャネルを検出することができる。したがって、共用スペクトルをセル構成の形態において適切に使用することができる。
【００９７】
したがって、本発明のこの実施形態においては、第1のセルにおいて共通制御チャネルを検出するように指示するために使用される通知メッセージが、第2のセルを使用することによってユーザ機器へと送信されることで、第1のセルが使用される旨をユーザ機器に適時に知らせ、具体的には基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。
【００９８】
随意により、本発明のこの実施形態において述べられる第2のセルは、基地局および／またはユーザ機器に対応するプライマリセル（Primary cell、PCell）であってよく、第1のセルは、基地局および／またはユーザ機器に対応するセカンダリセル（Secondary cell、SCell）であってよい。本発明のこの実施形態において、第2のセルを使用することによるメッセージ（具体的には、以下で述べられる第1の通知メッセージ、第2の通知メッセージ、第3の通知メッセージ、第4の通知メッセージ、または第5の通知メッセージであってよい）の送信は、第2のセルに対応するスペクトルを使用することによるメッセージの送信である。第1のセルを使用することによるチャネル（具体的には、共通制御チャネルまたはサービスデータの搬送に用いられるチャネルであってよい）の送信は、第1のセルに対応するスペクトルを使用することによるチャネルの送信である。第1のセルに対応するスペクトルは、非ライセンス（unlicensed）スペクトルであってよく、かつ／または第2のセルに対応するスペクトルは、ライセンス（licensed）スペクトルであってよい。第1のセルに対応するスペクトルは、LTEシステムにおけるデバイスおよび別のデバイスによって一緒に使用される共用スペクトルであってよく、ここで別のデバイスは、WiFiデバイスであってよい。さらに、非ライセンススペクトルを、既存のWiFiデバイスによって使用されるスペクトルなど、自由に使えるスペクトルと理解することができる。ライセンススペクトルを、売り渡されたスペクトルと理解することができる。
【００９９】
随意により、第2のセルおよび第1のセルは、同じ基地局に属することができる。例えば、第2のセルおよび第1のセルの両方が、同じマクロ基地局に属することができる。また、第2のセルおよび第1のセルが、異なる基地局に属してもよい。例えば、第2のセルが、マクロ基地局に属し、第1のセルが、スモールセル（small cell）に対応する基地局（送信出力が小さい基地局）に属する。本明細書におけるスモールセルは、メトロセル（Metro cell）、マイクロセル（Micro cell）、ピコセル（Pico cell）、フェムトセル（Femto cell）、無線フィディリティ（Wireless Fidelity、WiFi）技術を使用する無線ローカルエリアネットワーク（Wireless Local Area Networks、WLAN）、などを含むことができる。これらのスモールセルは、小さなカバレッジ範囲および小さな送信出力を特徴とし、高速データ伝送サービスを提供することができる。
【０１００】
第2のセルおよび第1のセルが同じ基地局に属する場合、基地局は、直接的に第1のセルをユーザ機器のためにセカンダリセルとして設定および／または動作させることができ、あるいは基地局は、第1のセルが利用可能な状態であることを確認した後で、第1のセルをユーザ機器のためにセカンダリセルとして設定および／または動作させることができ、あるいは基地局は、最初に第1のセルをユーザ機器のためにセカンダリセルとして設定し、次いで第1のセルが利用可能な状態であることを確認した後で、第1のセルをユーザ機器のためにセカンダリセルとして動作させることができる。第2のセルおよび第1のセルが異なる基地局に属する場合、第2のセルが属する基地局が、直接的に第1のセルをユーザ機器のためにセカンダリセルとして設定および／または動作させることができ、あるいは第2のセルが属する基地局が、第2のセルが属する基地局と第1のセルが属する基地局との間の情報交換によって、第1のセルが利用可能な状態であるか、あるいは利用不可能な状態であるかを学ぶことができ、第1のセルが利用可能な状態であると判断された後に、第1のセルをユーザ機器のためにセカンダリセルとして設定および／または動作させることができ、あるいは第2のセルが属する基地局が、最初に第1のセルをユーザ機器のために設定し、次いで第2のセルが属する基地局と第1のセルが属する基地局との間の情報交換によって第1のセルが利用可能な状態であると判断した後に、第1のセルをユーザ機器のためにセカンダリセルとして動作させることができる。
【０１０１】
本発明のこの実施形態において、図2に示されるように、第2のセルを使用することによってユーザ機器セット内のユーザ機器へと第1の通知メッセージを送信するS120の前に、方法100は、以下をさらに含むことができる。
【０１０２】
S140．第1のセルが利用可能な状態であると判断する。
【０１０３】
したがって、本発明のこの実施形態においては、第1のセルが利用可能な状態であると判断される場合に限り、第1のセルにおいて共通制御チャネルを検出するように指示するために使用される通知メッセージが、第2のセルを使用することによってユーザ機器へと送信され、共通制御チャネルが、第1のセルを使用することによってユーザ機器へと送信される。したがって、基地局とWiFiデバイスなどの別のデバイスとの間の相互干渉を回避することができ、別のデバイスが、より多くのリソース競合の機会を得ることもできる。
【０１０４】
随意により、本発明のこの実施形態において、図2に示されるように、第1のセルが利用可能な状態であると判断された後に別のデバイス（WiFiデバイスなど）によって第1のセルが再び占められることを回避するために、第1のセルが利用可能な状態であると判断するS140 の後に、方法100は、以下をさらに含むことができる。
【０１０５】
S150．第1のセルがふさがっている旨を示すために使用される表示情報を運ぶことができる占有済み信号を第1のセルによって送信する。
【０１０６】
例えば、図3に示されるように、第1のセルが利用可能な状態であるとの判断の後で、基地局は、最初に第1のセルの占有済み領域Eにおいて占有済み信号を送信することができ、次いで基地局は、第2のセルの制御領域Aにおいてユーザ機器セット内のユーザ機器へと通知メッセージを送信することができ、ここで通知メッセージを、ユーザ機器セット内のユーザ機器に対して共通制御領域Fにおいて共通制御チャネルを検出するように指示するために使用することができる。
【０１０７】
随意により、本発明のこの実施形態において、通知メッセージが第2のセルを使用することによってユーザ機器セット内のユーザ機器へと送信される前に、第1のセルを使用することによってユーザ機器セット内のユーザ機器へとサービスデータを送信する必要があるか否かを最初に判断することができる。第1のセルのチャネル品質が第2のセルのチャネル品質よりも良好であり、あるいは第2のセルのサービス負荷の方が重い場合、第1のセルを使用することによってユーザ機器へとサービスデータを送信する必要があると判断することができる。第1のセルを使用することによってサービスデータを送信する必要があると判断され、共通制御チャネルが図3に示される共通制御領域Fにおいて送信された後で、サービスデータを、データ領域Gにおいてユーザ機器へと送信することができる。データ領域Gにおいて送信されるサービスデータについてのスケジューリング情報を、例えばデータ領域Gを使用することによって送信でき、とくにはデータ領域G内のエンハンスド物理ダウンリンク制御チャネル（Enhanced Physical Downlink Control Channel、EPDCCH）を使用することによって送信でき、あるいは例えばデータ領域Bを使用することによって送信でき、とくにはデータ領域B内のEPDCCHを使用することによって送信でき、あるいは制御領域Aを使用することによって送信できる。とくには、サービスデータについてのスケジューリング情報は、上述の通知メッセージに含まれてよい。加えて、とくには、スケジューリング情報を、ユーザ機器に対して第1のセルによるデータ伝送に必要な制御情報を正しく復調するように指示するために使用することができ、ここで制御情報は、例えばデータ伝送の際に占める時間−周波数リソースの位置、データ伝送のための変調および符号化方式（Modulation and Coding Scheme）、ならびにデータ電力制御情報を含むことができる。
【０１０８】
本発明のこの実施形態における「領域」が、時間−周波数リソースを指すことを、理解すべきである。例えば、制御領域は、制御チャネルの送信に使用される時間−周波数リソースであり、とくには物理ダウンリンク制御チャネル（Physical Downlink Control Channel、PDCCH）などの送信に使用される時間−周波数リソースであってよい。データ領域は、データチャネルの送信に使用される時間−周波数リソースであり、例えば物理ダウンリンク共有チャネル（Physical Downlink Shared Channel、PDSCH）の送信に使用される時間−周波数リソースであってよく、随意によりデータ領域は、EPDCCHの送信に使用される時間−周波数リソースをさらに含むことができる。同期領域は、同期チャネルの送信に使用される時間−周波数リソースである。共通制御領域は、共通制御チャネルの送信に使用される時間−周波数リソースである。占有済み領域は、占有済み信号の送信に使用される時間−周波数リソースである。
【０１０９】
図3に示されるX、Y、およびZは、第2のセルに対応する1サブフレームのうちの制御領域の開始位置、制御領域の終了位置、およびデータ領域の終了位置をそれぞれ表すことができる。X1、Y1、およびZ1は、第1のセルのうちの占有済み領域および／または共通制御領域の開始位置、占有済み領域および／または共通制御領域の終了位置、ならびにデータ領域の終了位置をそれぞれ表すことができる。X1によって表される時間位置は、Xによって表される時間位置よりも早くてよく、あるいはXによって表される時間位置と同じであってよく、Y1によって表される時間位置は、Yによって表される時間位置よりも遅くてよく、あるいはYによって表される時間位置と同じであってよく、Z1によって表される時間位置は、Zによって表される時間位置と同じであってよい。簡潔にするために、他の図における類似点は、後に再度説明されることはない。
【０１１０】
本発明のこの実施形態において、第1のセルが利用可能な状態であると判断する上述のS140は、エネルギ検出および／または信号解析によって第1のセルが利用可能な状態であると判断することを含むことができる。信号解析を、信号の復調と理解することもできる。
【０１１１】
具体的には、基地局は、第1のセルが利用可能な状態であるか、あるいは利用不可能な状態であるかを、エネルギ検出および／または信号解析によって判断することができる。例えば、エネルギ検出によって第1のセルのエネルギが所定のしきい値よりも低いと判断されるとき、第1のセルが利用可能な状態であると判断することができ、ここでエネルギは、受信信号強度を使用することによって表されてよく、例えば電力および振幅を使用することによって表されてよい。例えば、第1のセルによって運ばれた信号の解析後に得られた結果が信号解析によって判断されるとき、第1のセルが利用可能な状態であるか、あるいは利用不可能な状態であるかを判断することができる。基地局は、事前定義または通知によって、第1のセルが利用可能な状態であるか、あるいは利用不可能な状態であるかを示すために使用される信号によって使用されるリソース、ならびに／あるいは信号の解析のために必要とされる必要情報を知ることができる。本明細書において、リソースは、時間ドメインのリソースおよび／または周波数ドメインのリソースおよび／または符号ドメインのリソースを含む。本明細書において、必要情報は、信号の変調および符号化方式、データ電力制御情報、などを含むことができる。基地局は、以上の情報を使用することによって決定される時間−周波数リソースにおいて、第1のセルが利用可能な状態であるか、あるいは利用不可能な状態であるかを示すために使用される信号を受信し、信号の解析のために必要とされる必要情報を使用することによって信号を解析し、第1のセルに対応する周波数ドメインの状態を判断することができる。別の例として、エネルギ検出によって第1のセルのエネルギが所定のしきい値よりも低いと判断される場合、第1のセルによって運ばれた信号の解析後に得られた結果が信号解析によって判断されるとき、第1のセルが利用可能な状態であるか、あるいは利用不可能な状態であるかを判断することができる。
【０１１２】
随意により、第1のセルが利用可能な状態であると判断する1つの原理は、別のデバイスが第1のセルによって送信する信号が、基地局が第1のセルによって送信する信号に対して影響を有さず、あるいは比較的小さな影響しか有さないことであってよい。具体的には、上述の所定のしきい値を、特定の状況に従って決定することができ、例えば基地局による第1のセルにおける共通制御チャネルの送信電力または現在のデータサービス負荷などの因子に従って決定することができる。詳細を、実際の状況に応じて決定することができ、本発明のこの実施形態は、詳細についていかなる限定も構成するものではない。
【０１１３】
随意により、本発明のこの実施形態において、基地局は、第1のセルが利用可能な状態であるか、あるいは利用不可能な状態であるかを判断するために、エネルギ検出および／または信号解析を定期的に実行することができる。例えば、基地局は、エネルギ検出を定期的に実行することができ、エネルギ検出によって第1のセルが利用可能な状態であるか、あるいは利用不可能な状態であるかを判断するときに、基地局は、さらに信号解析によって第1のセルが利用可能な状態であるか、あるいは利用不可能な状態であるかを判断する。例えば、基地局は、信号解析を定期的に実行することができ、信号解析によって第1のセルが利用可能な状態であるか、あるいは利用不可能な状態であるかを判断するときに、基地局は、さらにエネルギ検出によって第1のセルが利用可能な状態であるか、あるいは利用不可能な状態であるかを判断する。
【０１１４】
随意により、第2のセルの負荷の大きさまたはデータ伝送効率の低さゆえに第2のセルがサービスデータの送信に関する要件を満たすことができないと判断され、サービスデータを第1のセルを使用することによって送信する必要があると判断されるときに、基地局は、エネルギ検出および／または信号解析によって第1のセルが利用可能な状態であるか、あるいは利用不可能な状態であるかを判断することができる。
【０１１５】
あるいは、本発明のこの実施形態において、方法100は、ユーザ機器セット内の第1のユーザ機器がエネルギ検出および／または信号解析によって第1のセルが利用可能な状態であると判断するときに、第1のユーザ機器によって送信されるリスニング報告メッセージを受信することを、さらに含むことができる。この場合、第1のセルが利用可能な状態であると判断する上述のS140は、リスニング報告メッセージに従って第1のセルが利用可能な状態であると判断することを、含むことができる。リスニング報告メッセージを、リスニング通知メッセージなどと称することもできることを、理解すべきである。呼び名にかかわらず、リスニング報告メッセージは、本発明において述べられる機能を実行するために使用でき、第1のセルが利用可能な状態である旨を基地局に知らせるために使用される限りにおいて、本発明の保護の範囲に包含される。
【０１１６】
具体的には、ユーザ機器は、エネルギ検出および／または信号解析によって、第1のセルが利用可能な状態であるか、あるいは利用不可能な状態であるかを、判断することができる。例えば、エネルギ検出によって第1のセルのエネルギが所定のしきい値よりも低いと判断されるとき、第1のセルが利用可能な状態であると判断することができ、ここでエネルギは、受信信号強度を使用することによって表されてよく、例えば電力および振幅を使用することによって表されてよい。例えば、第1のセルによって運ばれた信号の解析後に得られた結果が信号解析によって判断されるとき、第1のセルが利用可能な状態であるか、あるいは利用不可能な状態であるかを判断することができる。ユーザ機器は、事前定義または通知によって、第1のセルが利用可能な状態であるか、あるいは利用不可能な状態であるかを示すために使用される信号によって使用されるリソース、ならびに／あるいは信号の解析のために必要とされる必要情報を知ることができる。本明細書において、リソースは、時間ドメインのリソースおよび／または周波数ドメインのリソースおよび／または符号ドメインのリソースを含む。本明細書において、必要情報は、信号の変調および符号化方式、データ電力制御情報、などを含むことができる。ユーザ機器は、以上の情報を使用することによって決定される時間−周波数リソースにおいて、第1のセルが利用可能な状態であるか、あるいは利用不可能な状態であるかを示すために使用される信号を受信し、信号の解析のために必要とされる必要情報を使用することによって信号を解析し、第1のセルに対応する周波数ドメインの状態を判断することができる。別の例として、エネルギ検出によって第1のセルのエネルギが所定のしきい値よりも低いと判断される場合、第1のセルによって運ばれた信号の解析後に得られた結果が信号解析によって判断されるとき、第1のセルが利用可能な状態であるか、あるいは利用不可能な状態であるかを判断することができる。第1のセルが利用可能な状態であるか、あるいは利用不可能な状態であるかを判断した後に、ユーザ機器は、リスニング報告メッセージを基地局へと送信することができ、基地局は、リスニング報告メッセージに従って、第1のセルが利用可能な状態であるか、あるいは利用不可能な状態であるかを判断することができる。本発明のこの実施形態において、基地局は、1つのユーザ機器によって送信されたリスニング報告メッセージを受信した直後に、第1のセルが利用可能な状態であるか、あるいは利用不可能な状態であるかを判断することができ、もしくは基地局は、複数のユーザ機器によって送信されたリスニング報告メッセージを受信した後にのみ、第1のセルが利用可能な状態であるか、あるいは利用不可能な状態であるかを判断することができ、この場合には、上述の第1のユーザ機器は複数のユーザ機器を表す。
【０１１７】
随意により、ユーザ機器は、第1のセルが利用可能な状態であるか、あるいは利用不可能な状態であるかを判断するために、エネルギ検出および／または信号解析を定期的に実行することができる。例えば、ユーザ機器は、エネルギ検出を定期的に実行することができ、エネルギ検出によって第1のセルが利用可能な状態であるか、あるいは利用不可能な状態であるかを判断するときに、ユーザ機器は、さらに信号解析によって第1のセルが利用可能な状態であるか、あるいは利用不可能な状態であるかを判断する。別の例として、ユーザ機器は、信号解析を定期的に実行することができ、信号解析によって第1のセルが利用可能な状態であるか、あるいは利用不可能な状態であるかを判断するときに、ユーザ機器は、さらにエネルギ検出によって第1のセルが利用可能な状態であるか、あるいは利用不可能な状態であるかを判断する。随意により、ユーザ機器は、基地局によって送信されるキャリア設定および／またはアクティベーション情報を受信した後で、第1のセルが利用可能な状態であるか、あるいは利用不可能な状態であるかを判断するために、エネルギ検出および／または信号解析を定期的に実行することができる。
【０１１８】
随意により、ユーザ機器は、基地局によって送信され、ユーザ機器に対して第1のセルが利用可能な状態であるか、あるいは利用不可能な状態であるかを判断するように指示するために使用される表示情報を受信した後でのみ、エネルギ検出および／または信号解析によって第1のセルが利用可能な状態であるか、あるいは利用不可能な状態であるかを判断することができる。第2のセルの負荷の大きさまたはデータ伝送効率の低さゆえに第2のセルがサービスデータの送信に関する要件を満たすことができないと判断され、サービスデータを第1のセルを使用することによって送信する必要があると判断されるときに、基地局は、ユーザ機器に対して第1のセルが利用可能な状態であるか、あるいは利用不可能な状態であるかを判断するように指示するために使用される表示情報を、ユーザ機器へと送信することができる。確かに、ユーザ機器が第2のセルにおいてデータ伝送効率が低いことを承知している場合、ユーザ機器は、第1のセルが利用可能な状態であるか、あるいは利用不可能な状態であるかを積極的に検出することもできる。随意により、基地局によって送信され、ユーザ機器に対して第1のセルが利用可能な状態であるか、あるいは利用不可能な状態であるかを判断するように指示するために使用される表示情報は、キャリアアクティベーション情報であってよい。例えば、基地局は、キャリアアクティベーション情報を使用することによって、ユーザ機器による第1のセルの特定および第1のセルが利用可能な状態であるか、あるいは利用不可能な状態であるかの判断を、可能にすることができる。
【０１１９】
本発明のこの実施形態において、第1のセルを使用することによって送信される上述の共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含むことができる。システム情報ブロックは、システム情報ブロックタイプ1に対応するシステム情報ブロックであってよく、あるいは他のタイプのシステム情報ブロックであってよい。測定の実行のための参照信号は、チャネル状態情報参照信号（Channel State Information−Reference Signal、CSI−RS）、共通参照信号（Common Reference Signal）、ディスカバリ参照信号（Discovery Reference Signal、DRS）、などであってよい。
【０１２０】
本発明のこの実施形態において、第1のセルを使用することによって送信される上述の共通制御チャネルは、上述の共通制御チャネルのうちのただ1つまたはいくつかを含むことができる。例えば、ユーザ機器を第1のセルと同期させることが必要であると判断されるとき、基地局は、同期チャネルだけを送信することができ、あるいはユーザ機器が測定の実行を必要とすると判断されるとき、基地局は、測定の実行のための参照信号を運ぶ共通制御チャネルだけを送信することができる。詳細を、実際の状況に関して決定することができ、本発明は、詳細についていかなる限定も構成するものではない。
【０１２１】
例えば、図7および図8に示されるとおり、基地局は、第2のセルの制御領域を使用することによってユーザ機器へと通知メッセージを送信し、ここで通知メッセージを、ユーザ機器セット内のユーザ機器に対して第1のセルの占有済み領域および／または同期領域において同期チャネルを検出するように指示するために使用することができ、したがってユーザ機器セット内のユーザ機器が第1のセルの同期情報を取得する。基地局が、ユーザ機器セット内のユーザ機器に対して第2のセルについての測定の実行を指示することを必要とする場合、基地局は、第2のセルの制御領域を使用することによってユーザ機器へと通知メッセージを送信し、ユーザ機器セット内のユーザ機器に対して第2のセルについての測定の実行を指示する。測定の内容は、共通制御チャネルによって運ばれる参照信号を使用することによるチャネル状態情報（Channel State Information、CSI）の測定および無線リソース管理（Radio Resource Management、RRM）の測定の実行であってよい。随意により、RRMの測定は、とりわけ、参照信号受信電力（Reference Signal Received Power、RSRP）の測定および参照信号受信品質（Reference Signal Received Quality、RSRQ）の測定を含むことができる。図7に示されるとおり、測定の実行のための参照信号を運ぶ共通制御チャネルは、測定領域に分配される。随意により、測定領域の前に、基地局は、第1のセルに対応するスペクトルにおいて占有済み領域および／または同期領域を設定することができる。図7および図8があくまでも例であることに、注意すべきである。別の共通制御チャネルを運ぶために使用される領域が、図に示されている占有済み領域および／または同期領域と測定領域との間にさらに存在することができる。本発明のこの実施形態において、図8に示されるとおり、第1のセルに対応するスペクトルについてユーザ機器へとデータを送信する前に、基地局は、測定領域において、測定の実行のための参照信号を運ぶ共通制御チャネルをさらに送信することができ、ここで送信データは、データ領域において運ばれる。確かに、測定領域は、これに限られるわけではないが、データ領域に位置することもできる。
【０１２２】
本発明のこの実施形態における共通制御チャネルを、共通制御情報を運ぶために使用することができる。随意により、共通制御情報は、同期チャネルによって運ばれる同期信号および／または同期信号によってもたらされる時間（および／または、周波数）同期情報、物理ブロードキャストチャネルによって運ばれる情報、システム情報ブロックによって運ばれる情報、測定の実行のための参照信号、などであってよい。
【０１２３】
本発明のこの実施形態において、同期チャネルは、同期信号を運ぶチャネルであってよく、ここで同期信号は、時間および／または周波数同期情報をもたらすことができる信号であり、例えばプライマリ同期信号（Primary Synchronization Signal、PSS）／セカンダリ同期信号（Secondary Synchronization Signal、SSS）、セル固有参照信号（Cell−specific reference signal、CRS）、チャネル状態情報参照信号（Channel State information Reference Signal、CSI−RS）、位置参照信号（Positioning reference signal、PRS）、またはディスカバリ参照信号（Discovery reference signal、DRS）であってよい。
【０１２４】
本発明のこの実施形態において、第1のセルを使用することによって送信される共通制御チャネルが同期チャネルを含んでおり、ユーザ機器セット内のユーザ機器の同期の性能が同期の要件を満たすことができないと判断されるとき、方法100は、ユーザ機器セット内のユーザ機器に対して第1のセルにおいて第1のセルの同期チャネルを検出するように指示するために使用される第2の通知メッセージを生成し、第2の通知メッセージを第2のセルを使用することによってユーザ機器セット内のユーザ機器へと送信し、同期チャネルを第1のセルを使用することによってユーザ機器セット内のユーザ機器へと送信することを、さらに含むことができる。ユーザ機器の同期の性能が、ユーザ機器と第1のセルとの間の同期を評価するために使用されることを、理解すべきである。
【０１２５】
例えば、図4に示されるとおり、基地局は、第2のセルの制御領域Aを使用することによってユーザ機器へと通知メッセージを送信し、ここで通知メッセージを、ユーザ機器セット内のユーザ機器に対して共通制御領域Fにおいて共通制御チャネルを検出するように指示するために使用することができる。この場合、共通制御チャネルは、少なくとも同期チャネルを含む。随意により、通知メッセージの送信の前に、基地局は、ユーザ機器の性能に応じて同期チャネルを同期領域Hおよび同期領域Mにおいて送信する必要があるか否かを判断することができ、同期チャネルを同期領域Hおよび同期領域Mにおいて送信する必要がある場合に、通知メッセージは、ユーザ機器セット内のユーザ機器に対して同期領域Hおよび同期領域Mにおいて同期チャネルを検出するように指示するためにさらに使用される。したがって、基地局は、共通制御領域Fにおいて共通制御チャネルを送信し、同期領域Hおよび同期領域Mにおいて同期チャネルを送信することができる。共通制御領域Fにおいて同期チャネルを検出した後に、ユーザ機器は、データ伝送のプロセスにおいて同期の要件を満たすために、同期チャネルによって運ばれた同期信号に従って初期の同期および／または同期の追跡を実行することができ、ユーザ機器は、同期領域Hおよび同期領域Mにおいて同期チャネルを検出して、同期の追跡をさらに実行する。同期領域Hおよび同期領域Mにおいて運ばれる同期チャネルにて運ばれる同期信号は、共通制御領域Fにおいて運ばれる同期チャネルにて運ばれる同期信号と違ってよい。例えば、同期領域Hおよび同期領域Mにおいて運ばれる同期チャネルは、CRSを運ぶ同期チャネルであってよく、共通制御領域Fにおいて運ばれる同期チャネルは、PSS／SSSを運ぶ同期チャネルであってよい。
【０１２６】
随意により、本発明のこの実施形態において、X1〜Z2によって示される領域に続く領域にて、ユーザ機器セット内のすべてまたは一部のユーザ機器の同期の性能が同期の要件を満たすことができない旨が検出される場合、ユーザ機器セット内のユーザ機器に対して同期チャネルの検出を指示するために使用される通知メッセージを、再び送信することができ、同期チャネルが送信される。例えば、図4に示されるように、通知メッセージを制御領域Sにおいて送信することができ、この再び送信される通知メッセージを、ユーザ機器セット内のユーザ機器に対して同期領域Tにおいて同期チャネルを検出するように指示するために使用することができ、次いで基地局は、同期チャネルを同期領域Tにおいて再び送信することができる。随意により、同期領域Tにおける同期チャネルの送信に先立って、占有済み信号を占有済み領域Rにおいてさらに送信することができる。随意により、同期領域HおよびMと同様の同期領域（図示せず）を、同期領域Tに続くデータ領域Iおよび／またはデータ領域Lにさらに挿入することができ、ユーザ機器に挿入されうる同期領域を共通制御領域Fと一緒に知らせることができる。
【０１２７】
随意により、同期チャネル以外の共通制御領域にて送信される別の共通制御チャネルによって運ばれる共通制御情報が更新されない場合、同期チャネル以外の別の共通制御チャネルを追って送信する必要はない。例えば、図4に示されるように、X2およびZ3領域において、同期チャネルの送信に使用される同期領域Tだけが存在し、同期チャネル以外の別の共通制御チャネルの送信に使用される領域は、存在しない。
【０１２８】
本発明のこの実施形態において、共通制御チャネルによって運ばれる共通制御情報が更新されるとき、方法100は、第1のセルにおいて第1のセルの更新された共通制御情報を運ぶために使用される更新された共通制御チャネルを検出するようにユーザ機器セット内のユーザ機器に対して指示するために使用される第3の通知メッセージを生成し、第3の通知メッセージを第2のセルを使用することによってユーザ機器セット内のユーザ機器へと送信し、更新された共通制御チャネルを第1のセルを使用することによってユーザ機器セット内のユーザ機器へと送信することを、さらに含むことができる。
【０１２９】
例えば、図5に示されるように、共通制御チャネルによって運ばれる共通制御情報が更新されたと判断される場合、基地局は、第1のセルが利用可能な状態であるか、あるいは利用不可能な状態であるかを検出し続けることができ、第1のセルが利用可能な状態である場合に、基地局は、共通制御領域Qにおいて更新された共通制御チャネルを検出するようにユーザ機器に対して指示する通知メッセージを、制御領域Cを使用することによって再び送信することができ、更新された共通制御情報を運ぶために使用される更新された共通制御チャネルを、共通制御領域Qにおいて送信することができる。随意により、図5に示されるように、占有済み領域Pがさらに存在でき、第1のセルが利用可能な状態である旨が検出された後に、占有済み信号を占有済み領域Pにおいて送信することができる。基地局が、共通制御領域Fにおいて送信される同期チャネルが同期の性能の要件を満たすことができ、例えば図5の共通制御領域Qにおいて運ばれる共通制御チャネルの復調のための要件を満たすことができ、あるいは共通制御領域Qに続く可能性があるデータ領域において運ばれるデータチャネルの復調のための要件を満たすことができると判断する場合に、基地局は、共通制御領域Qにおいて同期チャネル以外の別の共通制御チャネルだけを送信することができる。
【０１３０】
本発明のこの実施形態において、例えば第2のセルの大きな負荷または低いデータ伝送効率ゆえに第2のセルがサービスデータの送信のための要件を満たすことができないなど、サービスデータを第1のセルによって送信する必要があり、基地局がサービスデータを第1のセルを使用することによって送信する必要があると判断する場合に限り、基地局は、第1のセルが利用可能な状態であるか、あるいは利用不可能な状態であるかを検出することができる。第1のセルが利用可能な状態である場合、占有済み信号および／または共通制御チャネルならびにサービスデータが、第1のセルによって送信される。あるいは、本発明のこの実施形態において、基地局は、第1のセルが利用可能な状態であるか、あるいは利用不可能な状態であるかを、定期的に検出することができる。第1のセルが利用可能な状態であり、例えば第1のセルのチャネル品質が第2のセルのチャネル品質よりも良好である場合および／または第2のセルの方が負荷が大きい場合など、サービスデータを第1のセルを使用することによってユーザ機器へと送信する必要がある場合、サービスデータを第1のセルを使用することによってユーザ機器へと送信する必要があると判断することができ、次いで占有済み信号および／または共通制御チャネルを第1のセルによって送信することができる。あるいは、本発明のこの実施形態において、第1のセルが利用可能な状態であることを検出（例えば、定期的に検出）した後に、サービスデータをこの瞬間において第1のセルを使用することによって送信する必要があるか否かにかかわらず、基地局は、第1のセルによって占有済み信号および／または共通制御チャネルを送信することができ、すなわち占有済み領域Eおよび／または共通制御領域Fならびに図6に示されている占有済み領域Xおよび／または共通制御領域Yが存在する。
【０１３１】
本発明のこの実施形態において、異なる共通制御チャネルを、異なる占有済み領域において送信することができる。例えば、図6に示されるように、同期チャネルが共通制御領域Fにおいて送信され、共通制御領域Fにおいて送信された同期チャネルにて運ばれた同期信号を使用することによってユーザ機器によって実行される同期が、同期の性能の要件を満たすことができる場合、基地局は、共通制御領域Yにおいて同期チャネル以外の別の共通制御チャネルを送信することができる。
【０１３２】
本発明のこの実施形態において、ユーザ機器セット内のユーザ機器へと共通制御チャネルを送信するS130は、ユーザ機器セット内のユーザ機器へと共通制御チャネルを定期的に送信することを含むことができる。随意により、方法100は、第1のセルが別のデバイスによって占められていると判断される場合に、ユーザ機器セット内のユーザ機器に対して共通制御チャネルの検出を停止するように指示するために使用されるストップ検出メッセージを生成し、ストップ検出メッセージを第2のセルを使用することによってユーザ機器セット内のユーザ機器へと送信することを、さらに含むことができる。
【０１３３】
随意により、ストップ検出メッセージを第2のセルを使用することによってユーザ機器セット内のユーザ機器へと送信した後で、方法100は、
第1のセルが利用可能な状態であると判断することと、
ユーザ機器セット内のユーザ機器に対して第1のセルにおいて第1のセルの共通制御チャネルを検出するように指示するために使用される第4の通知メッセージを生成することと、
第4の通知メッセージを第2のセルを使用することによってユーザ機器セット内のユーザ機器へと送信することと、
第1のセルを使用することによってユーザ機器セット内のユーザ機器へと共通制御チャネルを定期的に送信することと
をさらに含むことができる。
【０１３４】
本発明のこの実施形態において、基地局は、ユーザ機器セット内のユーザ機器へと共通制御チャネルを定期的に送信することができる。リスニングにより、とくにはエネルギ検出および／または信号解析によって、第1のセルが別のデバイス（WiFiデバイスなど）によって占められていると判断されるとき、ストップ検出メッセージを、第2のセルを使用することによってユーザ機器セット内のユーザ機器へと送信することができ、ここでストップ検出メッセージを、ユーザ機器セット内のユーザ機器に対して共通制御チャネルの検出を停止するように指示するために使用することができる。その後に、第1のセルが利用可能な状態であると再び判断される場合、通知メッセージを第2のセルを使用することによってユーザ機器セット内のユーザ機器へと再び送信することができ、ここで再び送信される通知メッセージは、ユーザ機器セット内のユーザ機器に対して第1のセルにおいて第1のセルの共通制御チャネルを検出するように支持するために使用され、次いで共通制御チャネルを、第1のセルを使用することによってユーザ機器セット内のユーザ機器へと定期的に送信することができる。随意により、異なる共通制御チャネルは、異なる送信周期を有することができる。基地局が、周期情報を通知メッセージへと付加することができ、次いでユーザ機器が、周期情報に従って第1のセルにおいて共通制御チャネルを定期的に検出することができ、あるいは基地局が、共通制御チャネルの送信の周期と同じ周期に従って通知メッセージを送信することで、ユーザ機器を第1のセルにおいて共通制御チャネルを定期的に検出するように動作させることができる。
【０１３５】
本発明のこの実施形態において、第1のセルを使用することによる共通制御チャネルの送信に加えて、基地局は、第2のセルを使用することによって共通制御チャネルを送信することができる。例えば、一部の共通制御チャネル（同期チャネルなど）が第1のセルを使用することによって送信され、残りの共通制御チャネル（同期チャネル以外の別の共通制御チャネルなど）が第2のセルを使用することによって送信される。別の例として、同期チャネル以外の別の共通制御チャネルを、最初に第1のセルによって送信することができ、別の共通制御チャネルの更新後に得られた共通制御チャネルが、第2のセルによって送信される。他の例として、同期チャネル以外の別の共通制御チャネルに関して、別の共通制御チャネルが定期的に送信される場合、別の共通制御チャネルをn回にわたって第1のセルによって送信し、次いでn回にわたって第2のセルによって送信することができる。詳細を、実際の状況に応じて決定することができ、本発明は、いかなる特定の限定も構成するものではない。
【０１３６】
本発明のこの実施形態において、上述の通知メッセージ（第1の通知メッセージ、第2の通知メッセージ、第3の通知メッセージ、または第4の通知メッセージを含む）は、共通制御チャネルの復調に必要な情報を含むことができる。例えば、共通制御チャネルの復調に必要な情報は、共通制御チャネルが占めるリソース位置、共通制御チャネルに使用された変調および符号化方式、ならびに共通制御チャネルの送信電力情報のうちの少なくとも1つを含むことができる。
【０１３７】
とくには、共通制御チャネルが同期チャネルを含む場合、共通制御チャネルの復調に必要な情報は、同期チャネルによって運ばれる同期信号の時間ドメイン位置、周波数ドメイン位置、および符号ドメイン位置、同期信号のシーケンス形態、などを含むことができる。同期チャネル以外の別の共通制御チャネルについて、共通制御チャネルの復調に必要な情報は、別の共通制御チャネルが占める時間ドメイン位置および周波数ドメイン位置、シーケンスリソース、使用された変調および符号化方式、送信電力情報、などを含むことができる。
【０１３８】
本発明のこの実施形態において、既存のフォーマットの一部またはすべてを、第1のセルによって送信される共通制御チャネルにおいて依然として使用することができる。例えば、周波数分割複信（Frequency Division Duplex、FDD）多重化システムにおいては、同期チャネル（Synchronization channel、SCH）が、常に各々の無線フレームのサブフレーム0およびサブフレーム5において生じ、第1のセルに対応するスペクトルの中央の6つの物理リソースブロック（Physical resource block、PRB）を占め、時分割複信（Time Division Duplexing、TDD）多重化システムにおいては、SCHが、常に各々の無線フレームのサブフレーム0、1、5、および6において生じ、第1のセルに対応するスペクトルの中央の6つのPRBを占める。物理ブロードキャストチャネル（Physical Broadcast Channel、PBCH）は、常に各々のむせううフレームのサブフレーム0において生じる。システム情報ブロックタイプ1（System information block type 1、SIB1）は、常に偶数番目の各々のフレームのサブフレーム5において生じ、別のSIBは、SIB1をスケジューリングすることによって指定される時間位置において生じる。共通制御チャネルによって運ばれる内容は、既存の制御チャネルによって運ばれる内容の一部またはすべてであってよい。例えば、同期チャネルによって運ばれる内容は、既存のPSS／SSSによって運ばれる内容であってよく、あるいは同期参照信号によって運ばれる情報であってよい。物理ブロードキャストチャネルまたはシステム情報ブロックを運ぶ共通制御チャネルによって運ばれる内容など、同期チャネル以外の別の共通制御チャネルによって運ばれる内容も、既存のPBCHまたはSIBによって運ばれる内容の一部またはすべてであってよい。
【０１３９】
本発明のこの実施形態において、共通制御チャネルの復調のために必要な情報、およびユーザ機器セット内のユーザ機器に対して第1のセルにおいて第1のセルの共通制御チャネルを検出するように指示するために使用される情報を、同じ通知メッセージにおいて運ぶことができ、あるいは異なる通知メッセージにおいて運ぶことができる。例えば、上述の第1の通知メッセージが、複数の通知メッセージを含むことができ、ここで1つの通知メッセージが、ユーザ機器セット内のユーザ機器に対して第1のセルにおいて第1のセルの共通制御チャネルを検出するように指示するために使用される情報を運び、別の通知メッセージが、共通制御チャネルの復調のために必要な情報を含む。あるいは、第1の通知メッセージは、ユーザ機器セット内のユーザ機器に対して第1のセルにおいて第1のセルの共通制御チャネルを検出するように指示するために使用される情報だけを含むことができる。
【０１４０】
本発明のこの実施形態において、上述の通知メッセージ（第1の通知メッセージ、第2の通知メッセージ、第3の通知メッセージ、または第4の通知メッセージを含む）を、物理層シグナリング、無線リソース制御（Radio Resource Control、RRC）ブロードキャストシグナリング、RRC専用シグナリング、および媒体アクセス制御（Media Access Control、MAC）シグナリングのうちの少なくとも1つを使用することによって運ぶことができる。
【０１４１】
本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、第2のセルの共通サーチ空間（Common Search Space、CSS）において運ぶことができる。本発明のこの実施形態においては、通知メッセージが、通知メッセージの高速送信を実行することができる物理層シグナリングを使用することによって運ばれ、通知メッセージが第2のセルの共通サーチ空間において運ばれるため、遇されるすべてのユーザ機器または複数キャリアの統合能力を有するユーザ機器のグループなど、ユーザ機器のグループが、通知メッセージを特定のユーザ機器へと別々に送信する必要なく通知メッセージを識別することができ、したがってシグナリングのオーバーヘッドが軽減される。確かに、本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、ユーザ機器ごとのサーチ空間（UE−Specific Search Space）において運ぶこともできる。すなわち、基地局が、物理層シグナリングを使用することによって運ばれる通知メッセージを単一のユーザ機器へと別々に送信することができ、通知メッセージを各々のユーザ機器ごとのサーチ空間へと付加することができる。
【０１４２】
本発明のこの実施形態において、上述の通知メッセージ（第1の通知メッセージ、第2の通知メッセージ、第3の通知メッセージ、または第4の通知メッセージを含む）を、キャリア間スケジューリングシグナリング、共通制御シグナリング、などと称することができる。呼び名にかかわらず、通知メッセージは、本発明において言及される機能を満たすことができ、ユーザ機器セット内のユーザ機器に対して第1のセルにおいて第1のセルの共通制御チャネルを検出するように指示するために使用される限りにおいて、本発明の保護の範囲に包含される。
【０１４３】
上述の通知メッセージは、キャリアアクティベーション情報をさらに運ぶことができる。例えば、上述の通知メッセージの受信時に、ユーザ機器は、キャリアがアクティベートされていると考えることができる。本明細書におけるキャリア（第1のセルなど）を、事前定義によってユーザ機器によって識別することができる。キャリアアクティベーション情報を運ぶ通知メッセージは、例えば第5の通知メッセージなど、第1の通知メッセージ、第2の通知メッセージ、第3の通知メッセージ、および第4の通知メッセージ以外の別の通知メッセージであってもよい。第5の通知メッセージを、第1の通知メッセージ、第2の通知メッセージ、第3の通知メッセージ、または第4の通知メッセージが送信される前に送信することができ、すなわち基地局は、ユーザ機器が第1のセルを識別できるように、最初に第5の通知メッセージを使用することによってユーザ機器のために第1のセルをアクティベートし、次いで第1の通知メッセージ、第2の通知メッセージ、第3の通知メッセージ、または第4の通知メッセージを使用することによってユーザ機器に対して第1のセルによって送信される共通制御チャネルを検出するように指示する。あるいは、第5の通知メッセージを、第1の通知メッセージ、第2の通知メッセージ、第3の通知メッセージ、または第4の通知メッセージが送信された後、かつユーザ機器に対するサービスデータの復調の指示の前に、送信することができ、すなわち基地局は、最初に第1の通知メッセージ、第2の通知メッセージ、第3の通知メッセージ、または第4の通知メッセージを使用することによって、ユーザ機器に対して第1のセルによって送信される共通制御チャネルを検出するように指示し、次いでユーザ機器のために第1のセルをアクティベートすべく第5の通知メッセージを送信し、ユーザ機器に対して第1のセルによって送信されるサービスデータを検出するように指示し、ここで本明細書における検出を復調と理解することができ、サービスデータは例えばPDSCHによって運ばれるデータであってよい。
【０１４４】
キャリアアクティベーション情報が、ユーザ機器によるキャリアの識別を可能にする情報であることを、理解すべきである。本発明のこの実施形態において言及されるキャリアアクティベーション情報は、ユーザ機器による第1のセルの識別を可能にする情報である。キャリアアクティベーション情報を、キャリアアクティベーション表示情報と称することもできる。呼び名にかかわらず、キャリアアクティベーション情報は、上述の機能の実行に使用することができる限りにおいて、本発明の保護の範囲に包含される。
【０１４５】
上述の通知メッセージは、ユーザ機器が通知メッセージを受信することによって第1のセルのオペレータについての情報を学ぶことができるように、第1のセルのオペレータについての情報をさらに運ぶことができる。
【０１４６】
本発明のこの実施形態において、上述のユーザ機器セットは、基地局によって遇されるすべてのユーザ機器からなるセットであってよく、あるいは例えば現時点におけるサービスデータの量が比較的多い1つ以上のユーザ機器などの特定のユーザ機器からなるセットであってよい。上述のユーザ機器セット内のユーザ機器が、特定のユーザ機器である場合、上述の通知メッセージを、RRC専用シグナリングを使用することによって運ぶことができる。
【０１４７】
したがって、本発明のこの実施形態においては、第1のセルにおいて共通制御チャネルを検出するように指示するために使用される通知メッセージが、第2のセルを使用することによってユーザ機器へと送信されることで、第1のセルが使用される旨をユーザ機器に適時に知らせ、具体的には基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。さらに、第1のセルが利用可能な状態であると判断される場合に限り、第1のセルにおいて共通制御チャネルを検出するように指示するために使用される通知メッセージが、第2のセルを使用することによってユーザ機器へと送信され、共通制御チャネルが、第1のセルを使用することによってユーザ機器へと送信される。したがって、基地局とWiFiデバイスなどの別のデバイスとの間の相互干渉を回避することができ、別のデバイスが、より多くのリソース競合の機会を得ることもできる。さらに、第1のセルがアイドル状態にあると判断されるとき、占有済み信号が第1のセルによって送信され、第1のセルが別のデバイスによって占められることを回避することができる。したがって、共用スペクトルをセル構成の形態において適切に使用することができる。
【０１４８】
図9は、本発明の実施形態による情報伝送方法200の概略のフロー図である。方法200を、ユーザ機器によって実行することができる。図9に示されるとおり、方法200は、以下を含むことができる。
【０１４９】
S210．基地局によって第2のセルにて送信され、第1のセルにおいて第1のセルの共通制御チャネルを検出するように指示するために用いられる第1の通知メッセージを、受信する。
【０１５０】
S220．第1の通知メッセージにもとづき、共通制御チャネルを第1のセルにおいて検出する必要があると判断する。
【０１５１】
S230．第1の通知メッセージにもとづき、第1のセルにおいて共通制御チャネルを検出する。
【０１５２】
第1のセルの共通制御チャネルを送信する必要があると判断するとき、基地局は、第2のセルを使用することによってユーザ機器セット内のユーザ機器へと通知メッセージを送信して、ユーザ機器セット内のユーザ機器に対して第1のセルにおいて第1のセルの共通制御チャネルを検出するように指示することができる。加えて、基地局は、第1のセルを使用することによってユーザ機器セット内のユーザ機器へと共通制御チャネルを送信でき、したがってユーザ機器セット内のユーザ機器が、通知メッセージに従って第1のセルにおいて第1のセルの共通制御チャネルを検出することができる。
【０１５３】
したがって、本発明のこの実施形態においては、第1のセルにおいて共通制御チャネルを検出するように指示するために使用される通知メッセージが、第2のセルを使用することによってユーザ機器へと送信されることで、第1のセルが使用される旨をユーザ機器に適時に知らせ、具体的には基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。したがって、共用スペクトルをセル構成の形態において適切に使用することができる。
【０１５４】
随意により、本発明のこの実施形態において、基地局によって第2のセルにて送信される第1の通知メッセージを受信する上述のS210は、基地局が第1のセルが利用可能な状態であると判断するときに基地局によって第2のセルにて送信される第1の通知メッセージを受信することを含むことができる。
【０１５５】
したがって、本発明のこの実施形態においては、第1のセルが利用可能な状態であると判断される場合に限り、基地局が、第1のセルにおいて共通制御チャネルを検出するように指示するために使用される通知メッセージを、第2のセルを使用することによってユーザ機器へと送信し、共通制御チャネルを、第1のセルを使用することによってユーザ機器へと送信する。したがって、基地局とWiFiデバイスなどの別のデバイスとの間の相互干渉を回避することができ、別のデバイスが、より多くのリソース競合の機会を得ることもできる。
【０１５６】
本発明のこの実施形態において、基地局が第1のセルが利用可能な状態であると判断するときに基地局によって第2のセルにて送信される通知情報を受信する前に、本方法は、エネルギ検出および／または信号解析に従って第1のセルが利用可能な状態であると判断し、第1のセルが利用可能な状態であることを示すために使用されるリスニング報告メッセージを生成し、基地局へと送信することを、さらに含むことができる。
【０１５７】
具体的には、ユーザ機器は、エネルギ検出および／または信号解析によって、第1のセルが利用可能な状態であるか、あるいは利用不可能な状態であるかを、判断することができる。例えば、エネルギ検出によって第1のセルのエネルギが所定のしきい値よりも低いと判断されるとき、第1のセルが利用可能な状態であると判断することができ、ここでエネルギは、受信信号強度を使用することによって表されてよく、例えば電力および振幅を使用することによって表されてよい。例えば、第1のセルによって運ばれた信号の解析後に得られた結果が信号解析によって判断されるとき、第1のセルが利用可能な状態であるか、あるいは利用不可能な状態であるかを判断することができる。ユーザ機器は、事前定義または通知によって、第1のセルが利用可能な状態であるか、あるいは利用不可能な状態であるかを示すために使用される信号によって使用されるリソース、ならびに／あるいは信号の解析のために必要とされる必要情報を知ることができる。本明細書において、リソースは、時間ドメインのリソースおよび／または周波数ドメインのリソースおよび／または符号ドメインのリソースを含む。本明細書において、必要情報は、信号の変調および符号化方式、データ電力制御情報、などを含むことができる。ユーザ機器は、以上の情報を使用することによって決定される時間−周波数リソースにおいて、第1のセルが利用可能な状態であるか、あるいは利用不可能な状態であるかを示すために使用される信号を受信し、信号の解析のために必要とされる必要情報を使用することによって信号を解析し、第1のセルの状態を判断することができる。第1のセルが利用可能な状態であるか、あるいは利用不可能な状態であるかを判断した後に、ユーザ機器は、リスニング報告メッセージを基地局へと送信することができ、基地局は、リスニング報告メッセージに従って、第1のセルが利用可能な状態であるか、あるいは利用不可能な状態であるかを判断することができる。本発明のこの実施形態において、基地局は、1つのユーザ機器によって送信されたリスニング報告メッセージを受信した直後に、第1のセルが利用可能な状態であるか、あるいは利用不可能な状態であるかを判断することができ、もしくは基地局は、複数のユーザ機器によって送信されたリスニング報告メッセージを受信した後にのみ、第1のセルが利用可能な状態であるか、あるいは利用不可能な状態であるかを判断することができ、この場合には、上述のユーザ機器は複数のユーザ機器を表す。
【０１５８】
随意により、ユーザ機器は、第1のセルが利用可能な状態であるか、あるいは利用不可能な状態であるかを判断するために、エネルギ検出および／または信号解析を定期的に実行することができる。例えば、ユーザ機器は、エネルギ検出を定期的に実行することができ、エネルギ検出によって第1のセルが利用可能な状態であるか、あるいは利用不可能な状態であるかを判断するときに、ユーザ機器は、さらに信号解析によって第1のセルが利用可能な状態であるか、あるいは利用不可能な状態であるかを判断する。別の例として、ユーザ機器は、信号解析を定期的に実行することができ、信号解析によって第1のセルが利用可能な状態であるか、あるいは利用不可能な状態であるかを判断するときに、ユーザ機器は、さらにエネルギ検出によって第1のセルが利用可能な状態であるか、あるいは利用不可能な状態であるかを判断する。随意により、基地局によって送信されるキャリア設定および／またはキャリアアクティベーション情報を受信した後で、ユーザ機器は、第1のセルが利用可能な状態であるか、あるいは利用不可能な状態であるかを判断するために、エネルギ検出および／または信号解析を定期的に実行することができる。
【０１５９】
随意により、ユーザ機器は、基地局によって送信され、ユーザ機器に対して第1のセルが利用可能な状態であるか、あるいは利用不可能な状態であるかを判断するように指示するために使用される表示情報を受信した後でのみ、エネルギ検出および／または信号解析によって第1のセルが利用可能な状態であるか、あるいは利用不可能な状態であるかを判断することができる。第2のセルの負荷の大きさまたはデータ伝送効率の低さゆえに第2のセルがサービスデータの送信に関する要件を満たすことができないと判断され、サービスデータを第1のセルを使用することによって送信する必要があると判断されるときに、基地局は、ユーザ機器に対して第1のセルが利用可能な状態であるか、あるいは利用不可能な状態であるかを判断するように指示するために使用される表示情報を、ユーザ機器へと送信することができる。確かに、ユーザ機器が第2のセルにおいてデータ伝送効率が低いことを承知している場合、ユーザ機器は、第1のセルが利用可能な状態であるか、あるいは利用不可能な状態であるかを積極的に検出することもできる。随意により、基地局によって送信され、ユーザ機器に対して第1のセルが利用可能な状態であるか、あるいは利用不可能な状態であるかを判断するように指示するために使用される表示情報は、キャリアアクティベーション情報であってよい。例えば、基地局は、キャリアアクティベーション情報を使用することによって、ユーザ機器による第1のセルの特定および第1のセルが利用可能な状態であるか、あるいは利用不可能な状態であるかの判断を、可能にすることができる。
【０１６０】
本発明のこの実施形態において、方法200は、基地局によって送信されるサービスデータを第1のセルにて受信することを、さらに含むことができる。
【０１６１】
とくには、本発明のこの実施形態において、第2のセルの大きな負荷または低いデータ伝送効率ゆえに第2のセルがサービスデータの送信のための要件を満たすことができない場合、基地局が、サービスデータを第1のセルを使用することによって送信する必要があると判断でき、あるいは第1のセルのチャネル品質が第2のセルのチャネル品質よりも良好であり、さらには／もしくは第2のセルの方が負荷が大である場合に、基地局が、サービスデータを第1のセルを使用することによってユーザ機器へと送信する必要があると判断することができる。
【０１６２】
随意により、本発明のこの実施形態において、方法200は、基地局によって第2のセルにて送信される第2の通知メッセージであって、ユーザ機器（ここでのユーザ機器は、方法200の実行体として使用されるユーザ機器であってよく、あるいは別のユーザ機器であってよい）の同期の性能が同期の要件を満たすことができないと基地局が判断するときに基地局によって送信され、第1のセルにおいて第1のセルの同期チャネルを検出するように指示するために使用される第2の通知メッセージを受信し、第2の通知メッセージにもとづいて第1のセルの同期チャネルを第1のセルにおいて検出する必要があると判断し、第1のセルの同期チャネルを第1のセルにおいて検出することを、さらに含むことができる。
【０１６３】
随意により、本発明のこの実施形態において、方法200は、基地局によって第2のセルにて送信される第3の通知メッセージであって、共通制御チャネルにて運ばれる共通制御情報が更新されたと基地局が判断するときに基地局によって送信され、第1のセルの更新された共通制御情報を運ぶために使用される更新された共通制御チャネルを第1のセルにおいて検出するように指示するために使用される第3の通知メッセージを受信し、第3の通知メッセージにもとづいて更新された共通制御チャネルを第1のセルにおいて検出する必要があると判断し、更新された共通制御チャネルを第1のセルにおいて検出することを、さらに含むことができる。
【０１６４】
随意により、本発明のこの実施形態において、第1のセルにおいて共通制御チャネルを検出する上述のS230は、第1のセルにおいて共通制御チャネルを定期的に検出することを含むことができる。
【０１６５】
随意により、方法200は、基地局によって第2のセルにて送信されるストップ検出メッセージであって、第1のセルが別のデバイスによって占められていると基地局が判断するときに基地局によって送信され、共通制御チャネルの検出を停止するように指示するために使用されるストップ検出メッセージを受信し、ストップ検出メッセージにもとづいて第1のセルにおける共通制御チャネルの検出を停止することを、さらに含むことができる。
【０１６６】
随意により、本発明のこの実施形態において、方法200は、第1のセルが利用不可能な状態であると基地局が判断するときに基地局によって送信され、第1のセルの共通制御チャネルを第1のセルにおいて検出するように指示するために使用される第4の通知メッセージを受信し、第4の通知メッセージにもとづいて共通制御チャネルを第1のセルにおいて定期的に検出する必要があると判断し、共通制御チャネルを第1のセルにおいて定期的に検出することを、さらに含むことができる。
【０１６７】
とくには、異なる共通制御チャネルは、異なる送信周期を有することができる。基地局が、周期情報を通知メッセージへと付加することができ、次いでユーザ機器が、周期情報に従って第1のセルにおいて共通制御チャネルを定期的に検出することができ、あるいは基地局が、共通制御チャネルの送信の周期と同じ周期に従って通知メッセージを送信することで、ユーザ機器を第1のセルにおいて共通制御チャネルを定期的に検出するように動作させることができる。
【０１６８】
本発明のこの実施形態において、上述の共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含むことができる。システム情報ブロックは、システム情報ブロックタイプ1に対応するシステム情報ブロックであってよく、あるいは他のタイプのシステム情報ブロックであってよい。測定を実行するための参照信号は、CSI−RS、CRS、DRS、などであってよい。
【０１６９】
本発明のこの実施形態において、第1のセルにおいて検出された共通制御チャネルが測定の実行のための参照信号を運ぶ共通制御チャネルを含む場合、方法200は、測定を実行するための参照信号に従って、CSI測定および／または無線リソース管理（Radio Resource Management、RRM）測定を実行することをさらに含むことができる。
【０１７０】
随意により、RRM測定は、とりわけRSRP測定およびRSRQ測定を含むことができる。
【０１７１】
本発明のこの実施形態における共通制御チャネルを、共通制御情報を運ぶために使用することができる。随意により、共通制御情報は、同期チャネルによって運ばれる同期信号および／または同期信号によってもたらされる時間（および／または、周波数）同期情報、物理ブロードキャストチャネルによって運ばれる情報、システム情報ブロックによって運ばれる情報、測定の実行のための参照信号、などであってよい。
【０１７２】
本発明のこの実施形態において、同期チャネルは、同期信号を運ぶチャネルであってよく、ここで同期信号は、時間および／または周波数の同期情報をもたらすことができる信号であり、例えばPSS／SSS、CRS、CSI−RS、PRS、またはDRSであってよい。
【０１７３】
本発明のこの実施形態において、上述の通知メッセージは、共通制御チャネルの復調に必要な情報を運ぶことができる。したがって、第1のセルにおいて共通制御チャネルを検出する上述のS230は、共通制御チャネルの復調に必要な情報にもとづいて第1のセルにおいて共通制御チャネルを検出することを含むことができる。
【０１７４】
本発明のこの実施形態において、上述の通知メッセージ（第1の通知メッセージ、第2の通知メッセージ、第3の通知メッセージ、または第4の通知メッセージを含む）は、共通制御チャネルの復調に必要な情報を含むことができる。例えば、共通制御チャネルの復調に必要な情報は、共通制御チャネルが占めるリソース位置、共通制御チャネルに使用された変調および符号化方式、ならびに共通制御チャネルの送信電力情報のうちの少なくとも1つを含むことができる。
【０１７５】
とくには、共通制御チャネルが同期チャネルを含む場合、共通制御チャネルの復調に必要な情報は、同期チャネルによって運ばれる同期信号の時間ドメイン位置、周波数ドメイン位置、および符号ドメイン位置、同期信号のシーケンス形態、などを含むことができる。同期チャネル以外の別の共通制御チャネルについて、共通制御チャネルの復調に必要な情報は、別の共通制御チャネルが占める時間ドメイン位置および周波数ドメイン位置、シーケンスリソース、使用された変調および符号化方式、送信電力情報、などを含むことができる。
【０１７６】
本発明のこの実施形態において、共通制御チャネルの復調のために必要な情報、およびユーザ機器セット内のユーザ機器に対して第1のセルにおいて第1のセルの共通制御チャネルを検出するように指示するために使用される情報を、同じ通知メッセージにおいて運ぶことができ、あるいは異なる通知メッセージにおいて運ぶことができる。例えば、1つの通知メッセージが、ユーザ機器セット内のユーザ機器に対して第1のセルにおいて第1のセルの共通制御チャネルを検出するように指示するために使用される情報を運び、別の通知メッセージが、共通制御チャネルの復調のために必要な情報を含む。あるいは、第1の通知メッセージは、ユーザ機器セット内のユーザ機器に対して第1のセルにおいて第1のセルの共通制御チャネルを検出するように指示するために使用される情報だけを含むことができる。
【０１７７】
本発明のこの実施形態において、上述の通知メッセージ（第1の通知メッセージ、第2の通知メッセージ、第3の通知メッセージ、または第4の通知メッセージを含む）を、物理層シグナリング、RRCブロードキャストシグナリング、RRC専用シグナリング、およびMACシグナリングのうちの少なくとも1つを使用することによって運ぶことができる。
【０１７８】
本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、第2のセルの共通サーチ空間において運ぶことができる。本発明のこの実施形態においては、通知メッセージが、通知メッセージの高速送信を実行することができる物理層シグナリングを使用することによって運ばれ、通知メッセージが第2のセルの共通サーチ空間において運ばれるため、遇されるすべてのユーザ機器または複数キャリアの統合能力を有するユーザ機器のグループなど、ユーザ機器のグループが、通知メッセージを特定のユーザ機器へと別々に送信する必要なく通知メッセージを識別することができ、したがってシグナリングのオーバーヘッドが軽減される。確かに、本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、ユーザ機器ごとのサーチ空間において運ぶこともできる。すなわち、基地局が、物理層シグナリングを使用することによって運ばれる通知メッセージを単一のユーザ機器へと別々に送信することができ、通知メッセージを各々のユーザ機器ごとのサーチ空間へと付加することができる。
【０１７９】
本発明のこの実施形態において、上述の通知メッセージ（第1の通知メッセージ、第2の通知メッセージ、第3の通知メッセージ、または第4の通知メッセージを含む）を、キャリア間スケジューリングシグナリング、共通制御シグナリング、などと称することができる。呼び名にかかわらず、通知メッセージは、本発明において言及される機能を満たすことができ、ユーザ機器セット内のユーザ機器に対して第1のセルにおいて第1のセルの共通制御チャネルを検出するように指示するために使用される限りにおいて、本発明の保護の範囲に包含される。
【０１８０】
上述の通知メッセージは、キャリアアクティベーション情報をさらに運ぶことができる。例えば、上述の通知メッセージの受信時に、ユーザ機器は、キャリアがアクティベートされていると考えることができる。本明細書におけるキャリア（第1のセルなど）を、事前定義によってユーザ機器によって識別することができる。キャリアアクティベーション情報を運ぶ通知メッセージは、例えば第5の通知メッセージなど、第1の通知メッセージ、第2の通知メッセージ、第3の通知メッセージ、および第4の通知メッセージ以外の別の通知メッセージであってもよい。第5の通知メッセージを、第1の通知メッセージ、第2の通知メッセージ、第3の通知メッセージ、または第4の通知メッセージが送信される前に送信することができ、すなわち基地局は、ユーザ機器が第1のセルを識別できるように、最初に第5の通知メッセージを使用することによってユーザ機器のために第1のセルをアクティベートし、次いで第1の通知メッセージ、第2の通知メッセージ、第3の通知メッセージ、または第4の通知メッセージを使用することによってユーザ機器に対して第1のセルによって送信される共通制御チャネルを検出するように指示する。あるいは、第5の通知メッセージを、第1の通知メッセージ、第2の通知メッセージ、第3の通知メッセージ、または第4の通知メッセージが送信された後、かつユーザ機器に対するサービスデータの復調の指示の前に、送信することができ、すなわち基地局は、最初に第1の通知メッセージ、第2の通知メッセージ、第3の通知メッセージ、または第4の通知メッセージを使用することによって、ユーザ機器に対して第1のセルによって送信される共通制御チャネルを検出するように指示し、次いでユーザ機器のために第1のセルをアクティベートすべく第5の通知メッセージを送信し、ユーザ機器に対して第1のセルによって送信されるサービスデータを検出するように指示し、ここで本明細書における検出を復調と理解することができ、サービスデータは例えばPDSCHによって運ばれるデータであってよい。
【０１８１】
本発明のこの実施形態において、上述のユーザ機器セットは、基地局によって遇されるすべてのユーザ機器からなるセットであってよく、あるいは例えば現時点におけるサービスデータの量が比較的多い1つ以上のユーザ機器などの特定のユーザ機器からなるセットであってよい。上述のユーザ機器セット内のユーザ機器が、特定のユーザ機器である場合、上述の通知メッセージを、RRC専用シグナリングを使用することによって運ぶことができる。
【０１８２】
本発明のこの実施形態において、基地局によって第2のセルにて送信される第1の通知メッセージを受信する上述のS210は、第2のセルに対応するスペクトルにおいて基地局によって送信される第1の通知メッセージを受信することを含むことができ、ここで第2のセルに対応するスペクトルは、ライセンススペクトルであり、および／または
共通制御チャネルを第1のセルにおいて検出する必要があると判断する上述のS220は、共通制御チャネルを第1のセルに対応するスペクトルにおいて検出する必要があると判断することを含むことができ、第1のセルにおいて共通制御チャネルを検出する上述のS230は、第1のセルに対応するスペクトルにおいて共通制御チャネルを検出することを含み、ここで第1のセルに対応するスペクトルは、非ライセンススペクトルである。
【０１８３】
方法200において言及されたユーザ機器および基地局が、方法100において言及されたユーザ機器および基地局にそれぞれ相当でき、方法100におけるユーザ機器および基地局の対応する機能をそれぞれ実行できることを、理解すべきである。簡潔さのために、詳細をここで再び説明することはしない。
【０１８４】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。さらに、第1のセルが利用可能な状態であると判断される場合に限り、基地局が、第1のセルにおいて共通制御チャネルを検出するように指示するために使用される通知メッセージを、第2のセルを使用することによってユーザ機器へと送信し、共通制御チャネルを、第1のセルを使用することによってユーザ機器へと送信する。したがって、基地局とWiFiデバイスなどの別のデバイスとの間の相互干渉を回避することができ、別のデバイスが、より多くのリソース競合の機会を得ることもできる。したがって、共用スペクトルをセル構成の形態において適切に使用することができる。
【０１８５】
本発明の実施形態による情報伝送方法を、図1〜図9を参照して上述した。具体的には基地局およびユーザ機器である上述の方法の実行に使用される装置が、図10〜図17を参照して以下で説明される。
【０１８６】
図10は、本発明の実施形態による基地局300の概略のブロック図である。図10に示されるとおり、基地局300は、生成ユニット310および送信ユニット320を備える。
【０１８７】
生成ユニット310は、ユーザ機器セット内のユーザ機器に対して第1のセルにおいて第1のセルの共通制御チャネルを検出するように指示するために用いられる第1の通知メッセージを生成するように構成される。
【０１８８】
送信ユニット320は、生成ユニットによって生成された第1の通知メッセージを第2のセルを使用することによってユーザ機器セット内のユーザ機器へと送信するように構成される。
【０１８９】
送信ユニット320は、第1のセルを使用することによってユーザ機器セット内のユーザ機器へと共通制御チャネルを送信するようにさらに構成される。
【０１９０】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。したがって、共用スペクトルをセル構成の形態において適切に使用することができる。
【０１９１】
随意により、図11に示されるように、基地局300は、第1の判断ユニット330をさらに備え、ここで第1の判断ユニット330は、送信ユニット320が第2のセルを使用することによってユーザ機器セット内のユーザ機器へと第1の通知メッセージを送信する前に、第1のセルが利用可能な状態であると判断するように構成される。
【０１９２】
随意により、送信ユニット320は、第1の判断ユニット330が第1のセルが利用可能な状態であると判断した後に第1のセルにて占有済み信号を送信するようにさらに構成される。とくには、第1の判断ユニット330が第1のセルが利用可能な状態であると判断した後に、生成ユニット310が占有済み信号を生成でき、次いで送信ユニット320が生成ユニット310によって生成された占有済み信号を送信することができる。
【０１９３】
随意により、図11に示されるように、基地局300は、受信ユニット340をさらに備え、第1の判断ユニット330が、とくには受信ユニット340によって受信された信号についてエネルギ検出および／または信号解析を実行することによって第1のセルが利用可能な状態であると判断するように構成される。
【０１９４】
随意により、図11に示されるように、基地局は、ユーザ機器セット内の第1のユーザ機器がエネルギ検出および／または信号解析に従って第1のセルが利用可能な状態であると判断する場合に第1のユーザ機器が送信するリスニング報告メッセージを受信するように構成された受信ユニット340をさらに備え、第1の判断ユニット330が、とくには受信ユニット340によって受信されたリスニング報告メッセージに従って第1のセルが利用可能な状態であると判断するように構成される。
【０１９５】
随意により、図11に示されるように、基地局300は、第2の判断ユニット350をさらに備え、ここで第2の判断ユニット350は、とくには、送信ユニット320が第2のセルを使用することによってユーザ機器セット内のユーザ機器へと第1の通知メッセージを送信する前に、送信ユニット320が第1のセルを使用することによってユーザ機器セット内のユーザ機器へとサービスデータを送信する必要があると判断するように構成され、送信ユニット320は、共通制御チャネルをユーザ機器セット内のユーザ機器へと送信した後で、第1のセルを使用することによってユーザ機器セット内のユーザ機器へとサービスデータを送信するようにさらに構成される。とくには、第2の判断ユニット350が、送信ユニット320が第1のセルを使用することによってユーザ機器セット内のユーザ機器へとサービスデータを送信すると判断した後で、生成ユニット310が、サービスデータを生成でき、次いで送信ユニット320が、生成ユニット310によって生成されたサービスデータを送信することができる。
【０１９６】
随意により、基地局300は、第3の判断ユニット360をさらに備え、ここで第3の判断ユニット360は、共通制御チャネルが同期チャネルを含む場合にユーザ機器セット内のユーザ機器の同期の性能が同期の要件を満たすことができるか否かを判断するように構成され、生成ユニット310が、第3の判断ユニット360がユーザ機器セット内のユーザ機器の同期の性能が同期の要件を満たすことができないと判断する場合に、ユーザ機器セット内のユーザ機器に対して第1のセルにおいて第1のセルの同期チャネルを検出するように指示するために使用される第2の通知メッセージを生成するようにさらに構成され、送信ユニット320が、生成ユニット310によって生成された第2の通知メッセージを第2のセルを使用することによってユーザ機器セット内のユーザ機器へと送信し、同期チャネルを第1のセルを使用することによってユーザ機器セット内のユーザ機器へと送信するようにさらに構成される。
【０１９７】
随意により、基地局300は、第4の判断ユニット370をさらに備え、ここで第4の判断ユニット370は、共通制御チャネルにて運ばれる共通制御情報が更新されたことを判断するように構成され、生成ユニット310が、第4の判断ユニット370が共通制御チャネルにて運ばれる共通制御情報が更新されと判断した後に、更新された共通制御情報を運ぶために使用される第1のセルの更新された共通制御チャネルを第1のセルにおいて検出するようにユーザ機器セット内のユーザ機器に対して指示するために使用される第3の通知メッセージを生成するようにさらに構成され、送信ユニット320が、生成ユニット310によって生成された第3の通知メッセージを第2のセルを使用することによってユーザ機器セット内のユーザ機器へと送信し、更新された共通制御チャネルを第1のセルを使用することによってユーザ機器セット内のユーザ機器へと送信するようにさらに構成される。
【０１９８】
随意により、送信ユニット320は、共通制御チャネルをユーザ機器セット内のユーザ機器へと定期的に送信するようにとくに構成される。
【０１９９】
生成ユニット310は、第1の判断ユニット330が第1のセルが別のデバイスによって占められていると判断する場合に、ユーザ機器セット内のユーザ機器に対して共通制御チャネルの検出を停止するように指示するために使用されるストップ検出メッセージを生成するようにさらに構成され、送信ユニット320が、ストップ検出メッセージを第2のセルを使用することによってユーザ機器セット内のユーザ機器へと送信するようにさらに構成される。随意により、第1の判断ユニット330は、受信ユニット340によって受信された信号についてエネルギ検出および／または信号解析を実行することによって第1のセルが別のデバイスによって占められているか否かを判断することができる。具体的な実施については、方法100の説明を参照することができる。
【０２００】
随意により、生成ユニット310は、送信ユニット320がストップ検出メッセージを送信し、第1の判断ユニット330が第1のセルが利用可能な状態であると判断した後で、ユーザ機器セット内のユーザ機器に対して第1のセルにおいて第1のセルの共通制御チャネルを検出するように指示するために使用される第4の通知メッセージを生成するようにさらに構成され、送信ユニット320は、生成ユニット310によって生成された第4の通知メッセージを送信し、共通制御チャネルを第1のセルを使用することによってユーザ機器セット内のユーザ機器へと定期的に送信するようにさらに構成される。
【０２０１】
随意により、送信ユニット320は、第2のセルに対応するスペクトルを使用することによって、生成ユニット310によって生成された第1の通知メッセージをユーザ機器セット内のユーザ機器へと送信するようにとくに構成され、ここで第2のセルに対応するスペクトルは、ライセンススペクトルであり、および／あるいは送信ユニット320は、第1のセルに対応するスペクトルを使用することによって、ユーザ機器セット内のユーザ機器へと共通制御チャネルを送信するようにとくに構成され、ここで第1のセルに対応するスペクトルは、非ライセンススペクトルである。
【０２０２】
随意により、本発明のこの実施形態において述べられる第2のセルは、基地局および／またはユーザ機器に対応するプライマリセル（Primary cell、PCell）であってよく、第1のセルは、基地局および／またはユーザ機器に対応するセカンダリセル（Secondary cell、SCell）であってよい。本発明のこの実施形態において、第2のセルを使用することによるメッセージ（具体的には、以下で述べられる第1の通知メッセージ、第2の通知メッセージ、第3の通知メッセージ、または第4の通知メッセージであってよい）の送信は、第2のセルに対応するスペクトルを使用することによるチャネルの送信である。第1のセルを使用することによるチャネル（具体的には、共通制御チャネルまたはサービスデータの搬送に用いられるチャネルであってよい）の送信は、第1のセルに対応するスペクトルを使用することによるメッセージの送信である。第1のセルに対応するスペクトルは、非ライセンス（unlicensed）スペクトルであってよく、かつ／または第2のセルに対応するスペクトルは、ライセンス（licensed）スペクトルであってよい。第1のセルに対応するスペクトルは、LTEシステムにおけるデバイスおよび別のデバイスによって一緒に使用される共用スペクトルであってよく、ここで別のデバイスは、WiFiデバイスであってよい。
【０２０３】
随意により、第2のセルおよび第1のセルは、同じ基地局に属することができる。例えば、第2のセルおよび第1のセルの両方が、同じマクロ基地局に属することができる。また、第2のセルおよび第1のセルが、異なる基地局に属してもよい。例えば、第2のセルが、マクロ基地局に属し、第1のセルが、スモールセル（small cell）に対応する基地局（送信出力が小さい基地局）に属する。本明細書におけるスモールセルは、メトロセル（Metro cell）、マイクロセル（Micro cell）、ピコセル（Pico cell）、フェムトセル（Femto cell）、無線フィディリティ（Wireless Fidelity、WiFi）技術を使用する無線ローカルエリアネットワーク（Wireless Local Area Networks、WLAN）、などを含むことができる。これらのスモールセルは、小さなカバレッジ範囲および小さな送信出力を特徴とし、高速データ伝送サービスを提供することができる。
【０２０４】
本発明のこの実施形態において、上述の共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含むことができる。システム情報ブロックは、システム情報ブロックタイプ1に対応するシステム情報ブロックであってよく、あるいは他のタイプのシステム情報ブロックであってよい。測定を実行するための参照信号は、CSI−RS、CRS、またはDRSであってよい。
【０２０５】
本発明のこの実施形態において、上述の通知メッセージ（第1の通知メッセージ、第2の通知メッセージ、第3の通知メッセージ、または第4の通知メッセージを含む）は、共通制御チャネルの復調に必要な情報を含むことができる。例えば、共通制御チャネルの復調に必要な情報は、共通制御チャネルが占めるリソース位置、共通制御チャネルに使用された変調および符号化方式、ならびに共通制御チャネルの送信電力情報のうちの少なくとも1つを含むことができる。
【０２０６】
とくには、共通制御チャネルが同期チャネルを含む場合、共通制御チャネルの復調に必要な情報は、同期チャネルによって運ばれる同期信号の時間ドメイン位置、周波数ドメイン位置、および符号ドメイン位置、同期信号のシーケンス形態、などを含むことができる。同期チャネル以外の別の共通制御チャネルについて、共通制御チャネルの復調に必要な情報は、別の共通制御チャネルが占める時間ドメイン位置および周波数ドメイン位置、シーケンスリソース、使用された変調および符号化方式、送信電力情報、などを含むことができる。
【０２０７】
本発明のこの実施形態において、共通制御チャネルの復調のために必要な情報、およびユーザ機器セット内のユーザ機器に対して第1のセルにおいて第1のセルの共通制御チャネルを検出するように指示するために使用される情報を、同じ通知メッセージにおいて運ぶことができ、あるいは異なる通知メッセージにおいて運ぶことができる。例えば、上述の第1の通知メッセージが、複数の通知メッセージを含むことができ、ここで1つの通知メッセージが、ユーザ機器セット内のユーザ機器に対して第1のセルにおいて第1のセルの共通制御チャネルを検出するように指示するために使用される情報を運び、別の通知メッセージが、共通制御チャネルの復調のために必要な情報を含む。あるいは、第1の通知メッセージは、ユーザ機器セット内のユーザ機器に対して第1のセルにおいて第1のセルの共通制御チャネルを検出するように指示するために使用される情報だけを含むことができる。
【０２０８】
本発明のこの実施形態において、上述の通知メッセージ（第1の通知メッセージ、第2の通知メッセージ、第3の通知メッセージ、または第4の通知メッセージを含む）を、物理層シグナリング、無線リソース制御（Radio Resource Control、RRC）ブロードキャストシグナリング、RRC専用シグナリング、および媒体アクセス制御（Media Access Control、MAC）シグナリングのうちの少なくとも1つを使用することによって運ぶことができる。
【０２０９】
本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、第2のセルの共通サーチ空間において運ぶことができる。本発明のこの実施形態においては、通知メッセージが、通知メッセージの高速送信を実行することができる物理層シグナリングを使用することによって運ばれ、通知メッセージが第2のセルの共通サーチ空間において運ばれるため、遇されるすべてのユーザ機器または複数キャリアの統合能力を有するユーザ機器のグループなど、ユーザ機器のグループが、通知メッセージを特定のユーザ機器へと別々に送信する必要なく通知メッセージを識別することができ、したがってシグナリングのオーバーヘッドが軽減される。確かに、本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、ユーザ機器ごとのサーチ空間において運ぶこともできる。すなわち、基地局が、物理層シグナリングを使用することによって運ばれる通知メッセージを単一のユーザ機器へと別々に送信することができ、通知メッセージを各々のユーザ機器ごとのサーチ空間へと付加することができる。
【０２１０】
本発明のこの実施形態において、上述の通知メッセージ（第1の通知メッセージ、第2の通知メッセージ、第3の通知メッセージ、または第4の通知メッセージを含む）を、キャリア間スケジューリングシグナリング、共通制御シグナリング、などと称することができる。呼び名にかかわらず、通知メッセージは、本発明において言及される機能を満たすことができ、ユーザ機器セット内のユーザ機器に対して第1のセルにおいて第1のセルの共通制御チャネルを検出するように指示するために使用される限りにおいて、本発明の保護の範囲に包含される。
【０２１１】
上述の通知メッセージは、キャリアアクティベーション情報をさらに運ぶことができる。例えば、上述の通知メッセージの受信時に、ユーザ機器は、キャリアがアクティベートされていると考えることができる。本明細書におけるキャリア（第1のセルなど）を、事前定義によってユーザ機器によって識別することができる。キャリアアクティベーション情報を運ぶ通知メッセージは、例えば第5の通知メッセージなど、第1の通知メッセージ、第2の通知メッセージ、第3の通知メッセージ、および第4の通知メッセージ以外の別の通知メッセージであってもよい。第5の通知メッセージを、第1の通知メッセージ、第2の通知メッセージ、第3の通知メッセージ、または第4の通知メッセージが送信される前に送信することができ、すなわち基地局は、ユーザ機器が第1のセルを識別できるように、最初に第5の通知メッセージを使用することによってユーザ機器のために第1のセルをアクティベートし、次いで第1の通知メッセージ、第2の通知メッセージ、第3の通知メッセージ、または第4の通知メッセージを使用することによってユーザ機器に対して第1のセルによって送信される共通制御チャネルを検出するように指示する。あるいは、第5の通知メッセージを、第1の通知メッセージ、第2の通知メッセージ、第3の通知メッセージ、または第4の通知メッセージが送信された後、かつユーザ機器に対するサービスデータの復調の指示の前に、送信することができ、すなわち基地局は、最初に第1の通知メッセージ、第2の通知メッセージ、第3の通知メッセージ、または第4の通知メッセージを使用することによって、ユーザ機器に対して第1のセルによって送信される共通制御チャネルを検出するように指示し、次いでユーザ機器のために第1のセルをアクティベートすべく第5の通知メッセージを送信し、ユーザ機器に対して第1のセルによって送信されるサービスデータを検出するように指示し、ここで本明細書における検出を復調と理解することができ、サービスデータは例えばPDSCHによって運ばれるデータであってよい。
【０２１２】
キャリアアクティベーション情報が、ユーザ機器によるキャリアの識別を可能にする情報であることを、理解すべきである。本発明のこの実施形態において言及されるキャリアアクティベーション情報は、ユーザ機器による第1のセルの識別を可能にする情報である。キャリアアクティベーション情報を、キャリアアクティベーション表示情報と称することもできる。呼び名にかかわらず、キャリアアクティベーション情報は、上述の機能の実行に使用することができる限りにおいて、本発明の保護の範囲に包含される。
【０２１３】
上述の通知メッセージは、ユーザ機器が通知メッセージを受信することによって第1のセルのオペレータについての情報を学ぶことができるように、第1のセルのオペレータについての情報をさらに運ぶことができる。
【０２１４】
本発明のこの実施形態において、上述のユーザ機器セットは、基地局によって遇されるすべてのユーザ機器からなるセットであってよく、あるいは例えば現時点におけるサービスデータの量が比較的多い1つ以上のユーザ機器などの特定のユーザ機器からなるセットであってよい。上述のユーザ機器セット内のユーザ機器が、特定のユーザ機器である場合、上述の通知メッセージを、RRC専用シグナリングを使用することによって運ぶことができる。
【０２１５】
基地局300が、方法100または200における基地局に相当でき、方法100または200において基地局によって実行される対応する機能を実行できることを、理解すべきである。簡潔さのために、詳細をここで再び説明することはしない。
【０２１６】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。さらに、第1のセルが利用可能な状態であると判断される場合に限り、基地局が、第1のセルにおいて共通制御チャネルを検出するように指示するために使用される通知メッセージを、第2のセルを使用することによってユーザ機器へと送信し、共通制御チャネルを、第1のセルを使用することによってユーザ機器へと送信する。したがって、基地局とWiFiデバイスなどの別のデバイスとの間の相互干渉を回避することができ、別のデバイスが、より多くのリソース競合の機会を得ることもできる。さらに、第1のセルがアイドル状態にあると判断されるとき、基地局は、第1のセルにて占有済み信号を送信し、したがって第1のセルが別のデバイスによって占められることを回避することができる。したがって、共用スペクトルをセル構成の形態において適切に使用することができる。
【０２１７】
図12が、本発明の実施形態によるユーザ機器400の概略のブロック図である。図12に示されるとおり、ユーザ機器400は、受信ユニット410と、判断ユニット420と、検出ユニット430とを備える。
【０２１８】
受信ユニット410は、基地局によって第2のセルにて送信され、第1のセルにおいて第1のセルの共通制御チャネルを検出するように指示するために用いられる第1の通知メッセージを、受信するように構成される。
【０２１９】
判断ユニット420は、受信ユニット410によって受信された第1の通知メッセージにもとづいて、検出ユニット430によって共通制御チャネルを第1のセルにおいて検出する必要があると判断するように構成される。
【０２２０】
検出ユニット430は、第1のセルにおいて共通制御チャネルを検出するように構成される。
【０２２１】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。したがって、共用スペクトルをセル構成の形態において適切に使用することができる。
【０２２２】
随意により、受信ユニット410は、とくには、基地局が第1のセルが利用可能な状態であると判断するときに基地局によって送信される第1の通知メッセージを受信するように構成される。
【０２２３】
随意により、判断ユニット420は、エネルギ検出および／または信号解析に従って第1のセルが利用可能な状態であると判断するようにさらに構成される。図13に示されるとおり、ユーザ機器は、生成ユニット440および送信ユニット450をさらに備える。
【０２２４】
生成ユニット440は、判断ユニット420が第1のセルが利用可能な状態であると判断した後に、基地局によって第1のセルが利用可能な状態であると判断するために使用されるリスニング報告メッセージを生成するように構成され、送信ユニット450は、生成ユニット440によって生成されたリスニング報告メッセージを基地局へと送信するように構成される。
【０２２５】
随意により、受信ユニット410は、第1のセルにおいて基地局によって送信されるサービスデータを受信するようにさらに構成される。
【０２２６】
随意により、受信ユニット410は、第1のセルに対応するスペクトルにおいて基地局によって送信される第2の通知メッセージを受信するようにさらに構成され、ここで第2の通知メッセージは、基地局がユーザ機器の同期の性能が同期の要件を満たすことができないと判断するときに基地局によって送信され、第2のセルに対応するスペクトルにおいて第2のセルに対応するスペクトルの同期チャネルを検出するように指示するために使用される。
【０２２７】
判断ユニット420は、受信ユニット410によって受信された第2の通知メッセージにもとづいて、検出ユニット430が第2のセルに対応するスペクトルにおいて第2のセルに対応するスペクトルの同期チャネルを検出する必要があると判断するようにさらに構成され、検出ユニット430は、第2のセルに対応するスペクトルにおいて第2のセルに対応するスペクトルの同期チャネルを検出するようにさらに構成される。
【０２２８】
随意により、受信ユニット410は、基地局によって第2のセルにて送信される第3の通知メッセージであって、共通制御チャネルにて運ばれる共通制御情報が更新されたと基地局が判断するときに基地局によって送信され、第1のセルの更新された共通制御情報を運ぶために使用される更新された共通制御チャネルを第1のセルにおいて検出するように指示するために使用される第3の通知メッセージを受信するようにさらに構成され、判断ユニット420は、受信ユニット410によって受信された第3の通知メッセージにもとづいて、検出ユニット430が更新された共通制御チャネルを第1のセルにおいて検出する必要があると判断するようにさらに構成され、検出ユニット430は、更新された共通制御チャネルを第1のセルにおいて検出するようにさらに構成される。
【０２２９】
随意により、検出ユニット430は、受信ユニット410によって受信された第1の通知メッセージにもとづいて、第1のセルにおいて共通制御チャネルを定期的に検出するようにとくに構成される。
【０２３０】
受信ユニット410は、第2のセルにて基地局によって送信されるストップ検出メッセージを受信するようにさらに構成され、ここでストップ検出メッセージは、基地局が第1のセルが別のデバイスによって占められていると判断するときに基地局によって送信され、共通制御チャネルの検出を停止するように指示するために用いられ、判断ユニット420は、受信ユニット410によって受信されたストップ検出メッセージにもとづいて、検出ユニット430が第1のセルにおける共通制御チャネルの検出を停止する必要があると判断するようにさらに構成され、検出ユニット430は、第1のセルにおける共通制御チャネルの検出を停止するようにさらに構成される。
【０２３１】
随意により、受信ユニット410は、第1のセルにおける共通制御チャネルの停止の検出後に、基地局が第1のセルが利用可能な状態であると判断するときに基地局によって送信される第4の通知メッセージを受信するようにさらに構成され、ここで第4の通知メッセージは、第1のセルにおいて第1のセルの共通制御チャネルを検出するように指示するために用いられ、判断ユニット420は、受信ユニット410によって受信された第4の通知メッセージにもとづいて、検出ユニット430が第1のセルにおいて共通制御チャネルを定期的に検出する必要があると判断するようにさらに構成され、検出ユニット430は、第1のセルにおいて共通制御チャネルを定期的に検出するようにさらに構成される。
【０２３２】
随意により、第1の通知メッセージは、共通制御チャネルの復調に必要な情報を運び、判断ユニット420は、第1の通知メッセージにもとづき、検出ユニット430が共通制御チャネルの復調に必要な情報にもとづいて第1のセルにおいて共通制御チャネルを検出する必要があると判断するようにとくに構成され、検出ユニット430は、共通制御チャネルの復調に必要な情報にもとづいて、第1のセルにおいて共通制御チャネルを検出するようにとくに構成される。
【０２３３】
随意により、判断ユニット420は、受信ユニット410によって受信された第1の通知メッセージにもとづいて、検出ユニット430がブラインド検出によって第1のセルにおいて共通制御チャネルを検出する必要があると判断するように構成され、検出ユニット430は、ブラインド検出によって第1のセルにおいて共通制御チャネルを検出するようにとくに検出される。
【０２３４】
随意により、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【０２３５】
随意により、図13に示されるように、ユーザ機器400は、測定ユニット440をさらに備え、測定ユニット440は、検出ユニット430によって検出された共通制御チャネルが測定の実行のための参照信号を運ぶ共通制御チャネルを含む場合に、測定の実行のための参照信号に従って、CSI測定および／またはRRM測定を実行するように構成される。
【０２３６】
随意により、第1の通知メッセージは、物理層シグナリングを使用することによって運ばれ、第2のセルの共通サーチ空間において運ばれる。
【０２３７】
随意により、受信ユニット410は、第2のセルに対応するスペクトルにおいて基地局によって送信される第1の通知メッセージを受信するようにとくに構成され、ここで第2のセルに対応するスペクトルは、ライセンススペクトルであり、および／あるいは判断ユニット420は、検出ユニット430が第1のセルに対応するスペクトルにおいて共通制御チャネルを検出する必要があると判断するようにとくに構成され、検出ユニット430は、第1のセルに対応するスペクトルにおいて共通制御チャネルを検出するようにとくに構成され、ここで第1のセルに対応するスペクトルは、非ライセンススペクトルである。
【０２３８】
随意により、本発明のこの実施形態において述べられる第2のセルは、基地局および／またはユーザ機器に対応するプライマリセル（Primary cell、PCell）であってよく、第1のセルは、基地局および／またはユーザ機器に対応するセカンダリセル（Secondary cell、SCell）であってよい。本発明のこの実施形態において、第2のセルにて送信されるメッセージ（具体的には、以下で述べられる第1の通知メッセージ、第2の通知メッセージ、第3の通知メッセージ、または第4の通知メッセージであってよい）の受信は、第2のセルに対応するスペクトルにおいて送信されるメッセージの受信である。第1のセルを使用することによるチャネル（具体的には、共通制御チャネルまたはサービスデータの搬送に用いられるチャネルであってよい）の受信は、第1のセルに対応するスペクトルを使用することによるチャネルの受信である。第1のセルに対応するスペクトルは、非ライセンス（unlicensed）スペクトルであってよく、かつ／または第2のセルに対応するスペクトルは、ライセンス（licensed）スペクトルであってよい。第1のセルに対応するスペクトルは、LTEシステムにおけるデバイスおよび別のデバイスによって一緒に使用される共用スペクトルであってよく、ここで別のデバイスは、WiFiデバイスであってよい。
【０２３９】
随意により、第2のセルおよび第1のセルは、同じ基地局に属することができる。例えば、第2のセルおよび第1のセルの両方が、同じマクロ基地局に属することができる。また、第2のセルおよび第1のセルが、異なる基地局に属してもよい。例えば、第2のセルが、マクロ基地局に属し、第1のセルが、スモールセル（small cell）に対応する基地局（送信出力が小さい基地局）に属する。本明細書におけるスモールセルは、メトロセル（Metro cell）、マイクロセル（Micro cell）、ピコセル（Pico cell）、フェムトセル（Femto cell）、無線フィディリティ（Wireless Fidelity、WiFi）技術を使用する無線ローカルエリアネットワーク（Wireless Local Area Networks、WLAN）、などを含むことができる。これらのスモールセルは、小さなカバレッジ範囲および小さな送信出力を特徴とし、高速データ伝送サービスを提供することができる。
【０２４０】
本発明のこの実施形態において、上述の共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含むことができる。システム情報ブロックは、システム情報ブロックタイプ1に対応するシステム情報ブロックであってよく、あるいは他のタイプのシステム情報ブロックであってよい。測定を実行するための参照信号は、CSI−RS、CRS、またはDRSであってよい。
【０２４１】
本発明のこの実施形態において、上述の通知メッセージ（第1の通知メッセージ、第2の通知メッセージ、第3の通知メッセージ、または第4の通知メッセージを含む）は、共通制御チャネルの復調に必要な情報を含むことができる。例えば、共通制御チャネルの復調に必要な情報は、共通制御チャネルが占めるリソース位置、共通制御チャネルに使用された変調および符号化方式、ならびに共通制御チャネルの送信電力情報のうちの少なくとも1つを含むことができる。
【０２４２】
とくには、共通制御チャネルが同期チャネルを含む場合、共通制御チャネルの復調に必要な情報は、同期チャネルによって運ばれる同期信号の時間ドメイン位置、周波数ドメイン位置、および符号ドメイン位置、同期信号のシーケンス形態、などを含むことができる。同期チャネル以外の別の共通制御チャネルについて、共通制御チャネルの復調に必要な情報は、別の共通制御チャネルが占める時間ドメイン位置および周波数ドメイン位置、シーケンスリソース、使用された変調および符号化方式、送信電力情報、などを含むことができる。
【０２４３】
本発明のこの実施形態において、共通制御チャネルの復調のために必要な情報、およびユーザ機器セット内のユーザ機器に対して第1のセルにおいて第1のセルの共通制御チャネルを検出するように指示するために使用される情報を、同じ通知メッセージにおいて運ぶことができ、あるいは異なる通知メッセージにおいて運ぶことができる。例えば、上述の第1の通知メッセージが、複数の通知メッセージを含むことができ、ここで1つの通知メッセージが、ユーザ機器セット内のユーザ機器に対して第1のセルにおいて第1のセルの共通制御チャネルを検出するように指示するために使用される情報を運び、別の通知メッセージが、共通制御チャネルの復調のために必要な情報を含む。あるいは、第1の通知メッセージは、ユーザ機器セット内のユーザ機器に対して第1のセルにおいて第1のセルの共通制御チャネルを検出するように指示するために使用される情報だけを含むことができる。
【０２４４】
本発明のこの実施形態において、上述の通知メッセージ（第1の通知メッセージ、第2の通知メッセージ、第3の通知メッセージ、または第4の通知メッセージを含む）を、物理層シグナリング、無線リソース制御（Radio Resource Control、RRC）ブロードキャストシグナリング、RRC専用シグナリング、および媒体アクセス制御（Media Access Control、MAC）シグナリングのうちの少なくとも1つを使用することによって運ぶことができる。
【０２４５】
本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、第2のセルの共通サーチ空間において運ぶことができる。本発明のこの実施形態においては、通知メッセージが、通知メッセージの高速送信を実行することができる物理層シグナリングを使用することによって運ばれ、通知メッセージが第2のセルの共通サーチ空間において運ばれるため、遇されるすべてのユーザ機器または複数キャリアの統合能力を有するユーザ機器のグループなど、ユーザ機器のグループが、通知メッセージを特定のユーザ機器へと別々に送信する必要なく通知メッセージを識別することができ、したがってシグナリングのオーバーヘッドが軽減される。確かに、本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、ユーザ機器ごとのサーチ空間において運ぶこともできる。すなわち、基地局が、物理層シグナリングを使用することによって運ばれる通知メッセージを単一のユーザ機器へと別々に送信することができ、通知メッセージを各々のユーザ機器ごとのサーチ空間へと付加することができる。
【０２４６】
本発明のこの実施形態において、上述の通知メッセージ（第1の通知メッセージ、第2の通知メッセージ、第3の通知メッセージ、または第4の通知メッセージを含む）を、キャリア間スケジューリングシグナリング、共通制御シグナリング、などと称することができる。呼び名にかかわらず、通知メッセージは、本発明において言及される機能を満たすことができ、ユーザ機器セット内のユーザ機器に対して第1のセルにおいて第1のセルの共通制御チャネルを検出するように指示するために使用される限りにおいて、本発明の保護の範囲に包含される。
【０２４７】
上述の通知メッセージは、キャリアアクティベーション情報をさらに運ぶことができる。例えば、上述の通知メッセージの受信時に、ユーザ機器は、キャリアがアクティベートされていると考えることができる。本明細書におけるキャリア（第1のセルなど）を、事前定義によってユーザ機器によって識別することができる。キャリアアクティベーション情報を運ぶ通知メッセージは、例えば第5の通知メッセージなど、第1の通知メッセージ、第2の通知メッセージ、第3の通知メッセージ、および第4の通知メッセージ以外の別の通知メッセージであってもよい。第5の通知メッセージを、第1の通知メッセージ、第2の通知メッセージ、第3の通知メッセージ、または第4の通知メッセージが送信される前に送信することができ、すなわち基地局は、ユーザ機器が第1のセルを識別できるように、最初に第5の通知メッセージを使用することによってユーザ機器のために第1のセルをアクティベートし、次いで第1の通知メッセージ、第2の通知メッセージ、第3の通知メッセージ、または第4の通知メッセージを使用することによってユーザ機器に対して第1のセルによって送信される共通制御チャネルを検出するように指示する。あるいは、第5の通知メッセージを、第1の通知メッセージ、第2の通知メッセージ、第3の通知メッセージ、または第4の通知メッセージが送信された後、かつユーザ機器に対するサービスデータの復調の指示の前に、送信することができ、すなわち基地局は、最初に第1の通知メッセージ、第2の通知メッセージ、第3の通知メッセージ、または第4の通知メッセージを使用することによって、ユーザ機器に対して第1のセルによって送信される共通制御チャネルを検出するように指示し、次いでユーザ機器のために第1のセルをアクティベートすべく第5の通知メッセージを送信し、ユーザ機器に対して第1のセルによって送信されるサービスデータを検出するように指示し、ここで本明細書における検出を復調と理解することができ、サービスデータは例えばPDSCHによって運ばれるデータであってよい。
【０２４８】
キャリアアクティベーション情報が、ユーザ機器によるキャリアの識別を可能にする情報であることを、理解すべきである。本発明のこの実施形態において言及されるキャリアアクティベーション情報は、ユーザ機器による第1のセルの識別を可能にする情報である。キャリアアクティベーション情報を、キャリアアクティベーション表示情報と称することもできる。呼び名にかかわらず、キャリアアクティベーション情報は、上述の機能の実行に使用することができる限りにおいて、本発明の保護の範囲に包含される。
【０２４９】
上述の通知メッセージは、ユーザ機器が通知メッセージを受信することによって第1のセルのオペレータについての情報を学ぶことができるように、第1のセルのオペレータについての情報をさらに運ぶことができる。
【０２５０】
本発明のこの実施形態において、上述のユーザ機器セットは、基地局によって遇されるすべてのユーザ機器からなるセットであってよく、あるいは例えば現時点におけるサービスデータの量が比較的多い1つ以上のユーザ機器などの特定のユーザ機器からなるセットであってよい。上述のユーザ機器セット内のユーザ機器が、特定のユーザ機器である場合、上述の通知メッセージを、RRC専用シグナリングを使用することによって運ぶことができる。
【０２５１】
ユーザ機器400が、方法100または200におけるユーザ機器に相当でき、方法100または200においてユーザ機器によって実行される対応する機能を実行できることを、理解すべきである。簡潔さのために、詳細をここで再び説明することはしない。
【０２５２】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。さらに、第1のセルが利用可能な状態であると判断される場合に限り、基地局が、第1のセルにおいて共通制御チャネルを検出するように指示するために使用される通知メッセージを、第2のセルを使用することによってユーザ機器へと送信し、共通制御チャネルを、第1のセルを使用することによってユーザ機器へと送信する。したがって、基地局とWiFiデバイスなどの別のデバイスとの間の相互干渉を回避することができ、別のデバイスが、より多くのリソース競合の機会を得ることもできる。したがって、共用スペクトルをセル構成の形態において適切に使用することができる。
【０２５３】
図14は、本発明の実施形態による基地局500の概略のブロック図である。図14に示されるように、基地局500は、プロセッサ510および送信機520を備え、ここでプロセッサ510は、ユーザ機器セット内のユーザ機器に対して第1のセルの共通制御チャネルを第1のセルにおいて検出するように指示するために使用される第1の通知メッセージを生成するように構成され、送信機520は、プロセッサ510によって生成された第1の通知メッセージを第2のセルを使用することによってユーザ機器セット内のユーザ機器へと送信し、共通制御チャネルを第1のセルを使用することによってユーザ機器セット内のユーザ機器へと送信するように構成される。
【０２５４】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。したがって、共用スペクトルをセル構成の形態において適切に使用することができる。
【０２５５】
随意により、送信機520が第1の通知メッセージを第2のセルを使用することによってユーザ機器セット内のユーザ機器へと送信する前に、プロセッサ510は、第1のセルが利用可能な状態であると判断するようにさらに構成される。
【０２５６】
随意により、送信機520は、プロセッサ510が第1のセルが利用可能な状態であると判断した後に第1のセルにて占有済み信号を送信するようにさらに構成される。
【０２５７】
随意により、図15に示されるように、基地局500は、受信機530をさらに備え、プロセッサ510が、とくには受信機530によって受信された信号についてエネルギ検出および／または信号解析を実行することによって第1のセルが利用可能な状態であると判断するように構成される。
【０２５８】
随意により、図15に示されるように、基地局500は、ユーザ機器セット内の第1のユーザ機器がエネルギ検出および／または信号解析に従って第1のセルが利用可能な状態であると判断する場合に第1のユーザ機器が送信するリスニング報告メッセージを受信するように構成された受信機530をさらに備え、プロセッサ510が、とくには受信機530によって受信されたリスニング報告メッセージに従って第1のセルが利用可能な状態であると判断するように構成される。
【０２５９】
随意により、プロセッサ510は、送信機520が第2のセルを使用することによってユーザ機器セット内のユーザ機器へと第1の通知メッセージを送信する前に、第1のセルを使用することによってユーザ機器セット内のユーザ機器へとサービスデータを送信する必要があると判断するようにさらに構成される。
【０２６０】
送信機520は、ユーザ機器セット内のユーザ機器へと共通制御チャネルを送信した後で、第1のセルを使用することによってユーザ機器セット内のユーザ機器へとサービスデータを送信するようにさらに構成される。
【０２６１】
随意により、プロセッサ510は、共通制御チャネルが同期チャネルを含む場合に、ユーザ機器セット内のユーザ機器の同期の性能が同期の要件を満たすことができるか否かを判断し、ユーザ機器セット内のユーザ機器の同期の性能が同期の要件を満たすことができないと判断される場合に、ユーザ機器セット内のユーザ機器に対して第1のセルにおいて第1のセルの同期チャネルを検出するように指示するために使用される第2の通知メッセージを生成するようにさらに構成され、送信機520は、プロセッサ510によって生成された第2の通知メッセージを第2のセルを使用することによってユーザ機器セット内のユーザ機器へと送信し、同期チャネルを第1のセルを使用することによってユーザ機器セット内のユーザ機器へと送信するようにさらに構成される。
【０２６２】
随意により、プロセッサ510は、共通制御チャネルにて運ばれる共通制御情報の更新を判断し、第1のセルの更新された共通制御情報を運ぶために使用される更新された共通制御チャネルを第1のセルにおいて検出するようにユーザ機器セット内のユーザ機器に対して指示するために使用される第3の通知メッセージを生成するようにさらに構成され、送信機520は、プロセッサ510によって生成された第3の通知メッセージを第2のセルを使用することによってユーザ機器セット内のユーザ機器へと送信し、更新された共通制御チャネルを第1のセルを使用することによってユーザ機器セット内のユーザ機器へと送信するようにさらに構成される。
【０２６３】
随意により、送信機520は、ユーザ機器セット内のユーザ機器へと共通制御チャネルを定期的に送信するようにとくに構成され、プロセッサ510は、第1のセルが別のデバイスによって占められているか否かを判断し、第1のセルが別のデバイスによって占められていると判断される場合に、ユーザ機器セット内のユーザ機器に対して共通制御チャネルの検出を停止するように指示するために使用されるストップ検出メッセージを生成するようにさらに構成され、送信機520は、プロセッサ510によって生成されたストップ検出メッセージを第2のセルを使用することによってユーザ機器セット内のユーザ機器へと送信するようにさらに構成される。随意により、プロセッサ510は、受信機530によって受信された信号についてエネルギ検出および／または信号解析を実行することによって、第1のセルが別のデバイスによって占められているか否かを判断することができる。具体的な実施については、方法100の説明を参照することができる。
【０２６４】
随意により、プロセッサ510は、送信機520がストップ検出メッセージを送信した後に、第1のセルが利用可能な状態であると判断し、ユーザ機器セット内のユーザ機器に対して第1のセルにおいて第1のセルの共通制御チャネルを検出するように指示するために使用される第4の通知メッセージを生成するようにさらに構成され、送信機520は、プロセッサ510によって生成された第4の通知メッセージを第2のセルを使用することによってユーザ機器セット内のユーザ機器へと送信し、共通制御チャネルを第1のセルを使用することによってユーザ機器セット内のユーザ機器へと定期的に送信するようにさらに構成される。
【０２６５】
随意により、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【０２６６】
随意により、第1の通知メッセージは、物理層シグナリングを使用することによって運ばれ、第2のセルの共通サーチ空間において運ばれる。
【０２６７】
随意により、送信機520は、第2のセルに対応するスペクトルを使用することによって、プロセッサ510によって生成された第1の通知メッセージをユーザ機器セット内のユーザ機器へと送信するようにとくに構成され、ここで第2のセルに対応するスペクトルは、ライセンススペクトルであり、および／あるいは送信機520は、第1のセルに対応するスペクトルを使用することによって、ユーザ機器セット内のユーザ機器へと共通制御チャネルを送信するようにとくに構成され、ここで第1のセルに対応するスペクトルは、非ライセンススペクトルである。
【０２６８】
随意により、本発明のこの実施形態において述べられる第2のセルは、基地局および／またはユーザ機器に対応するプライマリセル（Primary cell、PCell）であってよく、第1のセルは、基地局および／またはユーザ機器に対応するセカンダリセル（Secondary cell、SCell）であってよい。本発明のこの実施形態において、第2のセルを使用することによるメッセージ（具体的には、以下で述べられる第1の通知メッセージ、第2の通知メッセージ、第3の通知メッセージ、または第4の通知メッセージであってよい）の送信は、第2のセルに対応するスペクトルを使用することによるチャネルの送信である。第1のセルを使用することによるチャネル（具体的には、共通制御チャネルまたはサービスデータの搬送に用いられるチャネルであってよい）の送信は、第1のセルに対応するスペクトルを使用することによるメッセージの送信である。第1のセルに対応するスペクトルは、非ライセンス（unlicensed）スペクトルであってよく、かつ／または第2のセルに対応するスペクトルは、ライセンス（licensed）スペクトルであってよい。第1のセルに対応するスペクトルは、LTEシステムにおけるデバイスおよび別のデバイスによって一緒に使用される共用スペクトルであってよく、ここで別のデバイスは、WiFiデバイスであってよい。
【０２６９】
随意により、第2のセルおよび第1のセルは、同じ基地局に属することができる。例えば、第2のセルおよび第1のセルの両方が、同じマクロ基地局に属することができる。また、第2のセルおよび第1のセルが、異なる基地局に属してもよい。例えば、第2のセルが、マクロ基地局に属し、第1のセルが、スモールセル（small cell）に対応する基地局（送信出力が小さい基地局）に属する。本明細書におけるスモールセルは、メトロセル（Metro cell）、マイクロセル（Micro cell）、ピコセル（Pico cell）、フェムトセル（Femto cell）、無線フィディリティ（Wireless Fidelity、WiFi）技術を使用する無線ローカルエリアネットワーク（Wireless Local Area Networks、WLAN）、などを含むことができる。これらのスモールセルは、小さなカバレッジ範囲および小さな送信出力を特徴とし、高速データ伝送サービスを提供することができる。
【０２７０】
本発明のこの実施形態において、上述の共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含むことができる。システム情報ブロックは、システム情報ブロックタイプ1に対応するシステム情報ブロックであってよく、あるいは他のタイプのシステム情報ブロックであってよい。測定を実行するための参照信号は、CSI−RS、CRS、またはDRSであってよい。
【０２７１】
本発明のこの実施形態において、上述の通知メッセージ（第1の通知メッセージ、第2の通知メッセージ、第3の通知メッセージ、または第4の通知メッセージを含む）は、共通制御チャネルの復調に必要な情報を含むことができる。例えば、共通制御チャネルの復調に必要な情報は、共通制御チャネルが占めるリソース位置、共通制御チャネルに使用された変調および符号化方式、ならびに共通制御チャネルの送信電力情報のうちの少なくとも1つを含むことができる。
【０２７２】
とくには、共通制御チャネルが同期チャネルを含む場合、共通制御チャネルの復調に必要な情報は、同期チャネルによって運ばれる同期信号の時間ドメイン位置、周波数ドメイン位置、および符号ドメイン位置、同期信号のシーケンス形態、などを含むことができる。同期チャネル以外の別の共通制御チャネルについて、共通制御チャネルの復調に必要な情報は、別の共通制御チャネルが占める時間ドメイン位置および周波数ドメイン位置、シーケンスリソース、使用された変調および符号化方式、送信電力情報、などを含むことができる。
【０２７３】
本発明のこの実施形態において、共通制御チャネルの復調のために必要な情報、およびユーザ機器セット内のユーザ機器に対して第1のセルにおいて第1のセルの共通制御チャネルを検出するように指示するために使用される情報を、同じ通知メッセージにおいて運ぶことができ、あるいは異なる通知メッセージにおいて運ぶことができる。例えば、上述の第1の通知メッセージが、複数の通知メッセージを含むことができ、ここで1つの通知メッセージが、ユーザ機器セット内のユーザ機器に対して第1のセルにおいて第1のセルの共通制御チャネルを検出するように指示するために使用される情報を運び、別の通知メッセージが、共通制御チャネルの復調のために必要な情報を含む。あるいは、第1の通知メッセージは、ユーザ機器セット内のユーザ機器に対して第1のセルにおいて第1のセルの共通制御チャネルを検出するように指示するために使用される情報だけを含むことができる。
【０２７４】
本発明のこの実施形態において、上述の通知メッセージ（第1の通知メッセージ、第2の通知メッセージ、第3の通知メッセージ、または第4の通知メッセージを含む）を、物理層シグナリング、無線リソース制御（Radio Resource Control、RRC）ブロードキャストシグナリング、RRC専用シグナリング、および媒体アクセス制御（Media Access Control、MAC）シグナリングのうちの少なくとも1つを使用することによって運ぶことができる。
【０２７５】
本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、第2のセルの共通サーチ空間において運ぶことができる。本発明のこの実施形態においては、通知メッセージが、通知メッセージの高速送信を実行することができる物理層シグナリングを使用することによって運ばれ、通知メッセージが第2のセルの共通サーチ空間において運ばれるため、遇されるすべてのユーザ機器または複数キャリアの統合能力を有するユーザ機器のグループなど、ユーザ機器のグループが、通知メッセージを特定のユーザ機器へと別々に送信する必要なく通知メッセージを識別することができ、したがってシグナリングのオーバーヘッドが軽減される。確かに、本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、ユーザ機器ごとのサーチ空間において運ぶこともできる。すなわち、基地局が、物理層シグナリングを使用することによって運ばれる通知メッセージを単一のユーザ機器へと別々に送信することができ、通知メッセージを各々のユーザ機器ごとのサーチ空間へと付加することができる。
【０２７６】
本発明のこの実施形態において、上述の通知メッセージ（第1の通知メッセージ、第2の通知メッセージ、第3の通知メッセージ、または第4の通知メッセージを含む）を、キャリア間スケジューリングシグナリング、共通制御シグナリング、などと称することができる。呼び名にかかわらず、通知メッセージは、本発明において言及される機能を満たすことができ、ユーザ機器セット内のユーザ機器に対して第1のセルにおいて第1のセルの共通制御チャネルを検出するように指示するために使用される限りにおいて、本発明の保護の範囲に包含される。
【０２７７】
上述の通知メッセージは、キャリアアクティベーション情報をさらに運ぶことができる。例えば、上述の通知メッセージの受信時に、ユーザ機器は、キャリアがアクティベートされていると考えることができる。本明細書におけるキャリア（第1のセルなど）を、事前定義によってユーザ機器によって識別することができる。キャリアアクティベーション情報を運ぶ通知メッセージは、例えば第5の通知メッセージなど、第1の通知メッセージ、第2の通知メッセージ、第3の通知メッセージ、および第4の通知メッセージ以外の別の通知メッセージであってもよい。第5の通知メッセージを、第1の通知メッセージ、第2の通知メッセージ、第3の通知メッセージ、または第4の通知メッセージが送信される前に送信することができ、すなわち基地局は、ユーザ機器が第1のセルを識別できるように、最初に第5の通知メッセージを使用することによってユーザ機器のために第1のセルをアクティベートし、次いで第1の通知メッセージ、第2の通知メッセージ、第3の通知メッセージ、または第4の通知メッセージを使用することによってユーザ機器に対して第1のセルによって送信される共通制御チャネルを検出するように指示する。あるいは、第5の通知メッセージを、第1の通知メッセージ、第2の通知メッセージ、第3の通知メッセージ、または第4の通知メッセージが送信された後、かつユーザ機器に対するサービスデータの復調の指示の前に、送信することができ、すなわち基地局は、最初に第1の通知メッセージ、第2の通知メッセージ、第3の通知メッセージ、または第4の通知メッセージを使用することによって、ユーザ機器に対して第1のセルによって送信される共通制御チャネルを検出するように指示し、次いでユーザ機器のために第1のセルをアクティベートすべく第5の通知メッセージを送信し、ユーザ機器に対して第1のセルによって送信されるサービスデータを検出するように指示し、ここで本明細書における検出を復調と理解することができ、サービスデータは例えばPDSCHによって運ばれるデータであってよい。
【０２７８】
キャリアアクティベーション情報が、ユーザ機器によるキャリアの識別を可能にする情報であることを、理解すべきである。本発明のこの実施形態において言及されるキャリアアクティベーション情報は、ユーザ機器による第1のセルの識別を可能にする情報である。キャリアアクティベーション情報を、キャリアアクティベーション表示情報と称することもできる。呼び名にかかわらず、キャリアアクティベーション情報は、上述の機能の実行に使用することができる限りにおいて、本発明の保護の範囲に包含される。
【０２７９】
上述の通知メッセージは、ユーザ機器が通知メッセージを受信することによって第1のセルのオペレータについての情報を学ぶことができるように、第1のセルのオペレータについての情報をさらに運ぶことができる。
【０２８０】
本発明のこの実施形態において、上述のユーザ機器セットは、基地局によって遇されるすべてのユーザ機器からなるセットであってよく、あるいは例えば現時点におけるサービスデータの量が比較的多い1つ以上のユーザ機器などの特定のユーザ機器からなるセットであってよい。上述のユーザ機器セット内のユーザ機器が、特定のユーザ機器である場合、上述の通知メッセージを、RRC専用シグナリングを使用することによって運ぶことができる。
【０２８１】
基地局500が、方法100または200における基地局に相当でき、方法100または200において基地局によって実行される対応する機能を実行できることを、理解すべきである。簡潔さのために、詳細をここで再び説明することはしない。
【０２８２】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。さらに、第1のセルが利用可能な状態であると判断される場合に限り、基地局が、第1のセルにおいて共通制御チャネルを検出するように指示するために使用される通知メッセージを、第2のセルを使用することによってユーザ機器へと送信し、共通制御チャネルを、第1のセルを使用することによってユーザ機器へと送信する。したがって、基地局とWiFiデバイスなどの別のデバイスとの間の相互干渉を回避することができ、別のデバイスが、より多くのリソース競合の機会を得ることもできる。さらに、第1のセルがアイドル状態にあると判断されるとき、基地局は、第1のセルにて占有済み信号を送信し、したがって第1のセルが別のデバイスによって占められることを回避することができる。したがって、共用スペクトルをセル構成の形態において適切に使用することができる。
【０２８３】
図16が、本発明の実施形態によるユーザ機器600の概略のブロック図である。図16に示されるとおり、ユーザ機器600は、受信機610およびプロセッサ620を備える。
【０２８４】
受信機610は、基地局によって第2のセルにて送信され、第1のセルにおいて第1のセルの共通制御チャネルを検出するように指示するために用いられる第1の通知メッセージを、受信するように構成される。
【０２８５】
プロセッサ620は、受信機610によって受信された第1の通知メッセージにもとづいて、共通制御チャネルを受信機610を使用することによって第1のセルにおいて検出する必要があると判断するように構成される。
【０２８６】
プロセッサ620は、受信機610を使用することによって第1のセルにおいて共通制御チャネルを検出するようにさらに構成される。
【０２８７】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。したがって、共用スペクトルをセル構成の形態において適切に使用することができる。
【０２８８】
随意により、受信機610は、とくには、基地局が第1のセルが利用可能な状態であると判断するときに基地局によって送信される第1の通知メッセージを受信するように構成される。
【０２８９】
随意により、プロセッサ620は、受信機610によって受信された信号についてエネルギ検出および／または信号解析を実行することによって第1のセルが利用可能な状態であると判断して、第1のセルが利用可能な状態であることを示すために使用されるリスニング報告メッセージを生成するようにさらに構成される。図17に示されるように、ユーザ機器600は、送信機630をさらに備え、ここで送信機630は、プロセッサ620が第1のセルが利用可能な状態であると判断するときに、リスニング報告メッセージを基地局へと送信するように構成される。
【０２９０】
随意により、受信機610は、第1のセルにおいて基地局によって送信されるサービスデータを受信するようにさらに構成される。
【０２９１】
随意により、受信機610は、基地局によって第2のセルにて送信される第2の通知メッセージを受信するようにさらに構成され、ここで第2の通知メッセージは、基地局がユーザ機器の同期の性能が同期の要件を満たすことができないと判断するときに基地局によって送信され、第1のセルにおいて第1のセルの同期チャネルを検出するように指示するために使用され、プロセッサ620は、受信機610によって受信された第2の通知メッセージにもとづいて第1のセルの同期チャネルを受信機610を使用することによって第1のセルにおいて検出する必要があると判断するようにさらに構成され、プロセッサ620は、第1のセルの同期チャネルを受信機610を使用することによって第1のセルにおいて検出するようにさらに構成される。
【０２９２】
随意により、受信機610は、基地局によって第2のセルにて送信される第3の通知メッセージであって、共通制御チャネルにて運ばれる共通制御情報が更新されたと基地局が判断するときに基地局によって送信され、第1のセルの更新された共通制御情報を運ぶために使用される更新された共通制御チャネルを第1のセルにおいて検出するように指示するために使用される第3の通知メッセージを受信するようにさらに構成され、プロセッサ620は、受信機610によって受信された第3の通知メッセージにもとづいて、更新された共通制御チャネルを受信機610を使用することによって第1のセルにおいて検出する必要があると判断するようにさらに構成され、プロセッサ620は、受信機610を使用することによって第1のセルにおいて第1のセルの更新された共通制御チャネルを検出するようにさらに構成される。
【０２９３】
随意により、プロセッサ620は、受信機610によって受信された第1の通知メッセージにもとづいて、共通制御チャネルを受信機610を使用することによって第1のセルにおいて定期的に検出する必要があると判断するようにとくに構成され、プロセッサ620は、受信機610を使用することによって第1のセルにおいて共通制御チャネルを定期的に検出するようにとくに構成され、受信機610は、基地局によって第2のセルにて送信されるストップ検出メッセージを受信するようにさらに構成され、ここでストップ検出メッセージは、第1のセルが別のデバイスによって占められていると基地局が判断するときに基地局によって送信され、共通制御チャネルの検出の停止を指示するために使用され、プロセッサ620は、受信機610によって受信されるストップ検出メッセージにもとづき、受信機610を使用することによる第1のセルにおける共通制御チャネルの検出を停止させる必要があると判断するようにさらに構成され、プロセッサ620は、受信機610を使用することによって、第1のセルにおける共通制御チャネルの検出を停止させるようにさらに構成される。
【０２９４】
随意により、受信機610は、プロセッサ620が受信機610を使用することによる第1のセルにおける共通制御チャネルの検出を停止させた後に、基地局が第1のセルが利用可能な状態であると再び判断するときに基地局によって送信される第4の通知メッセージを受信するようにさらに構成され、ここで第4の通知メッセージは、第1のセルにおいて第1のセルの共通制御チャネルを検出するように指示するために用いられ、プロセッサ620は、受信機610によって受信された第4の通知メッセージにもとづいて、共通制御チャネルを受信機610を使用することによって第1のセルにおいて定期的に検出する必要があると判断するようにさらに構成され、プロセッサ620は、受信機610を使用することによって第1のセルにおいて共通制御チャネルを定期的に検出するようにさらに構成される。
【０２９５】
随意により、第1の通知メッセージは、共通制御チャネルの復調に必要な情報を運び、プロセッサ620は、受信機610によって受信される第1の通知メッセージにもとづき、共通制御チャネルを受信機610を使用することによって共通制御チャネルの復調に必要な情報にもとづいて第1のセルにおいて検出する必要があると判断するようにとくに構成され、さらにプロセッサ620は、受信機610を使用することによって共通制御チャネルの復調に必要な情報にもとづいて第1のセルにおいて共通制御チャネルを検出するようにとくに構成される。
【０２９６】
随意により、プロセッサ620は、受信機610を使用することにより、ブラインド検出によって、受信機610によって受信された第1の通知メッセージにもとづいて、第1のセルにおいて共通制御チャネルを検出するようにとくに構成される。
【０２９７】
随意により、共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含む。
【０２９８】
随意により、受信機610を使用することによってプロセッサ620によって検出された共通制御チャネルが、測定の実行のための参照信号を運ぶ共通制御チャネルを含む場合に、プロセッサ620は、測定の実行のための参照信号に従ってCSI測定および／またはRRM測定を実行するようにさらに構成される。
【０２９９】
随意により、第1の通知メッセージは、物理層シグナリングを使用することによって運ばれ、第2のセルの共通サーチ空間において運ばれる。
【０３００】
随意により、受信機610は、第2のセルに対応するスペクトルにおいて基地局によって送信される第1の通知メッセージを受信するようにとくに構成され、ここで第2のセルに対応するスペクトルは、ライセンススペクトルであり、および／あるいはプロセッサ620は、共通制御チャネルを受信機610を使用することによって第1のセルに対応するスペクトルにおいて共通制御チャネルを検出する必要があると判断して、受信機610を使用することによって第1のセルにおいて共通制御チャネルを検出するようにとくに構成され、ここで第1のセルに対応するスペクトルは、非ライセンススペクトルである。
【０３０１】
随意により、本発明のこの実施形態において述べられる第2のセルは、基地局および／またはユーザ機器に対応するプライマリセル（Primary cell、PCell）であってよく、第1のセルは、基地局および／またはユーザ機器に対応するセカンダリセル（Secondary cell、SCell）であってよい。本発明のこの実施形態において、第2のセルにて送信されるメッセージ（具体的には、以下で述べられる第1の通知メッセージ、第2の通知メッセージ、第3の通知メッセージ、または第4の通知メッセージであってよい）の受信は、第2のセルに対応するスペクトルにおいて送信されるメッセージの受信である。第1のセルを使用することによるチャネル（具体的には、共通制御チャネルまたはサービスデータの搬送に用いられるチャネルであってよい）の受信は、第1のセルに対応するスペクトルを使用することによるチャネルの受信である。第1のセルに対応するスペクトルは、非ライセンス（unlicensed）スペクトルであってよく、かつ／または第2のセルに対応するスペクトルは、ライセンス（licensed）スペクトルであってよい。第1のセルに対応するスペクトルは、LTEシステムにおけるデバイスおよび別のデバイスによって一緒に使用される共用スペクトルであってよく、ここで別のデバイスは、WiFiデバイスであってよい。
【０３０２】
随意により、第2のセルおよび第1のセルは、同じ基地局に属することができる。例えば、第2のセルおよび第1のセルの両方が、同じマクロ基地局に属することができる。また、第2のセルおよび第1のセルが、異なる基地局に属してもよい。例えば、第2のセルが、マクロ基地局に属し、第1のセルが、スモールセル（small cell）に対応する基地局（送信出力が小さい基地局）に属する。本明細書におけるスモールセルは、メトロセル（Metro cell）、マイクロセル（Micro cell）、ピコセル（Pico cell）、フェムトセル（Femto cell）、無線フィディリティ（Wireless Fidelity、WiFi）技術を使用する無線ローカルエリアネットワーク（Wireless Local Area Networks、WLAN）、などを含むことができる。これらのスモールセルは、小さなカバレッジ範囲および小さな送信出力を特徴とし、高速データ伝送サービスを提供することができる。
【０３０３】
本発明のこの実施形態において、上述の共通制御チャネルは、同期チャネル、物理ブロードキャストチャネル、システム情報ブロックを運ぶ共通制御チャネル、および測定の実行のための参照信号を運ぶ共通制御チャネルのうちの少なくとも1つを含むことができる。システム情報ブロックは、システム情報ブロックタイプ1に対応するシステム情報ブロックであってよく、あるいは他のタイプのシステム情報ブロックであってよい。測定を実行するための参照信号は、CSI−RS、CRS、またはDRSであってよい。
【０３０４】
本発明のこの実施形態において、上述の通知メッセージ（第1の通知メッセージ、第2の通知メッセージ、第3の通知メッセージ、または第4の通知メッセージを含む）は、共通制御チャネルの復調に必要な情報を含むことができる。例えば、共通制御チャネルの復調に必要な情報は、共通制御チャネルが占めるリソース位置、共通制御チャネルに使用された変調および符号化方式、ならびに共通制御チャネルの送信電力情報のうちの少なくとも1つを含むことができる。
【０３０５】
とくには、共通制御チャネルが同期チャネルを含む場合、共通制御チャネルの復調に必要な情報は、同期チャネルによって運ばれる同期信号の時間ドメイン位置、周波数ドメイン位置、および符号ドメイン位置、同期信号のシーケンス形態、などを含むことができる。同期チャネル以外の別の共通制御チャネルについて、共通制御チャネルの復調に必要な情報は、別の共通制御チャネルが占める時間ドメイン位置および周波数ドメイン位置、シーケンスリソース、使用された変調および符号化方式、送信電力情報、などを含むことができる。
【０３０６】
本発明のこの実施形態において、共通制御チャネルの復調のために必要な情報、およびユーザ機器セット内のユーザ機器に対して第1のセルにおいて第1のセルの共通制御チャネルを検出するように指示するために使用される情報を、同じ通知メッセージにおいて運ぶことができ、あるいは異なる通知メッセージにおいて運ぶことができる。例えば、上述の第1の通知メッセージが、複数の通知メッセージを含むことができ、ここで1つの通知メッセージが、ユーザ機器セット内のユーザ機器に対して第1のセルにおいて第1のセルの共通制御チャネルを検出するように指示するために使用される情報を運び、別の通知メッセージが、共通制御チャネルの復調のために必要な情報を含む。あるいは、第1の通知メッセージは、ユーザ機器セット内のユーザ機器に対して第1のセルにおいて第1のセルの共通制御チャネルを検出するように指示するために使用される情報だけを含むことができる。
【０３０７】
本発明のこの実施形態において、上述の通知メッセージ（第1の通知メッセージ、第2の通知メッセージ、第3の通知メッセージ、または第4の通知メッセージを含む）を、物理層シグナリング、無線リソース制御（Radio Resource Control、RRC）ブロードキャストシグナリング、RRC専用シグナリング、および媒体アクセス制御（Media Access Control、MAC）シグナリングのうちの少なくとも1つを使用することによって運ぶことができる。
【０３０８】
本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、第2のセルの共通サーチ空間（Common search space）において運ぶことができる。本発明のこの実施形態においては、通知メッセージが、通知メッセージの高速送信を実行することができる物理層シグナリングを使用することによって運ばれ、通知メッセージが第2のセルの共通サーチ空間において運ばれるため、遇されるすべてのユーザ機器または複数キャリアの統合能力を有するユーザ機器のグループなど、ユーザ機器のグループが、通知メッセージを特定のユーザ機器へと別々に送信する必要なく通知メッセージを識別することができ、したがってシグナリングのオーバーヘッドが軽減される。確かに、本発明のこの実施形態において、上述の通知メッセージ（第1の通知メッセージ、第2の通知メッセージ、第3の通知メッセージ、または第4の通知メッセージを含む）が物理層シグナリングを使用することによって運ばれる場合、通知メッセージを、ユーザ機器ごとのサーチ空間において運ぶこともできる。すなわち、基地局が、物理層シグナリングを使用することによって運ばれる通知メッセージを単一のユーザ機器へと別々に送信することができ、通知メッセージを各々のユーザ機器ごとのサーチ空間へと付加することができる。
【０３０９】
本発明のこの実施形態において、上述の通知メッセージ（第1の通知メッセージ、第2の通知メッセージ、第3の通知メッセージ、または第4の通知メッセージを含む）を、キャリア間スケジューリングシグナリング、共通制御シグナリング、などと称することができる。呼び名にかかわらず、通知メッセージは、本発明において言及される機能を満たすことができ、ユーザ機器セット内のユーザ機器に対して第1のセルにおいて第1のセルの共通制御チャネルを検出するように指示するために使用される限りにおいて、本発明の保護の範囲に包含される。
【０３１０】
上述の通知メッセージは、キャリアアクティベーション情報をさらに運ぶことができる。例えば、上述の通知メッセージの受信時に、ユーザ機器は、キャリアがアクティベートされていると考えることができる。本明細書におけるキャリア（第1のセルなど）を、事前定義によってユーザ機器によって識別することができる。キャリアアクティベーション情報を運ぶ通知メッセージは、例えば第5の通知メッセージなど、第1の通知メッセージ、第2の通知メッセージ、第3の通知メッセージ、および第4の通知メッセージ以外の別の通知メッセージであってもよい。第5の通知メッセージを、第1の通知メッセージ、第2の通知メッセージ、第3の通知メッセージ、または第4の通知メッセージが送信される前に送信することができ、すなわち基地局は、ユーザ機器が第1のセルを識別できるように、最初に第5の通知メッセージを使用することによってユーザ機器のために第1のセルをアクティベートし、次いで第1の通知メッセージ、第2の通知メッセージ、第3の通知メッセージ、または第4の通知メッセージを使用することによってユーザ機器に対して第1のセルによって送信される共通制御チャネルを検出するように指示する。あるいは、第5の通知メッセージを、第1の通知メッセージ、第2の通知メッセージ、第3の通知メッセージ、または第4の通知メッセージが送信された後、かつユーザ機器に対するサービスデータの復調の指示の前に、送信することができ、すなわち基地局は、最初に第1の通知メッセージ、第2の通知メッセージ、第3の通知メッセージ、または第4の通知メッセージを使用することによって、ユーザ機器に対して第1のセルによって送信される共通制御チャネルを検出するように指示し、次いでユーザ機器のために第1のセルをアクティベートすべく第5の通知メッセージを送信し、ユーザ機器に対して第1のセルによって送信されるサービスデータを検出するように指示し、ここで本明細書における検出を復調と理解することができ、サービスデータは例えばPDSCHによって運ばれるデータであってよい。
【０３１１】
キャリアアクティベーション情報が、ユーザ機器によるキャリアの識別を可能にする情報であることを、理解すべきである。本発明のこの実施形態において言及されるキャリアアクティベーション情報は、ユーザ機器による第1のセルの識別を可能にする情報である。キャリアアクティベーション情報を、キャリアアクティベーション表示情報と称することもできる。呼び名にかかわらず、キャリアアクティベーション情報は、上述の機能の実行に使用することができる限りにおいて、本発明の保護の範囲に包含される。
【０３１２】
上述の通知メッセージは、ユーザ機器が通知メッセージを受信することによって第1のセルのオペレータについての情報を学ぶことができるように、第1のセルのオペレータについての情報をさらに運ぶことができる。
【０３１３】
本発明のこの実施形態において、上述のユーザ機器セットは、基地局によって遇されるすべてのユーザ機器からなるセットであってよく、あるいは例えば現時点におけるサービスデータの量が比較的多い1つ以上のユーザ機器などの特定のユーザ機器からなるセットであってよい。上述のユーザ機器セット内のユーザ機器が、特定のユーザ機器である場合、上述の通知メッセージを、RRC専用シグナリングを使用することによって運ぶことができる。
【０３１４】
ユーザ機器600が、方法100または200におけるユーザ機器に相当でき、方法100または200においてユーザ機器によって実行される対応する機能を実行できることを、理解すべきである。簡潔さのために、詳細をここで再び説明することはしない。
【０３１５】
したがって、本発明のこの実施形態においては、基地局が、第1のセルにおいて共通制御チャネルを検出するように指示するために使用される通知メッセージを第2のセルを使用することによってユーザ機器へと送信することで、第1のセルが使用される旨をユーザ機器に適時に知らせ、とくには基地局が第1のセルによる共通制御チャネルの送信を必要としている旨をユーザ機器に知らせることができ、基地局が第1のセルによって共通制御チャネルを送信することで、ユーザ機器が第1のセルにおいて共通制御チャネルを検出し、共通制御チャネルを復調することによって第1のセルの共通制御情報を取得して、後続しうるサービスデータの復調に必要な情報をもたらすことができる。さらに、第1のセルが利用可能な状態であると判断される場合に限り、基地局が、第1のセルにおいて共通制御チャネルを検出するように指示するために使用される通知メッセージを、第2のセルを使用することによってユーザ機器へと送信し、共通制御チャネルを、第1のセルを使用することによってユーザ機器へと送信する。したがって、基地局とWiFiデバイスなどの別のデバイスとの間の相互干渉を回避することができ、別のデバイスが、より多くのリソース競合の機会を得ることもできる。したがって、共用スペクトルをセル構成の形態において適切に使用することができる。
【０３１６】
当業者であれば、本明細書に開示の実施形態において説明した例との組み合わせにおいて、各ユニットおよびアルゴリズムの各段階を、電子ハードウェアまたはコンピュータソフトウェアと電子ハードウェアとの組み合わせによって実現できることを、理解できるであろう。機能がハードウェアによって実行されるか、あるいはソフトウェアによって実行されるかは、個々の用途および技術的解決策の設計の制約条件に依存する。当業者であれば、個々の用途の各々において上述の機能を実行するために異なる方法を使用することができるが、そのような実行を、本発明の技術的範囲を越えるものと考えてはならない。
【０３１７】
当業者であれば、便利かつ簡潔な説明の目的で、上述のシステム、装置、およびユニットの詳細な動作のプロセスに関しては、上述の方法の実施形態における対応するプロセスを参照することができ、したがって詳細のここでの再度の説明は省略されることを、明確に理解できるであろう。
【０３１８】
本出願に提示のいくつかの実施形態において、開示のシステム、装置、および方法を、他の方法でも実現できることを、理解すべきである。例えば、上述の装置の実施形態は、あくまでも例示にすぎない。例えば、ユニットの分割は、あくまでも論理的な機能の分割にすぎず、実際の実施においては他の分割であってよい。例えば、複数のユニットまたは構成要素を、別のシステムに組み合わせ、あるいは統合することができ、もしくはいくつかの特徴を無視しても、あるいは実行しなくてもよい。さらに、提示または上述の相互結合または直接結合あるいは通信接続を、いくつかのインターフェイスを使用することによって実行することができる。装置またはユニット間の間接的な結合または通信接続を、電子的、機械的、または他の形態で実行することができる。
【０３１９】
別々の部分として説明されたユニットは、物理的に別々であっても、物理的に別々でなくてもよく、ユニットとして表示された部分は、物理的なユニットであっても、物理的なユニットでなくてもよく、1つの位置に位置しても、あるいは複数のネットワークユニットに分散されてもよい。ユニットの一部またはすべてを、実施形態の技術的解決策の目的を達成するための実際の必要に応じて選択することができる。
【０３２０】
さらに、本発明の実施形態における機能ユニットを、1つの処理ユニットに統合でき、あるいは各々のユニットが、物理的に単独で存在でき、もしくは2つ以上のユニットが1つのユニットに統合される。
【０３２１】
機能がソフトウェア機能ユニットの形態で実現され、独立した製品として販売または使用される場合、それらの機能を、コンピュータにとって読み取り可能な記憶媒体に格納することができる。そのような理解にもとづき、本発明の技術的解決策の本質、または先行技術に対する貢献部分、あるいは技術的解決策の一部を、ソフトウェア製品の形態で実現することができる。コンピュータソフトウェア製品は、記憶媒体に格納され、本発明の実施形態に記載の方法の工程のすべてまたは一部の実行をコンピュータ装置（パーソナルコンピュータ、サーバ、またはネットワーク装置であってよい）に指示するためのいくつかのインストラクションを含む。上述の記憶媒体として、USBフラッシュドライブ、ポータブルハードディスク、読み出し専用メモリ（ROM、Read−Only Memory）、ランダムアクセスメモリ（RAM、Random Access Memory）、磁気ディスク、または光ディスクなど、プログラムコードを格納することができる任意の媒体が挙げられる。
【０３２２】
以上の説明は、あくまでも本発明の特定の実施のやり方にすぎず、本発明の保護の範囲を限定しようとするものではない。本発明において開示された技術的範囲に包含される当業者であれば容易に想到できるあらゆる変種または置換が、本発明の保護の範囲に含まれる。したがって、本発明の保護の範囲は、特許請求の範囲の保護の範囲に従うものとする。
【符号の説明】
【０３２３】
100  情報伝送方法
200  情報伝送方法
300  基地局
310  生成ユニット
320  送信ユニット
330  第1の判断ユニット
340  受信ユニット
350  第2の判断ユニット
360  第3の判断ユニット
370  第4の判断ユニット
400  ユーザ機器
410  受信ユニット
420  判断ユニット
430  検出ユニット
440  生成ユニット
450  送信ユニット
500  基地局
510  プロセッサ
520  送信機
530  受信機
600  ユーザ機器
610  受信機
620  プロセッサ
630  送信機
【図１】
0006350836.tif 000002
【図２】
0006350836.tif 000003
【図３】
0006350836.tif 000004
【図４】
0006350836.tif 000005
【図５】
0006350836.tif 000006
【図６】
0006350836.tif 000007
【図７】
0006350836.tif 000008
【図８】
0006350836.tif 000009
【図９】
0006350836.tif 000010
【図１０】
0006350836.tif 000011
【図１１】
0006350836.tif 000012
【図１２】
0006350836.tif 000013
【図１３】
0006350836.tif 000014
【図１４】
0006350836.tif 000015
【図１５】
0006350836.tif 000016
【図１６】
0006350836.tif 000017
【図１７】
0006350836.tif 000018